(57)【要約】【課題】依頼主にとって価格以外の要望を満たすことができるオークション方法、オークションシステム及びサーバを提供する。【解決手段】オークション依頼者は端末３０Ａから時間スライド方式Ｒ１〜Ｒ６のうちから希望する１つを選択するとともに入力欄Ｓ１に期日を入力する。例えば期日前倒し方式は、期日よりもできるだけ早い取引日を提示した者が落札する方式である。また支払または商品引渡について相手に望む取引日の具体的な内容（入金や入荷等）を指定する。これらの競り条件データはネットワークを通じてサーバ２１に送信され、サーバ２１はホームページで競りの参加者を募る。サーバ２１は参加者の端末から取引日の提示を受信し、依頼者が提示した取引時期条件を最も満たす取引日を提示した参加者に落札させる。【選択図】　　図６
2004054926.tif 000002
【特許請求の範囲】
【請求項１】
商品又は役務、あるいは商品又は役務の提供を受ける者を競り落とすネットワークを通じて行われるオークション方法であって、
オークション仲介用のサーバが前記依頼主の端末を介して該依頼主に取引の対象となる商品又は役務を特定するために必要なその属性情報と取引を希望する時期の条件に関する取引時期条件の提示を促すと共に、該属性情報と取引時期条件を含む依頼情報を、該サーバが依頼主の端末からネットワークを通じて受信する依頼手順と、
取引の対象となる商品又は役務の入札をする際の参考となる取引希望条件を入札者の端末に送信して該入札者に提示すると共に、競る対象として取引時期の提示を求めて入札を募る募集情報を、前記サーバがネットワークを通じて端末に送信する募集手順と、
入札者によって提示された前記取引時期を含む入札情報を、該入札者の端末からネットワークを介した通信によって前記サーバが受信する入札手順と、
前記サーバは、前記端末から受信した前記入札情報を基に、前記取引時期条件を満たすように該入札情報に含まれる前記取引時期で競った結果を求める競り処理をし、落札者を選定する落札手順と
を備えたことを特徴とするオークション方法。
【請求項２】
商品又は役務、あるいは商品又は役務の提供を受ける者を競り落とすネットワークを通じて行われるオークション方法であって、
依頼主が競りを依頼するための依頼画面を、依頼主端末にネットワークを介した通信によってオークション仲介用のサーバが表示させるとともに、取引を希望する時期の条件に関する取引時期条件の提示を該依頼画面で促し、前記依頼主によって前記依頼画面に入力された、商品又は役務の属性情報と取引を希望する時期に関する取引時期条件を含む依頼情報を、該端末からネットワークを通じて前記サーバが受信する依頼手順と、
入札をするうえで参考となる情報として取引希望条件を入札者の端末に送信して該入札者に提示するとともに、競る対象として取引時期の提示を求める入札画面を前記サーバがネットワークを介した通信によって端末に表示させる募集手順と、
入札者によって前記入札画面に入力されて提示された前記取引時期を含む入札情報を、該入札者の端末からネットワークを介した通信によって前記サーバが受信する入札手順と、
前記サーバは、前記入札情報を基に、前記取引時期条件を満たすように該入札情報に含まれる前記取引時期で競った結果を求める競り処理をし、落札者を選定する落札手順と
を備えたことを特徴とするオークション方法。
【請求項３】
請求項１又は２に記載のオークション方法において、
前記依頼手順に先立ち予め前記募集手順で前記入札者を募り、前記入札手順で前記入札者から受信した前記入札情報をデータベースに格納する予約入札を前記サーバが受付け、
前記予約入札受付け後、前記依頼手順で依頼主の端末から前記依頼情報を受信すると前記サーバは、前記依頼情報中の前記属性情報を基に前記データベースから該当する商品又は役務についての前記入札情報を引き当て、前記依頼情報中の前記取引時期で前記競り処理を行って、その落札結果を前記依頼主の端末に送信して表示させる前記落札手順を行い、
前記依頼主の端末から予約入札による落札結果に満足できず再度競りを依頼する旨の情報を受信すると、前記サーバは、前記依頼手順後に再度、前記入札手順で入札者を募る前記募集手順を行うとともに入札手順で入札者から入札情報を受信し、該入札情報を基に前記取引時期で前記競り処理を行って、該落札結果を依頼主の端末に送信して表示させる前記落札手順を行うことを特徴とするオークション方法。
【請求項４】
請求項１〜３のいずれか一項に記載のオークション方法において、
前記落札手順では、前記サーバは前記入札情報を基に前記取引時期での競り処理のみをすることで、該取引時期のみの競りによって落札者を選定することを特徴とするオークション方法。
【請求項５】
請求項１〜４のいずれか一項に記載のオークション方法において、
前記入札情報は、前記取引時期と価格とを少なくとも情報として含み、
前記落札手順では、前記サーバは前記入札情報を基に前記取引時期で第１の競り処理を行い、該第１の競りにより所定落札数に絞り込みできない場合は、さらに価格で第２の競り処理を行うことを特徴とするオークション方法。
【請求項６】
請求項１〜５のいずれか一項に記載のオークション方法において、
前記落札手順では、前記サーバは、前記入札情報を基に前記取引時期条件を満たすように前記取引時期で競り処理を行うことで各入札者に優先順位をつけた後、前記入札情報中の前記取引時期を含む少なくとも一部の情報を、入札者全員分または優先順位上位一部の入札者人数分だけ前記優先順位に表示可能とした閲覧情報を、前記依頼主の端末に送信し、該端末に前記入札者ごとの前記閲覧情報を該入札者優先順に載せると共に前記依頼主による落札者の選択が可能な状態に閲覧画面を表示させ、その後、前記依頼主の端末から前記落札者が選択された落札情報を受信すると、前記サーバは該落札情報に示された入札者を落札者とすることを特徴とするオークション方法。
【請求項７】
依頼主が提示した取引を落札するために設定された落札時間条件に対し入札者が時間を提示し、入札者が時間で競り合って取引を獲得するネットワークを通じて行われるオークション方法であって、
サーバが依頼主の端末からのアクセスに応答して該端末に依頼画面を表示させて、商品又は役務を提供する前記依頼主に課せられる該商品又は役務の代金を入手するまでの待ち時間と前記落札時間条件とを含む依頼情報の入力を促すと共に、依頼主の端末から該依頼情報を受信する依頼手順と、
前記サーバが入札者の端末からのアクセスに応答して該端末に前記落札時間条件を提示した入札画面を表示させて入札者に前記代金の入手のための待ち時間を含む入札情報の入力を促すと共に、入札者の端末から該入札情報を受信する入札手順と、
前記サーバが、前記入札情報を基に前記落札時間条件に従って入札者が提示した前記待ち時間によって落札者を絞り込む競り処理をする落札手順と
を備えたことを特徴とするオークション方法。
【請求項８】
依頼主が提示した取引を落札するために設定された落札時間条件に対し入札者が時間を提示し、入札者が時間で競り合って取引を獲得するネットワークを通じて行われるオークション方法であって、
サーバが依頼主の端末からのアクセスに応答して該端末に依頼画面を表示させて、商品又は役務を提供する前記依頼主に課せられる該商品又は役務の代金を入手するまでの待ち時間を決める取引時期と前記落札時間条件を含む依頼情報の入力を促すと共に、依頼主の端末から該依頼情報を受信する依頼手順と、
前記サーバが入札者の端末からのアクセスに応答して該端末に前記落札時間条件を提示した入札画面を表示させて入札者に取引時期を含む入札情報の入力を促すと共に、入札者の端末から該入札情報を受信する入札手順と、
前記サーバが、前記入札情報を基に前記落札時間条件を満たす取引時期を提示した落札者を絞り込むよう取引時期で競り処理をする落札手順と
を備えることを特徴とするオークション方法。
【請求項９】
売り手が提示した商品又は役務、あるいは商品又は役務を提示した買い手を競り落とすネットワークを通じて行われるオークション方法であって、
前記売り手又は前記買い手である依頼主が依頼を出すための依頼画面を、オークション仲介用のサーバが依頼主の端末に表示させて、取引の対象となる商品又は役務を取引相手に知らしめるために必要なその属性情報と取引を希望する時期の条件に関する取引時期条件の入力を促すと共に、該依頼主の端末から前記属性情報を含む依頼情報を前記サーバは受信する依頼手順と、
取引の対象となる前記商品又は役務の前記属性情報と前記取引時期条件とを知らしめるための表示を持つと共に入札者に取引時期の入力を促す入札画面を、前記サーバはネットワークを通じて特定又は不特定の端末で見られるように提供して入札者を募る募集手順と、
端末に表示された前記入札画面で入札者によって入力された取引時期を含む入札情報が、各入札者の端末から前記サーバに寄せられると、該サーバは受信した前記入札情報を基に、前記依頼情報で指定された前記取引時期条件から決まる各取引時期の優先順位に従って落札者を絞り込む競り処理をする落札手順と
を備えたことを特徴とするオークション方法。
【請求項１０】
売り手が提示した商品又は役務、あるいは商品又は役務を提示した買い手を競り落とすネットワークを通じて行われるオークション方法であって、
前記売り手又は買い手である依頼主によって端末に入力された、商品又は役務の売値情報または買値情報と取引時期条件とを含む依頼情報を、該依頼主の端末からオークション仲介用のサーバが受信する依頼手順と、
前記サーバは前記売値情報または買値情報と取引時期条件とを知らしめるとともに入札すべき取引時期の入力が可能な入札画面を、ネットワークを通じて特定又は不特定の端末に提供して入札者を募る募集手順と、
端末に表示された前記入札画面に入札者によって入力された取引時期を含む入札情報がネットワークを通じて前記サーバに寄せられると、該サーバは受信した前記入札情報を基に、各取引時期の前記取引時期条件から決まる優先順位に従って取引時期条件を最も満たす取引時期を提示した入札者に落札させるように落札者を絞り込む競り処理をする落札手順と
を備えたことを特徴とするオークション方法。
【請求項１１】
請求項９に記載のオークション方法において、
前記依頼画面では、前記取引時期と価格の入力が可能であると共に、該取引時期と価格の優先順位の設定が可能となっており、前記サーバは前記取引時期と価格及び前記優先順位を含む前記依頼情報を受信し、
前記競り処理では、前記サーバは、前記依頼主によって指定された前記取引時期と価格のうち優先順位の高い一方から順番に各競り処理を時系列的に直列に行う方式を採ることで、落札者を２段階以上の多段階に絞り込むことを特徴とするオークション方法。
【請求項１２】
請求項９〜１１のいずれか一項に記載のオークション方法において、
前記サーバは前記競り処理をするための二つの手順を備え、該二つの手順とは、
入札者の端末から受信した入札情報を基に各入札者の優先順位を調べた後、前記入札情報のうち前記取引時期を含む少なくとも一部の情報を閲覧情報として、入札者全員分、または優先順位上位から一部の入札者人数分だけを載せた閲覧画面を、ネットワークを通じて前記依頼主の端末に送信する閲覧情報提供手順と、前記閲覧画面で前記依頼主によって選択された落札者を特定する落札情報を受信すると、該落札情報で示された入札者を落札者とする落札者決定手順と
であることを特徴とするオークション方法。
【請求項１３】
請求項１２に記載のオークション方法において、
前記入札画面には、前記依頼主が前記閲覧画面で落札者を選ぶときの決め手となる前記取引時期以外の参考情報の入力も可能で、前記閲覧画面には、前記閲覧情報として前記入札情報中の前記参考情報も載せられることを特徴とするオークション方法。
【請求項１４】
請求項１３に記載のオークション方法において、
前記参考情報には、取引の対象となる前記商品又は役務の価格情報が含まれることを特徴とするオークション方法。
【請求項１５】
請求項９〜１４のいずれか一項に記載のオークション方法において、
前記取引時期条件は、取引時期が時間軸上どの方向にスライドするほど優先されるかを定める少なくとも一つの時間ベクトルで定められる優先規則であることを特徴とするオークション方法。
【請求項１６】
請求項１５に記載のオークション方法において、
前記優先規則は、前記依頼主が指定した基準時よりなるべく早い取引時期を提示した入札者ほど優先する時期前倒し方式であることを特徴とするオークション方法。
【請求項１７】
請求項１６に記載のオークション方法において、
前記優先規則は、前記依頼主が指定した基準時よりなるべく遅い取引時期を提示した入札者ほど優先する時期遅延方式であることを特徴とするオークション方法。
【請求項１８】
請求項１５に記載のオークション方法において、
前記優先規則は、前記依頼主が指定した基準時になるべく近い取引時期を提示した入札者ほど優先する時期接近方式であることを特徴とするオークション方法。
【請求項１９】
請求項９〜１４のいずれか一項に記載のオークション方法において、
前記入札画面で前記入札者が入札するときの入札方式は、前記複数の取引時期と前記複数の価格が対応付けられて設定された複数組の組合せが前記依頼主によって指定されて前記入札画面に表示されたものに対し、取引時期と価格との組合せの形で前記入札者に提示又は選択させる方式であることを特徴とするオークション方法。
【請求項２０】
請求項１９に記載のオークション方法において、
前記入札方式は、時間軸にスライドさせて設定された複数の時期に対し連動してスライドするように価格が設定され、当該予め設定された複数の組合せの中から前記入札者に選択させる時期連動型価格設定方式であることを特徴とするオークション方法。
【請求項２１】
請求項１〜２０のいずれか一項に記載のオークション方法において、
前記落札手順で決まった落札者とその取引相手との双方のうち買い手は、ネットバンキングを介して売り手との間で取引の決済をすることを特徴とするオークション方法。
【請求項２２】
請求項１〜２１のいずれか一項に記載のオークション方法において、
ネットワークを通じて前記オークション方法を実施するオークションシステム、ネットバンキングシステム、流通ネットシステムの三者は、ネットワークを通じて互いに接続されており、前記落札手順で決まった落札者とその取引相手との双方のうち買い手は、前記ネットバンキングシステムを介して売り手との間で取引の決済をするとともに、売り手は商品を前記流通システムの各地に散在する商品受取所に渡して取引きが行われることを特徴とするオークション方法。
【請求項２３】
請求項２２に記載のオークション方法において、
買い手側のネットバンキングシステムへの入金は、前記流通ネットシステムへの商品の保管が確認されてから売り手に代金を振り込むことで行われることを特徴とするオークション方法。
【請求項２４】
請求項１〜２３のうちいずれか一項に記載の
オークション方法に使用されるオークションシステムであって、
商品又は役務の取引相手を探す依頼主が、商品又は役務の属性情報と取引希望条件とを含む依頼情報をサーバに送信するための依頼主側の端末と、
前記依頼主側の端末から受信した前記依頼情報のうち取引希望条件を含む少なくとも一部を提示すると共に、競る対象として取引時期の提示を求めてネットワークを通じて複数の端末に提供するサーバと、
入札者が提示した取引時期を含む入札情報をネットワークを通じて前記サーバへ送信する入札者側の端末とを備え、
前記サーバは前記入札者側の端末から受信した入札情報を基に前記取引希望条件を最も満たす取引時期を提示した入札者を落札者として絞り込む落札決定手段を備えていることを特徴とするオークションシステム。
【請求項２５】
請求項１〜２４のうちいずれか一項に記載のオークション方法に使用されるオークションシステムであって、
商品又は役務の取引相手を探す依頼主が、商品又は役務の属性情報と取引希望条件とを含む依頼情報をサーバに送信するための依頼主側の端末と、
前記依頼主側の端末から受信した前記依頼情報のうち取引希望条件を含む少なくとも一部を提示すると共に、競る対象として評価数値に換算される被換算情報の提示を求めてネットワークを通じて複数の端末に提供するサーバと、
入札者が提示した評価数値を含む入札情報をネットワークを通じて前記サーバへ送信する入札者側の端末とを備え、
前記サーバは前記入札者側の端末から受信した入札情報を基に前記取引希望条件を最も満たす評価数値に換算される被換算情報を提示した入札者を落札者として絞り込む落札決定手段を備えていることを特徴とするオークションシステム。
【請求項２６】
請求項１〜２３いずれか一項に記載のオークション方法に利用されるオークション仲介用のサーバであって、
商品又は役務の取引相手を探す依頼主の端末にネットワークを通じて前記依頼画面を表示させるとともに、該端末からネットワークを通じて商品又は役務の属性情報と取引希望条件とを含む依頼情報を受信するとともに、入札者が参考にすべき前記属性情報及び取引希望条件を提示した前記入札画面をネットワークを通じて端末に提供し、
入札者の端末から取引時期を含む入札情報をネットワークを通じて受信し、前記取引希望条件を最も満たす値の取引時期を提示した入札者を絞り込む落札決定手段を備えていることを特徴とするオークション用のサーバ。
【請求項２７】
請求項１〜２６のいずれか一項に記載のオークション方法に利用されるオークション仲介用のサーバであって、
商品又は役務の取引相手を探す依頼主の端末にネットワークを通じて前記依頼画面を表示させるとともに、該端末からネットワークを通じて商品又は役務の属性情報と取引希望条件とを含む依頼情報を受信するとともに、入札者が参考にすべき前記属性情報及び取引希望条件を提示した前記入札画面をネットワークを通じて端末に提供し、
入札者の端末から被換算情報を含む入札情報をネットワークを通じて受信し、前記取引希望条件を最も満たす値の評価数値に換算される被換算情報を提示した入札者を絞り込む落札決定手段を備えていることを特徴とするサーバ。
【請求項２８】
請求項９〜２３のいずれか一項に記載のオークション方法に使用されるオークションシステムであって、
商品又は役務の売買取引を希望する売り手または買い手である依頼主が、価格情報と取引時期条件とを含む依頼情報を送信するための依頼主側の端末と、
前記依頼主側の端末から前記依頼情報を受信するとともに、入札者が参考にすべき前記価格情報と前記取引時期条件を提示した入札画面を、ネットワークを通じて特定又は不特定の端末で見られるように提供して、該入札画面で入札者に対し取引時期の入力を促すと共に入札者の端末から前記取引時期を含む入札情報を受信するサーバと、
前記サーバによってネットワークを通じて送信されてきた前記入札画面が表示されるとともに、該入札画面で入札者が入力した取引時期を含む入札情報を、ネットワークを通じて前記サーバへ送信する入札者側の端末とを備え、
前記サーバは前記入札者側の端末から受信した入札情報を基に前記取引時期条件を最も満たす取引時期を提示した入札者を落札者として絞り込む落札決定手段を備えていることを特徴とするオークションシステム。
【請求項２９】
請求項９〜２３のいずれか一項に記載のオークション方法に利用されるオークション仲介用のサーバであって、
商品又は役務の売買取引を希望する売り手または買い手である依頼主の端末にネットワークを通じて前記依頼画面を表示させるとともに、該依頼画面で入札者によって入力された、価格情報と取引時期条件とを含む依頼情報を受信し、入札者が参考にすべき前記価格情報と前記取引時期条件を提示した入札画面を、ネットワークを通じて特定又は不特定の端末で見られるように提供して、該入札画面で入札者に対し取引時期の入力を促すと共に入札者の端末から前記取引時期を含む入札情報を受信し、さらに前記入札者側の端末から受信した入札情報を基に前記取引時期条件を最も満たす取引時期を提示した入札者を落札者として絞り込む落札決定手段を備えていることを特徴とするサーバ。
【発明の詳細な説明】
【０００１】
【発明の属する技術分野】
本発明は、オークションをネットワーク上で行うオークション方法、オークションシステム及びサーバに関するものである。
【０００２】
【従来の技術】
従来、この種のオークション方法が例えば特許文献１〜３などに開示されている。これらのオークション方法はいずれも、最も値段の条件がよかった競りの参加者、つまり通常のオークションであれば売り手にとって最も高値をつけた参加者（買い手）、逆オークションであれば買い手にとって最も安値をつけた参加者（売り手）が落札する方式になっていた。通常、落札者は予め規則等で決められている期日までに取引、つまり商品の引渡しや代金の支払いを終えるようになっている。
【０００３】
【特許文献１】
米国特許５７９４２０７号
【特許文献２】
特開平１０−７８９９２号公報
【特許文献３】
特開平１１−３２８２７１号公報
【０００４】
【発明が解決しようとする課題】
ところが、オークションに商品の売買を依頼する依頼者（依頼主）にとって、種々の事情から、商品の引渡日や代金の支払日を自分の都合のよい期日に設定したいという要求があった。例えば資金調達のために緊急に、美術品や骨董品を売却したい依頼者にとっては、希望価格で売却できればたとえ高値がつかなくても、できるだけ早く資金を調達したい。また商品を早く手に入れたい者の中には、価格よりも早い取引を最優先に望む場合があった。また商品を仕入れる場合、商品を出荷するまでの保管場所がなく倉庫を借りなければならない場合は、その商品を出荷する直前に商品の入荷日を設定したい。また欲しい商品があるが、お金のできる期日がまだ先である場合は、支払いができるその期日以降でできるだけ早くに商品の入荷を希望するし、支払いより先に商品を引き渡してくれる自分にとって有利な条件を提示してくれる相手がいればその相手と取引をしたい。また現在仕事や遊びで使用している製品を他の購入資金を得るために売却したいと考える者にとっては、希望価格で購入してもらえるのであれば、なるべく遅くまでその製品を使用させてくれる相手と取引をしたかった。
【０００５】
このように商品を売買する相手を探す売り手や買い手には、商品の引き渡し日や代金の支払日などの取引日について各人の事情に応じた種々の希望があったが、従来のオークション方法ではこのような取引日までは考慮されず落札者が決まっていた。このため、最高値でなくとも満足する取引日を提示してくれる取引相手を探したり、取引日を最優先に取引相手を探したり、最高値が複数人いれば最先の者ではなく取引日の面で最も有利な相手を落札者にすることができないという問題があった。なお、従来、航空券の予約やホテルの予約などに利用されている逆オークションでは、買い手が搭乗日や宿泊日などの時期に関する情報を提示し、売り手はその希望に合う搭乗日や宿泊日などの時期に関する情報を提示するが、これらの時期情報は取引時期ではなく、代金はあくまで落札相手が決める期日までに支払わなければならなかった。このように従来のオークションは価格で競るのが当然であったため、依頼者の要望に価格の面では沿うものの、価格以外の他の要望を必ずしも満たすものとはなっていなかった。従来のオークション方法は、価格よりも優先させたい要望があるときでも、その要望を最優先させることがし難いものとなっていた。
【０００６】
ところで、例えば顧客がタクシーを依頼する場合に、逆オークション方式を採用して、複数のタクシー会社の間で最も料金の安いタクシーを選別する方式も考えられる。しかしこの方式では、最も安値のタクシーを選択できるものの、手配されるタクシーの位置は考慮されておらず、顧客（依頼人）の位置から非常に離れたタクシーを選択する問題が生じる。
【０００７】
また、一般に実施されるタクシーの依頼方式では、顧客がタクシー会社に電話等で連絡し、そのタクシー会社の車の中で最も依頼人に近いタクシーが配車される。ところが、この方式は一社のタクシー会社との間の取り引きであるため、他のタクシー会社の車が依頼人に一層近い場所にいる場合もあり、必ずしも最も近いタクシーが配車されるわけではなかった。よって、最も近いタクシーを選定できない問題もあった。
【０００８】
また、例えばオークションに商品の売買などを依頼する依頼者にとって、種々の事情から、例えば最も長い（短い）、最も重い（軽い）、最も多い（少ない）など希望に応じた値で商品を取引したいという要望があった。例えば、できるだけ長い長さの商品の購入を希望する依頼者は、オークション参加者のうち、価格は考慮せずに最も長い長さの商品を提示する売り手との取引を希望する場合もある。つまり、オークションに参加する依頼者の中には、落札条件として価格以外の数値を優先して取引したい依頼者がいる場合もあった。ところが、従来のオークション方式では、商品の価格のみを競りの対象としているので、価格以外の数値を競りの対象とする場合に適用できない問題があった。
【０００９】
また、オークションに商品の売買を依頼する依頼者にとって、種々の事情から、商品についての要望を反映させたいという要求があった。例えば美術品や骨董品を購入したい依頼者にとっては、年代や保管の程度、傷などの諸条件も考慮したうえで自分にとって最も適正な価格である物を購入したい。またパーソナルコンピュータを購入する場合、表示装置の画質や本体の品質や性能、処理速度などの要望はあるものの、どの製品（品番等）がその要望を最も満たしているかなどが分からない場合があった。また家庭教師などを依頼する場合、要望はあるものの、何を評価基準に選んだらよいかが分からない場合もあった。このため、ある程度は勘で要望を満たす製品や人を絞り込んで、その製品や役務を価格で競り落とさざるを得なかった。なお、オークションに登録している者のみに取引相手が事実上限られていたという問題もあった。また、売り手にとっても、商品の価値を最も分かってくれる人に買ってほしいなどの要望があった。
【００１０】
このように従来のオークションは価格で競るのが当然であったため、依頼者の要望に価格の面では沿うものの、価格以外の要望を必ずしも満たすものとはなっていなかった。従来のオークション方法は、価格よりも優先させたい要望があるときでも、その要望を最優先させることがし難いものとなっていた。なお、オークションに商品や役務を取引の対象して参加している、あるいは商品や役務の提供を希望している取引相手としか取引できないのが現状であった。
【００１１】
本発明は上記課題を解決するためになされたものであって、その第１の目的は、依頼主にとって価格以外の要望を満たすことができるオークション方法、オークションシステム及びサーバを提供することにある。第２の目的は、商品を売買する相手を探す依頼主が、商品の引渡日や代金支払日などの取引時期について依頼主の事情に応じた希望にかなう取引相手を探し出すことができるオークション方法、オークションシステム及びサーバを提供することにある。第３の目的は、第１の目的を達成するとともに、依頼人（依頼主）の位置に関する要望を満たすことができることにある。第４の目的は、第１の目的を達成するとともに、商品又は役務を取引する相手を探す依頼主が、その商品や役務の数値を競りの対象として商品又は役務の競りを行い、その数値で依頼主の希望にかなう条件を提示する取引相手を探し出すことができることにある。第５の目的は、第１の目的を達成するとともに、価格のような数値で表現できない例えば抽象的な要望などでも、その要望に最も適う商品や役務を提供する取引相手を見つけることができることにある。
【００１２】
【課題を解決するための手段】
上記問題点を解決するために、請求項１に記載の発明は、商品又は役務、あるいは商品又は役務の提供を受ける者を競り落とすネットワークを通じて行われるオークション方法であって、オークション仲介用のサーバが前記依頼主の端末を介して該依頼主に取引の対象となる商品又は役務を特定するために必要なその属性情報と取引を希望する時期の条件に関する取引時期条件の提示を促すと共に、該属性情報と取引時期条件を含む依頼情報を、該サーバが依頼主の端末からネットワークを通じて受信する依頼手順と、取引の対象となる商品又は役務の入札をする際の参考となる取引希望条件を入札者の端末に送信して該入札者に提示すると共に、競る対象として取引時期の提示を求めて入札を募る募集情報を、前記サーバがネットワークを通じて端末に送信する募集手順と、入札者によって提示された前記取引時期を含む入札情報を、該入札者の端末からネットワークを介した通信によって前記サーバが受信する入札手順と、前記サーバは、前記端末から受信した前記入札情報を基に、前記取引時期条件を満たすように該入札情報に含まれる前記取引時期で競った結果を求める競り処理をし、落札者を選定する落札手順とを備えたことを要旨とする。
【００１３】
請求項２に記載の発明は、商品又は役務、あるいは商品又は役務の提供を受ける者を競り落とすネットワークを通じて行われるオークション方法であって、依頼主が競りを依頼するための依頼画面を、依頼主端末にネットワークを介した通信によってオークション仲介用のサーバが表示させるとともに、取引を希望する時期の条件に関する取引時期条件の提示を該依頼画面で促し、前記依頼主によって前記依頼画面に入力された、商品又は役務の属性情報と取引を希望する時期に関する取引時期条件を含む依頼情報を、該端末からネットワークを通じて前記サーバが受信する依頼手順と、入札をするうえで参考となる情報として取引希望条件を入札者の端末に送信して該入札者に提示するとともに、競る対象として取引時期の提示を求める入札画面を前記サーバがネットワークを介した通信によって端末に表示させる募集手順と、入札者によって前記入札画面に入力されて提示された前記取引時期を含む入札情報を、該入札者の端末からネットワークを介した通信によって前記サーバが受信する入札手順と、前記サーバは、前記入札情報を基に、前記取引時期条件を満たすように該入札情報に含まれる前記取引時期で競った結果を求める競り処理をし、落札者を選定する落札手順とを備えたことを要旨とする。
【００１４】
請求項３に記載の発明は、請求項１又は２に記載のオークション方法において、前記依頼手順に先立ち予め前記募集手順で前記入札者を募り、前記入札手順で前記入札者から受信した前記入札情報をデータベースに格納する予約入札を前記サーバが受付け、前記予約入札受付け後、前記依頼手順で依頼主の端末から前記依頼情報を受信すると前記サーバは、前記依頼情報中の前記属性情報を基に前記データベースから該当する商品又は役務についての前記入札情報を引き当て、前記依頼情報中の前記取引時期で前記競り処理を行って、その落札結果を前記依頼主の端末に送信して表示させる前記落札手順を行い、前記依頼主の端末から予約入札による落札結果に満足できず再度競りを依頼する旨の情報を受信すると、前記サーバは、前記依頼手順後に再度、前記入札手順で入札者を募る前記募集手順を行うとともに入札手順で入札者から入札情報を受信し、該入札情報を基に前記取引時期で前記競り処理を行って、該落札結果を依頼主の端末に送信して表示させる前記落札手順を行うことを要旨とする。
【００１５】
請求項４に記載の発明は、請求項１〜３のいずれか一項に記載のオークション方法において、前記落札手順では、前記サーバは前記入札情報を基に前記取引時期での競り処理のみをすることで、該取引時期のみの競りによって落札者を選定することを要旨とする。
【００１６】
請求項５に記載の発明は、請求項１〜４のいずれか一項に記載のオークション方法において、前記入札情報は、前記取引時期と価格とを少なくとも情報として含み、前記落札手順では、前記サーバは前記入札情報を基に前記取引時期で第１の競り処理を行い、該第１の競りにより所定落札数に絞り込みできない場合は、さらに価格で第２の競り処理を行うことを要旨とする。
【００１７】
請求項６に記載の発明は、請求項１〜５のいずれか一項に記載のオークション方法において、前記落札手順では、前記サーバは、前記入札情報を基に前記取引時期条件を満たすように前記取引時期で競り処理を行うことで各入札者に優先順位をつけた後、前記入札情報中の前記取引時期を含む少なくとも一部の情報を、入札者全員分または優先順位上位一部の入札者人数分だけ前記優先順位に表示可能とした閲覧情報を、前記依頼主の端末に送信し、該端末に前記入札者ごとの前記閲覧情報を該入札者優先順に載せると共に前記依頼主による落札者の選択が可能な状態に閲覧画面を表示させ、その後、前記依頼主の端末から前記落札者が選択された落札情報を受信すると、前記サーバは該落札情報に示された入札者を落札者とすることを要旨とする。
【００１８】
請求項７に記載の発明は、依頼主が提示した取引を落札するために設定された落札時間条件に対し入札者が時間を提示し、入札者が時間で競り合って取引を獲得するネットワークを通じて行われるオークション方法であって、サーバが依頼主の端末からのアクセスに応答して該端末に依頼画面を表示させて、商品又は役務を提供する前記依頼主に課せられる該商品又は役務の代金を入手するまでの待ち時間と前記落札時間条件とを含む依頼情報の入力を促すと共に、依頼主の端末から該依頼情報を受信する依頼手順と、前記サーバが入札者の端末からのアクセスに応答して該端末に前記落札時間条件を提示した入札画面を表示させて入札者に前記代金の入手のための待ち時間を含む入札情報の入力を促すと共に、入札者の端末から該入札情報を受信する入札手順と、前記サーバが、前記入札情報を基に前記落札時間条件に従って入札者が提示した前記待ち時間によって落札者を絞り込む競り処理をする落札手順とを備えたことを要旨とする。
【００１９】
請求項８に記載の発明は、依頼主が提示した取引を落札するために設定された落札時間条件に対し入札者が時間を提示し、入札者が時間で競り合って取引を獲得するネットワークを通じて行われるオークション方法であって、サーバが依頼主の端末からのアクセスに応答して該端末に依頼画面を表示させて、商品又は役務を提供する前記依頼主に課せられる該商品又は役務の代金を入手するまでの待ち時間を決める取引時期と前記落札時間条件を含む依頼情報の入力を促すと共に、依頼主の端末から該依頼情報を受信する依頼手順と、前記サーバが入札者の端末からのアクセスに応答して該端末に前記落札時間条件を提示した入札画面を表示させて入札者に取引時期を含む入札情報の入力を促すと共に、入札者の端末から該入札情報を受信する入札手順と、前記サーバが、前記入札情報を基に前記落札時間条件を満たす取引時期を提示した落札者を絞り込むよう取引時期で競り処理をする落札手順とを備えることを要旨とする。
【００２０】
請求項９に記載の発明は、売り手が提示した商品又は役務、あるいは商品又は役務を提示した買い手を競り落とすネットワークを通じて行われるオークション方法であって、前記売り手又は前記買い手である依頼主が依頼を出すための依頼画面を、オークション仲介用のサーバが依頼主の端末に表示させて、取引の対象となる商品又は役務を取引相手に知らしめるために必要なその属性情報と取引を希望する時期の条件に関する取引時期条件の入力を促すと共に、該依頼主の端末から前記属性情報を含む依頼情報を前記サーバは受信する依頼手順と、取引の対象となる前記商品又は役務の前記属性情報と前記取引時期条件とを知らしめるための表示を持つと共に入札者に取引時期の入力を促す入札画面を、前記サーバはネットワークを通じて特定又は不特定の端末で見られるように提供して入札者を募る募集手順と、端末に表示された前記入札画面で入札者によって入力された取引時期を含む入札情報が、各入札者の端末から前記サーバに寄せられると、該サーバは受信した前記入札情報を基に、前記依頼情報で指定された前記取引時期条件から決まる各取引時期の優先順位に従って落札者を絞り込む競り処理をする落札手順とを備えたことを要旨とする。
【００２１】
請求項１０に記載の発明は、売り手が提示した商品又は役務、あるいは商品又は役務を提示した買い手を競り落とすネットワークを通じて行われるオークション方法であって、前記売り手又は買い手である依頼主によって端末に入力された、商品又は役務の売値情報または買値情報と取引時期条件とを含む依頼情報を、該依頼主の端末からオークション仲介用のサーバが受信する依頼手順と、前記サーバは前記売値情報または買値情報と取引時期条件とを知らしめるとともに入札すべき取引時期の入力が可能な入札画面を、ネットワークを通じて特定又は不特定の端末に提供して入札者を募る募集手順と、端末に表示された前記入札画面に入札者によって入力された取引時期を含む入札情報がネットワークを通じて前記サーバに寄せられると、該サーバは受信した前記入札情報を基に、各取引時期の前記取引時期条件から決まる優先順位に従って取引時期条件を最も満たす取引時期を提示した入札者に落札させるように落札者を絞り込む競り処理をする落札手順とを備えたことを要旨とする。
【００２２】
請求項１１に記載の発明は、請求項９に記載のオークション方法において、前記依頼画面では、前記取引時期と価格の入力が可能であると共に、該取引時期と価格の優先順位の設定が可能となっており、前記サーバは前記取引時期と価格及び前記優先順位を含む前記依頼情報を受信し、前記競り処理では、前記サーバは、前記依頼主によって指定された前記取引時期と価格のうち優先順位の高い一方から順番に各競り処理を時系列的に直列に行う方式を採ることで、落札者を２段階以上の多段階に絞り込むことを要旨とする。
【００２３】
請求項１２に記載の発明は、請求項９〜１１のいずれか一項に記載のオークション方法において、前記サーバは前記競り処理をするための二つの手順を備え、該二つの手順とは、入札者の端末から受信した入札情報を基に各入札者の優先順位を調べた後、前記入札情報のうち前記取引時期を含む少なくとも一部の情報を閲覧情報として、入札者全員分、または優先順位上位から一部の入札者人数分だけを載せた閲覧画面を、ネットワークを通じて前記依頼主の端末に送信する閲覧情報提供手順と、前記閲覧画面で前記依頼主によって選択された落札者を特定する落札情報を受信すると、該落札情報で示された入札者を落札者とする落札者決定手順とであることを要旨とする。
【００２４】
請求項１３に記載の発明は、請求項１２に記載のオークション方法において、前記入札画面には、前記依頼主が前記閲覧画面で落札者を選ぶときの決め手となる前記取引時期以外の参考情報の入力も可能で、前記閲覧画面には、前記閲覧情報として前記入札情報中の前記参考情報も載せられることを要旨とする。
【００２５】
請求項１４に記載の発明は、請求項１３に記載のオークション方法において、前記参考情報には、取引の対象となる前記商品又は役務の価格情報が含まれることを要旨とする。
【００２６】
請求項１５に記載の発明は、請求項９〜１４のいずれか一項に記載のオークション方法において、前記取引時期条件は、取引時期が時間軸上どの方向にスライドするほど優先されるかを定める少なくとも一つの時間ベクトルで定められる優先規則であることを要旨とする。
【００２７】
請求項１６に記載の発明は、請求項１５に記載のオークション方法において、前記優先規則は、前記依頼主が指定した基準時よりなるべく早い取引時期を提示した入札者ほど優先する時期前倒し方式であることを要旨とする。
【００２８】
請求項１７に記載の発明は、請求項１６に記載のオークション方法において、前記優先規則は、前記依頼主が指定した基準時よりなるべく遅い取引時期を提示した入札者ほど優先する時期遅延方式であることを要旨とする。
【００２９】
請求項１８に記載の発明は、請求項１５に記載のオークション方法において、前記優先規則は、前記依頼主が指定した基準時になるべく近い取引時期を提示した入札者ほど優先する時期接近方式であることを要旨とする。
【００３０】
請求項１９に記載の発明は、請求項９〜１４のいずれか一項に記載のオークション方法において、前記入札画面で前記入札者が入札するときの入札方式は、前記複数の取引時期と前記複数の価格が対応付けられて設定された複数組の組合せが前記依頼主によって指定されて前記入札画面に表示されたものに対し、取引時期と価格との組合せの形で前記入札者に提示又は選択させる方式であることを要旨とする。
【００３１】
請求項２０に記載の発明は、請求項１９に記載のオークション方法において、前記入札方式は、時間軸にスライドさせて設定された複数の時期に対し連動してスライドするように価格が設定され、当該予め設定された複数の組合せの中から前記入札者に選択させる時期連動型価格設定方式であることを要旨とする。
【００３２】
請求項２１に記載の発明は、請求項１〜２０のいずれか一項に記載のオークション方法において、前記落札手順で決まった落札者とその取引相手との双方のうち買い手は、ネットバンキングを介して売り手との間で取引の決済をすることを要旨とする。
【００３３】
請求項２２に記載の発明は、請求項１〜２１のいずれか一項に記載のオークション方法において、ネットワークを通じて前記オークション方法を実施するオークションシステム、ネットバンキングシステム、流通ネットシステムの三者は、ネットワークを通じて互いに接続されており、前記落札手順で決まった落札者とその取引相手との双方のうち買い手は、前記ネットバンキングシステムを介して売り手との間で取引の決済をするとともに、売り手は商品を前記流通システムの各地に散在する商品受取所に渡して取引きが行われることを要旨とする。
【００３４】
請求項２３に記載の発明は、請求項２２に記載のオークション方法において、買い手側のネットバンキングシステムへの入金は、前記流通ネットシステムへの商品の保管が確認されてから売り手に代金を振り込むことで行われることを要旨とする。
【００３５】
請求項２４に記載の発明は、請求項１〜２３のうちいずれか一項に記載のオークション方法に使用されるオークションシステムであって、商品又は役務の取引相手を探す依頼主が、商品又は役務の属性情報と取引希望条件とを含む依頼情報をサーバに送信するための依頼主側の端末と、前記依頼主側の端末から受信した前記依頼情報のうち取引希望条件を含む少なくとも一部を提示すると共に、競る対象として取引時期の提示を求めてネットワークを通じて複数の端末に提供するサーバと、入札者が提示した取引時期を含む入札情報をネットワークを通じて前記サーバへ送信する入札者側の端末とを備え、前記サーバは前記入札者側の端末から受信した入札情報を基に前記取引希望条件を最も満たす取引時期を提示した入札者を落札者として絞り込む落札決定手段を備えていることを要旨とする。
【００３６】
請求項２５に記載の発明は、請求項１〜２４のうちいずれか一項に記載のオークション方法に使用されるオークションシステムであって、商品又は役務の取引相手を探す依頼主が、商品又は役務の属性情報と取引希望条件とを含む依頼情報をサーバに送信するための依頼主側の端末と、前記依頼主側の端末から受信した前記依頼情報のうち取引希望条件を含む少なくとも一部を提示すると共に、競る対象として評価数値に換算される被換算情報の提示を求めてネットワークを通じて複数の端末に提供するサーバと、入札者が提示した評価数値を含む入札情報をネットワークを通じて前記サーバへ送信する入札者側の端末とを備え、前記サーバは前記入札者側の端末から受信した入札情報を基に前記取引希望条件を最も満たす評価数値に換算される被換算情報を提示した入札者を落札者として絞り込む落札決定手段を備えていることを要旨とする。
【００３７】
請求項２６に記載の発明は、請求項１〜２３いずれか一項に記載のオークション方法に利用されるオークション仲介用のサーバであって、商品又は役務の取引相手を探す依頼主の端末にネットワークを通じて前記依頼画面を表示させるとともに、該端末からネットワークを通じて商品又は役務の属性情報と取引希望条件とを含む依頼情報を受信するとともに、入札者が参考にすべき前記属性情報及び取引希望条件を提示した前記入札画面をネットワークを通じて端末に提供し、入札者の端末から取引時期を含む入札情報をネットワークを通じて受信し、前記取引希望条件を最も満たす値の取引時期を提示した入札者を絞り込む落札決定手段を備えていることを要旨とする。
【００３８】
請求項２７に記載の発明は、請求項１〜２６のいずれか一項に記載のオークション方法に利用されるオークション仲介用のサーバであって、商品又は役務の取引相手を探す依頼主の端末にネットワークを通じて前記依頼画面を表示させるとともに、該端末からネットワークを通じて商品又は役務の属性情報と取引希望条件とを含む依頼情報を受信するとともに、入札者が参考にすべき前記属性情報及び取引希望条件を提示した前記入札画面をネットワークを通じて端末に提供し、入札者の端末から被換算情報を含む入札情報をネットワークを通じて受信し、前記取引希望条件を最も満たす値の評価数値に換算される被換算情報を提示した入札者を絞り込む落札決定手段を備えていることを要旨とする。
【００３９】
請求項２８に記載の発明は、請求項９〜２３のいずれか一項に記載のオークション方法に使用されるオークションシステムであって、商品又は役務の売買取引を希望する売り手または買い手である依頼主が、価格情報と取引時期条件とを含む依頼情報を送信するための依頼主側の端末と、前記依頼主側の端末から前記依頼情報を受信するとともに、入札者が参考にすべき前記価格情報と前記取引時期条件を提示した入札画面を、ネットワークを通じて特定又は不特定の端末で見られるように提供して、該入札画面で入札者に対し取引時期の入力を促すと共に入札者の端末から前記取引時期を含む入札情報を受信するサーバと、前記サーバによってネットワークを通じて送信されてきた前記入札画面が表示されるとともに、該入札画面で入札者が入力した取引時期を含む入札情報を、ネットワークを通じて前記サーバへ送信する入札者側の端末とを備え、前記サーバは前記入札者側の端末から受信した入札情報を基に前記取引時期条件を最も満たす取引時期を提示した入札者を落札者として絞り込む落札決定手段を備えていることを要旨とする。
【００４０】
請求項２９に記載の発明は、請求項９〜２３のいずれか一項に記載のオークション方法に利用されるオークション仲介用のサーバであって、商品又は役務の売買取引を希望する売り手または買い手である依頼主の端末にネットワークを通じて前記依頼画面を表示させるとともに、該依頼画面で入札者によって入力された、価格情報と取引時期条件とを含む依頼情報を受信し、入札者が参考にすべき前記価格情報と前記取引時期条件を提示した入札画面を、ネットワークを通じて特定又は不特定の端末で見られるように提供して、該入札画面で入札者に対し取引時期の入力を促すと共に入札者の端末から前記取引時期を含む入札情報を受信し、さらに前記入札者側の端末から受信した入札情報を基に前記取引時期条件を最も満たす取引時期を提示した入札者を落札者として絞り込む落札決定手段を備えていることを要旨とする。
【００４１】
【発明の実施の形態】
（第１実施形態）
以下、本発明を具体化した第１実施形態を図１〜図１４に従って説明する。図１は、ネットワークを介して売り手と買い手が商品のオークションを行うための時間オークションシステムを示す。本例では要素としての時間を競りの対象としてオークションを行う。
【００４２】
時間オークションシステム１０は、オークション管理システム２０と、ネットワーク（例えばインターネット）Ｎと、利用者（顧客）用の端末３０とから構成される。オークション管理システム２０は、サーバ（Ｗｅｂサーバ）２１と、顧客管理データベース（ＤＢ）２２、商品管理データベース（ＤＢ）２３、競り管理データベース（ＤＢ）２４とから構成される。なお、サーバ２１は、Ｗｅｂサーバとアプリケーションサーバとに分けて構成もできる。
【００４３】
図２は、オークション管理システム２０の機能構成図である。オークション管理システム２０は通信部４１、制御部４２、時間競り演算部４３および落札絞込演算部４４を備える。通信部４１、制御部４２、時間競り演算部４３および落札絞込演算部４４はサーバ２１により構成される。通信部４１は所定の通信手順（ＨＴＴＰ）で動く。また商品管理ＤＢ２３は競り条件記憶部４５を備え、競り条件記憶部４５には時間競りデータ記憶部４５Ａと絞込データ記憶部４５Ｂが用意されている。制御部４２および各演算部４３，４４は、時間オークションで落札者を特定するための演算制御などに使用され、この演算に各記憶部４５Ａ，４５Ｂに記憶された各種データが使用される。
【００４４】
サーバ２１には、時間オークションホームページ（ＨＰ）（サイト）が置かれ、ネットワークＮを通じて利用者は端末３０からブラウザソフトを用いて画面上に図３に示す時間オークションＨＰを表示させる。利用者は、このＨＰで必要なデータを入力することでオークションへの登録または参加が可能である。予め利用者登録手続きを済ませた利用者は、時間オークションへの商品の売買依頼またはオークションへの参加が可能である。
【００４５】
時間オークションＨＰには、図４に示す利用者登録画面Ｐ、図５に示す商品登録画面Ｑ、図６に示す時間競り方式選択画面Ｒ、希望条件設定画面Ｓ、図８に示すスライド価格設定画面Ｔなどの各種画面がリンクされている。サーバ２１のハードディスクには、各種画面ＨＰ，Ｐ，Ｑ，Ｒ，Ｓ，Ｔの画面データ、画面の表示等に用いるプログラム（例えばＨＴＭＬ記述プログラム）やオークションの演算処理に用いるプログラムが記憶されている。
【００４６】
図３に示すように、時間オークションＨＰにはオークション用の商品別に分類された多数の選択ボタン５１と、逆オークション用の商品別に分類された多数の選択ボタン５２が用意されている。競りに参加を希望する者（入札者）は、希望する商品分類の選択ボタン５１，５２を選択する。ただし同図では商品分類は一部のみ示している。また利用者登録ボタン５３と商品登録ボタン５４が用意されており、各ボタン５３，５４を選択することで登録画面Ｐ（図４）と登録画面Ｑ（図５）がそれぞれ表示される。
【００４７】
図４に示すように利用者登録画面Ｐには、売り手・買い手のどちらを希望するかを選択する選択項目Ｐ１、住所、氏名、電話番号、電子メールアドレス、性別、年齢、備考などを入力するための各種入力欄Ｐ２が用意されている。利用者は端末３０Ａに表示された利用者登録画面Ｐでこれら全ての項目に必要事項を入力してＯＫボタン５５を選択すると、この利用者登録データＤ１はネットワークＮを通じてサーバ２１に送信され、顧客管理ＤＢ２２に格納される顧客管理データに追加される。サーバ２１は所定の手数料の納付を確認すると登録者の端末３０Ａへ認証番号（ＩＤとパスワード）を送信する。登録者は、時間オークションを利用するときには認証番号を使用する。なお、売り手・買い手のどちらで利用するかは利用者登録時に未定であれば後で登録することもできる。
【００４８】
また図５に示すように商品登録画面Ｑには、商品分類、商品名、希望価格、数量、品質、保管場所、商品情報などの各種入力欄Ｑ１〜Ｑ７が用意されている。希望価格の入力欄Ｑ３には値幅を設定することもできる。また希望価格については、固定価格、スライド価格、最低価格の３種類の中から選択する選択項目Ｑ８が用意されている。ここで、固定価格とは、価格が固定であることを意味する。
【００４９】
スライド価格とは、時間軸にスライドするように複数の取引時期を設定し、各取引時期に連動してスライドするように価格を設定することを意味し、例えば製造会社（メーカー）が、新製品の予約注文を受け付けるに当たり、発売日から月日が経過するに連れて価格を段階的に下げて設定し、購入希望者を募るときなどに使用される。また最低価格は、商品を競り落とす際の最低価格を意味し、この項目が選択されたときは競りの入札者は指値を提示する。入力欄Ｑ６は、商品の現在の保管場所を入力（選択）する欄で、その入力項目にはオークション管理業者保管、民間保管機関、売り手側倉庫、製造予定等がある。入力欄Ｑ７には、商品の詳細説明等を入力する。なお、この画面Ｑで入力する希望価格が、売値情報または買値情報に相当する。
【００５０】
利用者は端末３０Ａに表示された商品登録画面Ｑで全項目に必要事項を入力してＯＫボタン５６を選択すると、商品関連情報としての商品登録データＤ２はネットワークＮを通じてサーバ２１に送信されて商品管理ＤＢ２３の商品管理データに追加される。また選択項目Ｑ８で固定価格または最低価格が選択されたときは、次に図６の時間競り方式選択画面Ｒと希望条件設定画面Ｓが表示される。また選択項目Ｑ８でスライド価格が選択されたときは、次に図８のスライド価格設定画面Ｔが表示される。
【００５１】
図６に示すように、時間競り方式選択画面Ｒには、時間スライド方式を選択するための６つの選択項目Ｒ１〜Ｒ６が用意されている。選択項目Ｒ１〜Ｒ６には売り手側と買い手側について、それぞれ「期日前倒し方式」、「期日遅延方式」、「期日接近方式」が用意されており、「期日接近方式」にはさらに「期日前」と「期日後」のいずれかを選ぶ選択項目Ｒ７，Ｒ８が用意されている。
【００５２】
図７は、売り手と買い手別に用意された４種類の時間スライド方式の競り内容を説明するものである。同図（ａ）の「期日前倒し方式」は、依頼者（依頼主）が指定した期日以前でできるだけ早い取引日を提示した者（入札者）が優先的に落札する方式である。指定期日以前の取引日を提示した入札者Ａ，Ｂ，Ｃのうち最も早い取引日を提示したＣが落札する。
【００５３】
同図（ｂ）の「期日遅延方式」は、依頼者が指定した期日以後でできるだけ遅い取引日を提示した者が優先的に落札する方式である。指定期日以後の取引日を提示した入札者Ａ，Ｂ，Ｃのうち最も遅い取引日を提示したＣが落札する。
【００５４】
同図（ｃ）の「期日前接近方式」は、依頼者が指定した期日以前でできるだけ指定期日に近い取引日を提示した者が優先的に落札する方式である。指定期日以前の取引日を提示した入札者Ａ，Ｂ，Ｃのうち最も遅い取引日を提示したＣが落札する。
【００５５】
同図（ｄ）の「期日後接近方式」は、依頼者が指定した期日以後でできるだけ指定期日に近い取引日を提示した者が優先的に落札する方式である。指定期日以前の取引日を提示した入札者Ａ，Ｂ，Ｃのうち最も遅い取引日を提示したＣが落札する。なお、いずれの時間競り方式の場合も、最も優先される取引日に落札人数枠を超える人数の入札者が競合した場合（例えば図９に示すように落札枠一人のところに優先される取引日に２人の入札者Ｃ，Ｄが競合した場合）は、後述する所定のルールを基に落札者を絞り込むようになっている。
【００５６】
また図６に示す希望条件設定画面Ｓには、指定期日（基準時）、支払、商品引渡および競り期間の各入力欄Ｓ１〜Ｓ４と、入札者側からの条件提示を可とするか不可とするかを選択する選択項目Ｓ５が用意されている。入力欄Ｓ１には時間スライド方式で基準時となる期日を指定する。
【００５７】
取引が成立すると依頼者と落札者の双方で代金支払と商品引渡がなされるが、入力欄Ｓ２，Ｓ３は、落札者の提示した取引日を、支払や商品引渡の際における何の日付とするかの依頼者の具体的な希望を設定する欄である。「支払」の入力欄Ｓ２は依頼者が売り手のときに入力可能となり、「商品引渡」の入力欄Ｓ３は依頼者が買い手のときに入力可能となる。
【００５８】
「支払」の入力欄Ｓ２では取引日を、入金日（口座）、銀行振込日、現金発送日、集金日、電子マネー支払日、分割初回支払日、頭金支払日などの複数の項目のうちのどれにするかを選択する。また「商品引渡」の入力欄Ｓ３では取引日を、入荷日、商品発送日、譲渡証発行日、権利証書移転日、契約日、入居日（住宅等の場合）、名義書替日などの複数の項目のうちのどれにするかを選択する。これら各項目については、図示はしないが取引日を基準とした時期、例えば取引日から何日目、取引日から何日以内（何週間以内）などの設定も可能である。依頼者である売り手または買い手は、支払や商品引渡について各人の事情に応じた希望する具体的内容や詳細期日（期間）を設定し、特に入金や入荷の希望期日があるときなどはこのような取引日を競りの対象とすることで依頼者にとって有利な取引日を提示してくれる取引相手を探し出す。これが時間オークションシステムの主要なメリットの１つである。この画面Ｒ，Ｓに必要事項を入力後に「ＯＫ」ボタン５７を選択すると、各画面Ｒ，Ｓで入力されたデータ内容からなる競り条件データＤ３がサーバ２１に送信される。
【００５９】
また図８に示すようにスライド価格設定画面Ｔには、複数（この例では３つ）の期間を設定すための各入力欄Ｔ１と、それら複数の期間に対して価格を設定するための各入力欄Ｔ２と、競り期間の入力欄Ｔ３が用意されている。各入力欄Ｔ１には時間軸に対して段階的にスライドさせた期間（第１〜第３期間）を設定する。各入力欄Ｔ２には各期間に連動してスライドするように各期間に対応する価格を設定する。例えば製造会社（メーカ）が、新製品の予約注文をこの価格スライド設定型の時間オークションで受け付けて、発売初期の注文の集中を分散させたり、競り結果に基づく売れ行き予測による生産計画の見直しなどに利用される。
【００６０】
また製造会社に限らず、多数の商品を売買したい依頼者が商品の売買を円滑に進めるため、または１つの商品（例えば発売日からの時間の経過とともに価値の薄れる商品（書籍や音楽ＣＤ等））を取引時期に合った適切な価格で売買したいときに価格スライド設定型を利用する。なお、価格スライド設定型でも、依頼者の希望を提示でき、例えば商品が１つしかない場合、期間・価格についての複数の組合せの全てに入札者がついても、依頼者が希望する１つの組合せについた入札者のみ優先的に落札させる優先規則や、各期間毎に落札者を決めるための優先規則の設定もできるようになっている。そして画面Ｔに必要事項を入力後に「ＯＫ」ボタン５８を選択すると、画面Ｔで入力されたデータ内容からなる競り条件データＤ４がサーバ２１に送信される。なお、図６の画面Ｒ，Ｓで設定する項目のうち競り期間以外の項目が取引時期条件に相当し、図８の画面Ｔで設定する項目のうち競り期間以外の項目が取引時期条件に相当する。また、商品登録データＤ２、競り条件データＤ３，Ｄ４により依頼情報としての競り依頼情報が構成され、画面Ｒ，Ｓ，Ｔが依頼画面に相当する。
【００６１】
図１０は時間オークションの登録処理手順、図１１は期日スライド式時間オークションの処理手順、図１２は価格スライド設定型時間オークションの処理手順をそれぞれ示すフローチャートである。
【００６２】
はじめに図１０に示す時間オークション登録処理手順について説明する。
まずステップ（以下単に「Ｓ」と記す）１０において、利用者登録（顧客登録）をする（図４）。Ｓ２０では、商品登録をする（図５）。
【００６３】
Ｓ３０では、時間スライド方式と価格スライド設定型のどちらが選択されたかを判断する。図５の商品登録画面Ｑ中の選択項目Ｑ８で、固定価格または最低価格が選択されたときは時間スライド方式が選択されたと認識し、図６の時間競り方式選択画面Ｒが表示される。また選択項目Ｑ８でスライド価格が選択されたときは価格スライド設定型が選択されたと認識し、図８のスライド価格設定画面Ｔが表示される。
【００６４】
Ｓ４０では、時間スライド方式を選定する（図６）。売り手と買い手はそれぞれ図６の画面Ｒに表示される４種類の時間競り方式、つまり期日前倒し方式、期日遅延方式、期日前接近方式、期日後接近方式の４種類の中から一つを選択する。なお、この例では時間競りの基準時を期日としているが、基準時は、時間、分、秒、週、月、年の単位で設定する機能を採用することもできる。そしてこのとき４種類の中から選択した時間スライド方式の基準時となる期日を、図６の入力欄Ｓ１に設定する。
【００６５】
Ｓ５０では、支払または商品引渡について取引日の意味する具体的な内容を詳細設定する。例えば依頼者が売り手であり取引日を入金日としたいときは入力欄Ｓ２で「入金」を選択する。また依頼者が買い手であり取引日を入荷日としたいときは入力欄Ｓ３で「入荷」を選択する。
【００６６】
Ｓ６０では、選択項目Ｓ５で絞込み条件を設定する。例えば資金調達を早くしたい売り手にとっては、入金日さえ確保されれば希望価格よりもより高い値段で買ってくれる取引相手に落札されることが有利であるし、また商品をできるだけ長く手元に置いておきたい売り手にとっては支払日よりも遅い商品引渡日を提示してくれる取引相手に落札されることが有利である。そこで、取引日で落札枠人数を超える複数の入札者が競合した場合、依頼者にとってより有利な条件を提示してくれる入札者に絞り込むための情報を入札者に提示してもらうため、画面Ｓの「入札者からの条件提示」の項目で「可」を選ぶ。そして依頼者が売り手であれば入札者（買い手）に提示してもらう情報として例えば「価格」と「商品引渡日」の項目を選択し（図６参照）、また依頼者が買い手であれば入札者（売り手）に提示してもらう情報として例えば「価格」と「支払日」の項目を選択する。なお、画面Ｒでの入力内容や画面Ｓで指定した期日が落札条件に相当する。
【００６７】
一方、価格スライド設定型が選択された場合は、Ｓ７０において、図８のスライド価格設定画面Ｔでスライド期間を設定する。例えば第１期間〜第３期間の３期間を設定する。なお、スライド期間の設定数は３期間以下に限らず、４期間以上の設定も可能である。またスライド期間は年、月、週、日、時、分、秒のうちの任意の時間単位で設定できる。なお、画面Ｔでの入力内容が落札条件に相当する。
【００６８】
次のＳ８０では、スライド価格を設定する。すなわち、先に設定した各期間に連動してスライドするように各期間に対応する価格を設定する。価格スライド設定型は、例えば製造会社（メーカ）が新製品の注文予約や売れ行き予測をするために時間オークションを利用するときに使用される。スライド期間としては、新製品の発売期と、製品の人気が落ち出す販売中期と、次期新製品が出る前の販売終期を設定し、各期間別のスライド価格としてそれぞれ標準価格、値引価格（例えば１割引）、処分価格（例えば３割引）を設定する。メーカーにとっては発売日から長期注文予約ができることで生産計画が立ち易く、また注文結果から売れ行き予測をして生産計画の見直しに役立てることが可能である。
【００６９】
Ｓ９０では、競り期間を設定する。時間スライド方式では図６の画面Ｓで競り期間が設定され、価格スライド設置型では図８の画面Ｔで競り期間が設定される。画面Ｓ，ＴでＯＫボタン５７，５８を選択し、ここまでのデータを送信する。
【００７０】
Ｓ１００では、手数料を納付する。また商品が高価で一定価格を超える場合は、手数料に加え証拠金を支払う。
Ｓ１１０では、手数料（証拠金含む）の納付が確認されれば、時間オークションを開始する。つまり時間オークションＨＰにアクセスすれば商品やその売買条件がネットワークＮを介して端末３０の画面で見られるようになり、売り手が提供した商品が競りにかけられ、あるいは商品の購入条件を提示した買い手が逆競りにかけられる。また、このとき受信した競り条件データＤ３，Ｄ４は時間スライド方式や価格スライド設定型に関するものが時間競りデータ記憶部４５Ａに記憶され、絞込みに使われる絞込条件データが絞込データ記憶部４５Ｂに記憶される。なお、Ｓ２０〜Ｓ１００の手順が依頼手順に相当する。
【００７１】
次に時間オークションに参加する方法を説明する。
図３に示す時間オークションＨＰ（図３）には、有価証券、不動産、分譲マンション、チケット、新製品、骨董・美術品など商品毎に分類されており、競りに参加を希望する商品のボタン５１，５２をクリックすると、図９に示す商品一覧画面Ｕが表示される。なお、ボタン５１はオークション用、ボタン５２は逆オークション用である。
【００７２】
商品一覧画面Ｕには、商品の写真Ｕ１，商品コード番号の他に、商品名，希望価格，数量などの商品関連情報と、時間オークション方式，希望取引日（期日），競り期間などの競り条件情報とが各商品毎に表示される。図９の商品一覧画面Ｕは逆競りの場合も同じ形式で表示される。商品一覧画面Ｕには商品毎に参加ボタン５９が用意されているので、競りに参加する場合は参加ボタン５９を選択する。ボタン５９を選択すると競り参加画面Ｖが表示される。
【００７３】
図９に示すように競り参加画面Ｖには、商品コード番号，商品名，希望価格，取引日の詳細定義（ここでは「入金」），時間オークション方式（ここでは「期日前倒し」）、期日などの商品競り条件情報Ｖ１が表示されるとともに、入力欄Ｖ２〜Ｖ５、取引数量の入力欄（図示省略）が用意されている。この画面Ｖは買い手用画面で、取引日に用意された支払の選択項目Ｖ３には、売り手が入金を希望する場合は「入金」のみ入力できる。また条件提示用の入力欄Ｖ４，Ｖ５は売り手が入札者からの条件提示を条件としている場合に表示され、条件提示をする場合は、条件提示の選択項目Ｖ６で「する」を選択した後、入力欄Ｖ４，Ｖ５に提示できる条件（価格と商品引渡日の少なくとも一方）を入力する。そしてこの画面ＶでＯＫボタン６０を選択すると、競りデータＤ５がサーバ２１に送信され、競り管理ＤＢ２４に格納される。サーバ２１は端末３０Ｂから送信されてきた競りデータを基に落札候補を決める演算を逐次行う。なお、画面Ｕ，Ｖが入札画面に相当し、競りデータＤ５が入札情報に相当する。
【００７４】
次に、期日スライド式時間オークションの処理手順について、図２，図１１を用いて説明する。
まずＳ２１０においては、競りの応募があったか否かを判断し、応募があればＳ２２０で、新規に応募された競りデータを含む全ての競りデータＤ５を、期日スライド方式の時間条件を満たす優先順に配列する演算処理を行い、入札者を優先順に配列した優先リストを作成する。詳しくは制御部４２は、新規の競りデータを受信すると、商品管理データベース２３内の時間競りデータ記憶部４５Ａから時間条件データ（ここでは時間スライド方式の条件）を読込むとともに、競り管理データベース２４からこの商品コード番号に関する全ての競りデータを読込み、これらのデータを用いて時間競り演算部４３が各データ中の取引日を時間条件に照らし合わせて比較する演算を行い、優先順に入札者を配列した優先リストを作成する。そして時間条件を最も満たす取引日を提示した入札者を落札候補に選定する。なお、Ｓ２１０で入札者の端末３０に画面Ｕ，Ｖを表示させ、競りの応募を受けたときにサーバ２１が競りデータＤ５を受信する手順が入札手順に相当する。またＳ２１０〜Ｓ２８０で落札者を決める手順が落札手順に相当する。
【００７５】
依頼者（例えば売り手）は、自分の端末３０Ａで競り状況を画面で確認し、希望する取引日を提示する落札候補が現れれば、競り期間終了前であっても落札の指示をサーバ２１に送信する。また依頼者が競り状況を画面で確認しても競り入札者がいなかったり、希望する条件を提示する入札者がなかなか現れなかった場合は、競り期間終了前でも競り条件（期日（期間），価格など）を変更する。
【００７６】
Ｓ２３０において、依頼者から落札指示を受信した場合は、Ｓ２７０に進む。またＳ２４０において、依頼者の端末３０Ａから競り条件変更の指示を受信した場合は、競り条件記憶部４５に記憶する競り条件データを変更する。そして依頼者の端末３０Ａから落札指示がない限り、Ｓ２６０で競り期間の終了の判断をするまでＳ２１０〜Ｓ２６０の処理手順を繰り返し、入札者を募る。そしてＳ２６０において、競り期間の終了を確認すると、Ｓ２７０に進む。
【００７７】
Ｓ２７０では、落札候補数が落札枠人数を超過したか否かを判断する。落札候補数の超過であると判断したときは、Ｓ２８０で絞込処理を行う。
Ｓ２８０の絞込処理は、制御部４２が、商品管理ＤＢ２３内の絞込データ記憶部４５Ｂから絞込条件データを読込むとともに、競り管理ＤＢ２４からこの商品コード番号に関する全ての競りデータを読込み、これらのデータを用いて落札絞込演算部４４が演算を行い、落札候補の中から落札者を絞り込む。そしてＳ２９０において、落札結果を依頼者および落札者の各端末３０に通知する。その後の取引契約は依頼者と落札者の二者の間で取り交わされる。なお、Ｓ２１０〜Ｓ２９０の手順が落札手順に相当する。
【００７８】
次に、価格スライド設定型時間オークションの処理手順について、図２，図１２を用いて説明する。
図９と同じ形式の競り参加画面Ｖ（但し入力項目は一部異なる）で、入力欄Ｖ２，Ｖ４に希望する期間と価格の組合せを選択するなど、必要な提示内容を入力してＯＫボタン６０を選択すると、競りデータＤ５がサーバ２１に送信される。競りデータは競り管理ＤＢ２４に格納される。
【００７９】
まずＳ３１０においては、競りの応募があったか否かを判断し、応募があればＳ３２０で、新規に応募された競りデータを含む全ての競りデータを、各期間毎に落札優先順に配列する演算処理を行い、優先リストを作成する。詳しくは制御部４２は、新規の競りデータを受信すると、商品管理ＤＢ２３内の時間競りデータ記憶部４５Ａから時間競り条件データ（ここでは価格スライド設定型の条件）を読込むとともに、競り管理ＤＢ２４からこの商品コード番号に関する全ての競りデータを読込み、これらのデータを用いて時間競り演算部４３が各データ中に提示された取引日を比較演算し、各期間毎に入札者を優先順に配列する優先リストを作成する。そして時間条件を最も満たす取引日を提示した入札者を落札候補に選定する。但し、依頼者の指定した期間のみが時間条件である場合は、競り受け付けの早い順番で優先リストを作成する。この場合は入札者全員が落札することになる。なお、Ｓ３１０で入札者の端末３０に入札画面を表示させ、競りの応募を受けたときに競りデータＤ５をサーバ２１が受信する手順が入札手順に相当する。またＳ３１０〜Ｓ４００の手順も落札手順に相当する。
【００８０】
依頼者（例えば売り手であるメーカー等）は、自分の端末３０で競り状況を画面で確認し、予定数の落札候補数が確保されれば、競り期間終了前であっても落札の指示をサーバ２１に送信する。また依頼者が競り状況を画面で確認しても入札者が少なかった場合は、競り期間終了前でも競り条件（期間，価格）を変更する。
【００８１】
Ｓ３３０において、依頼者から落札指示を受信した場合は、Ｓ３７０に進む。またＳ３５０で依頼者から競り条件変更指示を受信した場合は、競り条件記憶部４５に記憶する競り条件データ（期間や価格）を変更する。そして依頼者から落札指示がない限り、Ｓ３６０で競り期間終了と判断するまで、Ｓ３１０〜Ｓ３６０の処理手順を繰り返し、入札者を募る。
【００８２】
そしてＳ３６０において、競り期間の終了を確認すると、Ｓ３７０で集計データを使って例えば商品の売れ行き予測の分析をする。そしてＳ３８０で落札候補数が落札枠人数より多い超過であるか否かを判断する。落札候補数の超過であると判断したときはＳ３９０に進む。
【００８３】
Ｓ３９０の絞込処理は、時間競り演算部４３が演算して作成した優先リストを基に上位から落札枠人数を落札者として絞り込む。そしてＳ４００において、落札結果を落札者の端末３０Ｂに通知するとともに、依頼者の端末３０Ａには落札結果および必要に応じて集計データやその分析結果を通知する。その後、依頼者と落札者の間で取引契約が取り交わされる。
【００８４】
また価格スライド設定型オークションのやり方として、売り手は段階的な期間のみを提示し、買い手が各期間から選んだ一つの期間と価格（買値）を提示する競り方式をとることもできる。さらに他のやり方として、売り手は段階的な価格のみを提示し、買い手が各価格から選んだ一つの価格と取引日を提示する競り方式をとることもできる。もちろん、買い手が価格スライド設定型時間オークションの依頼者になることもできる。
【００８５】
また、例えば図１３に示すように依頼者が落札を決める条件の要素の優先順位を設定する落札優先順位設定画面ＷＡを用意してもよい。設定画面ＷＡには複数の入力欄ＷＡ１〜ＷＡ４が用意されており、例えば図６の画面Ｒ，Ｓと共に用いる。依頼者は落札者を決めるうえで優先する要素の順位を登録しておき、例えば画面ＷＡでＯＫボタン６１を選択すると、サーバ２１へ優先条件データＤａが送信される。例えば入力欄ＷＡ１に「取引日」、入力欄ＷＡ２に「価格」を設定しておけば、取引日が最優先されてこのとき同じ取引日で複数人が競合したときに優先順位２番目以下の価格などの要素を基に絞込みが行われ、依頼者の希望する優先順位に応じた有利な取引相手が特定される。また例えば入力欄ＷＡ１に「価格」、入力欄ＷＡ２に「取引日」を設定した場合は、価格が最優先されてこのとき同じ価格で複数人が競合したときに優先順位２番目以下の取引日などの要素を基に絞込みが行われ、依頼者の希望する優先順位に応じた有利な取引相手が特定される。この場合も取引時期は考慮されるため、依頼者は取引日についても有利な条件を提示する取引相手を探すことができる。なお、優先順位に設定する要素としては、取引日や価格以外に数種の要素が用意されている。
【００８６】
また、サーバ２１が落札者を決定する方法に代えて以下のように取引相手を落札することもできる。例えばサーバ２１は、入札者から提示された情報をそのままリストにして、あるいは入札者から提示された情報を基に落札候補上位者を例えば依頼者が指定した一定人数以内に絞り込んだ優先リストにして、依頼者側の端末３０Ａに送信する。そして依頼者側の端末３０Ａには図１４に示すようなリスト画面ＸＡが表示される。この画面ＸＡにはリストＸＡ１、落札者選択用の入力欄ＸＡ２、ＯＫボタン６２が用意されている。リストＸＡ１には、優先順位番号、コード番号、取引日（入札者提示日）、入札者提示条件（価格，商品引渡日等）が示されている。
【００８７】
依頼者はこの画面ＸＡのリストＸＡ１の中から取引日などの提示条件を検討して自分にとって有利な落札者を決定し、入力欄ＸＡ２に例えば落札者の優先順位番号を入力し、ＯＫボタン６２を選択する。すると、サーバ２１は依頼者と落札者に落札の旨を通知をする。このように依頼者側の端末３０ＡでリストＸＡ１を見ることができれば、依頼者は入金提示日が同じであっても取引日以外の価格など他の要素で有利な条件を提示してくれる相手を選ぶことができ、また取引日が少し遅くても価格や商品引渡日の面で譲歩してくれる相手を選ぶことができる。なお、リスト画面ＸＡが閲覧画面に相当する。
【００８８】
従って、この第１の実施形態によれば以下の効果が得られる。
（１）依頼者が取引時期条件を提示して取引時期を競りの対象として商品や買い手を競り落とす時間オークションを採用したので、依頼者が商品引渡日や代金支払日などの取引時期について依頼者各人の事情に応じた希望にかなう取引相手を探し出すことができる。
【００８９】
（２）時間スライド方式を採用したので、依頼者にとってできるだけ有利な取引日を提示した入札者を取引相手とすることができる。また４種類の時間スライド方式を用意したので、期日に対して時間軸をスライドさせる方法を依頼者の事情に応じて４種類の中から選択できるので、依頼者にとって有利な取引日を提示した取引相手を探し出すことができる。
【００９０】
（３）価格スライド設定型を採用したので、期間と価格の組合せからみて希望にかなう取引相手を探し出すことができる。例えば発売日から時間が経過するにつれて人気が薄れて価値が下がる商品（書籍や音楽ＣＤ等）を、時期に応じた適切な価格で売買することができる。また企業が新製品の注文予約を募るために価格スライド設定型を利用すれば、発売日の予約の集中を分散し易く、また競り結果の集計データやその分析結果の提供を受けることで売れ行き予測ができ、これを生産計画の見直しに役立てられる。
【００９１】
（４）入札者側から条件を提示できるようにしたので、入札者が競合した場合でも、取引時期以外の価格などの他の要素を基に依頼者にとって有利な取引相手を絞り込むことができる。また入札者にとっても、他の入札者より有利に立てる条件を提示する機会が与えられることによって、欲しい商品や買い手を落札し易くできる。
【００９２】
次に、第１実施形態で使用した以下の語句の定義を説明する。
（１）　「取引時期」：取引の契約が取り交わされる時期に限らず、支払日、商品受け渡し日などのように実際に取引が行われる日を含む広い概念である。
【００９３】
（２）　取引時期の「時期」：年、月、週、日、時、分、秒の時間単位で特定される時期、また時間の幅をもつ期間を含む概念である。
（第２実施形態）
以下、本発明を具体化した第２実施形態を図１５〜図２３に従って説明する。
【００９４】
前記第１実施形態が競りの対象とする要素が取引時期である時間であったが、本実施形態は、位置、距離、時間を価格以外の要素として競りを行う。時間は取引時期ではなく所要時間である。所要時間は例えばタクシーが到着するまでの待ち時間が挙げられる。
【００９５】
位置オークションには、タクシーなど有料で送迎をしてくれる乗り物を手配するための業務用オークションが用意されている。例えばタクシー会社はこの位置オークションに利用者登録し、この位置オークションを通じて効率よく顧客の提供を受ける。また顧客も利用者登録をして位置オークションを利用する。
【００９６】
次に位置オークションについて具体的に説明する。
オークション管理システム（仲介管理サーバシステム）２０は、サーバ２１と、表示装置７０、キーボードやマウスなどからなる入力装置７１とを備え、サーバ２１は３つのデータベース２２，２３，２４と接続されている。サーバ２１はインターネットＮに接続されており、インターネットＮを通じて第三者の端末３０と通信可能に接続されている。例えば複数のタクシー会社のパーソナルコンピュータ（以下単にパソコンという）７２がインターネットＮに接続されており、サーバ２１と通信可能となっている。例えばサーバ２１による顧客提供サービスを受けられるのは、予め利用者登録を済ませたタクシー会社（個人タクシー含む）のみである。またインターネットＮには接続された顧客用端末３０はサーバ２１と通信可能となっている。顧客用端末３０にはパソコン７３の他にインターネット通信可能（例えばｉモード対応）な携帯電話７４が挙げられる。各タクシー会社のパソコン７２には送受信機７５が接続されており、その会社に所属する各タクシー７６に備えられた送受信機７７との間で無線通信が可能となっている。
【００９７】
図１７（ａ）に示すように、各タクシー７６には、ＧＰＳ衛星の電波利用による位置測定を行うＧＰＳ（全地球測位システム）７８が搭載されており、タクシー７６はＧＰＳ７８により自車の現在位置を正確に測定され、その位置情報は送受信機７７，７５間の無線通信を介してタクシー会社に送信されるようになっており、パソコン７２は自社に所属する全てのタクシー７６の現在位置を正確に認知する。また図１７（ｂ）に示すように、顧客が所有する携帯電話７４はＧＰＳ７９を内蔵する位置測定対応型のものとなっている。このため、携帯電話７４を持ち歩く顧客の現在位置は、携帯電話７４に内蔵されたＧＰＳ７９により必要時に逐次測定されるようになっている。
【００９８】
オークション仲介会社のサーバ２１は、オークション用の各種プログラムをメモリに記憶している。その中にオークション用プログラムがある。このプログラムは、顧客の位置情報を各タクシー会社にインターネットＮを通じて知らせ、その顧客を競り落とすオークションを行うもので、各タクシー会社は、自社のタクシー位置情報を提示してオークションに参加し、サーバ２１はタクシー位置情報を基に顧客に落札条件として最も近い距離にいるタクシー７６を割り出し、これに落札させるものである。
【００９９】
タクシー会社のパソコン７２は、自社に所属する各タクシー７６の現在位置および現在状況を、各タクシー７６からの情報を基に把握している。現在状況とは、自動車の状況（顧客乗車中，顧客まで移動中，洗車中，ガソリン不足，給油中等）、運転者の状況（休憩中，食事中等）、道路状況（工事中、渋滞中等）などで、たとえ近くにいても顧客までの到着時間が遅くなる要因については位置（距離）に加えて考慮する。状況情報は、各タクシー会社の管理人が無線通信で得た情報をパソコン７２に入力するか、または送受信機７５が受信したアナログデータをデジタル変換してパソコン７２に取り込む。但し、運転者の手を煩わさずに自動でパソコン７２に送信できるようにする方がよい。例えばタクシー７６に各種センサを取付けるなどして所定状況を検出してプログラム等を利用して自動的に状況データをパソコン７２に逐次送信する構成を採用する。状況自動検出方法の構成としては、例えばガソリン不足検出にはガソリン量検出センサ、顧客有無確認検出にはタクシーメータ作動検出センサや座席センサなどの各種センサを用いる。また運転手のスケジュール管理データを記憶しておき時計機能の時刻と照合させることで休憩時間か就業時間かを判別する仕組み（プログラム）を利用する。また道路に設置された交通量調査装置で検出した道路交通管理機関から提供される渋滞情報や工事情報を基に道路の混み具合などを把握する。
【０１００】
図１６は、オークション管理システム２０の機能構成図である。オークション管理システム２０は通信部８１、制御部８２、位置競り演算部８３および落札絞込演算部８４を備える。通信部８１、制御部８２、位置競り演算部８３および落札絞込演算部８４はサーバ２１により構成される。通信部８１は所定の通信手順（ＨＴＴＰ）で動く。また商品管理ＤＢ２３は競り条件記憶部８５を備え、競り条件記憶部８５には位置競りデータ記憶部８５Ａと絞込データ記憶部８５Ｂが用意されている。制御部８２および各演算部８３，８４は、位置オークションで落札者を特定するための演算制御などに使用され、この演算に各記憶部８５Ａ，８５Ｂに記憶された各種データが使用される。
【０１０１】
仲介会社のサーバ２１には、オークションホームページ（ＨＰ）（サイト）が置かれ、ネットワークＮを通じて利用者（顧客）は端末３０からブラウザソフトを用いて画面上に図１８に示すオークションＨＰを表示させて閲覧する。オークションＨＰには、前記第１実施形態では競りの対象が「時間」であった要素が「位置」に置き換わっただけで、図４に示す利用者登録画面Ｐ、図５に示す商品登録画面Ｑなど各種画面が同様にリンクされている。サーバ２１のハードディスクには、各種画面ＨＰ，Ｐ，Ｑ，Ｆ，Ｇ等の画面データ、画面の表示等に用いるプログラム（例えばＨＴＭＬ記述プログラム）やオークションの演算処理に用いるプログラムが記憶されている。
【０１０２】
図１８に示すようにオークションＨＰにはオークション用の商品・役務別に分類された多数の選択ボタン５１と、逆オークション用の商品別に分類された多数の選択ボタン５２が同様に用意されている。競りに参加を希望する者（入札者）は、希望する商品分類の選択ボタン５１，５２を選択する。ただし同図では商品役務分類は一部のみ示している。また利用者登録ボタン５３と商品登録ボタン５４が用意されており、各ボタン５３，５４を選択することで登録画面Ｐ（図４）と登録画面Ｑ（図５）がそれぞれ表示されて、各画面Ｐ，Ｑから入力したデータをサーバ２１に送信することで利用者登録や商品・役務登録がなされる。商品には情報提供も含まれる。位置オークション中には、タクシーなど有料で送迎する乗り物を提供する業者などが登録する業務用位置オークション（逆オークション）が用意されている。例えばタクシー会社はこの位置オークションに利用者登録し、この位置オークションを通じて顧客の提供を受ける。この実施形態では、タクシーを例にしているが、集配車など顧客の元に、または顧客の近くの所定場所に来てくれてサービスをする移動体（車両等）であれば何にでも適用できる。
【０１０３】
オークションＨＰには「タクシー」ボタン８８があるのでこれを顧客は選択する。そして次画面の図１９に示すタクシー手配画面Ｆで、必要事項を入力する。すなわち、画面Ｆには、顧客の乗車位置を指定するためのＧＰＳボタン９１、電話番号入力欄Ｆ１、文字入力欄Ｆ２が用意されている。また顧客特徴連絡、希望乗車時刻（何分以内等）、乗車人数、行先の入力欄Ｆ３〜Ｆ６、タクシーランク（大型・中型・小型車、料金ランク等）を指定するランクボタン９２、ＩＤ番号入力欄Ｆ７が用意されている。ここで、ＧＰＳボタン９１は、ＧＰＳ対応の携帯電話７４を使用するときは、予めＧＰＳ７９と対応付けさせておけば、このボタン９１を操作するだけでＧＰＳ位置データが登録されるものである。その他の位置を特定する方法として自宅や建物等の電話番号を入力することもできる。サーバ２１は電話番号から住所を特定するシステム（電話番号検索サービス会社）と接続されており、電話番号が分かれば位置が特定されるようになっている。また文字入力欄Ｆ２には、住所や地名、目印となる待ち合わせ場所などの文字情報を入力する。特徴連絡入力欄Ｆ３には、自分（顧客）の目印となる特徴を知らせる内容を記入する。なお、タクシー手配画面Ｆが依頼画面に相当する。
【０１０４】
これらの必要事項を入力後、送信ボタン９３を選択して送信すると、競り依頼情報としてのこれらの顧客情報データはインターネットＮを介してサーバ２１に送信される。サーバ２１は顧客情報を基にオークションプログラムを立ち上げて広くタクシー会社のパソコン７２に対し位置オークションへの参加を呼びかける。
【０１０５】
タクシー会社のパソコン７２は常時立ち上げられていて、新規のオークション情報を受信するとその旨を操作者（パソコン管理者）に音・表示等で知らせる。サーバ２１からはこのとき図２０に示すようなオークション参加画面Ｇが提供される。
【０１０６】
図２０に示すオークション参加画面Ｇには、顧客位置（乗車場所）、人数、ランク、行先、乗車時刻など顧客情報を提示する表示欄Ｇ１〜Ｇ５が用意されている。また地図表示欄Ｇ６が用意されており、この中には顧客のいる位置の周辺の地図（地図情報）が表示され、その地図上に顧客位置（乗車場所）（同地図上における黒丸）が表示され、顧客の詳細位置が地図上で視覚的に確認できるようになっている。この画面Ｇには、「タクシー位置」、「状況」を入力するための入力欄Ｇ７，Ｇ８が用意されている。オークションに参加するには顧客を極力待たせないために時間制限があり、残り時間を知らせる表示欄Ｇ９も用意されている。オークションに参加する場合は、時間制限内に入力欄Ｇ７，Ｇ８に必要データを入力して参加ボタン９４を選択する。なお、オークション参加画面Ｇが入札画面に相当する。
【０１０７】
タクシー会社のパソコン７２は、全てのタクシー７６の位置・状況を把握しており、これらのデータと顧客位置（または乗車位置）から最も短時間で顧客の元に到着できる最適なタクシー７６を割り出し、そのタクシーのタクシー位置，状況を入力欄Ｇ７，Ｇ８に入力してそのタクシーを顧客を落札するためのタクシーとして競りに参加する。状況とは例えば「直行可能」「○○給油所で給油時間３分」「休憩時間中で５分後出発可能」「顧客乗車中」などである。例えばこの種の状況を数値化した状況データをサーバ２１に送信し、サーバ２１がタクシー位置と状況データを基に最も顧客の元に早く到着できるタクシーを割り出してそのタクシーに顧客を落札させる方法を採る。もちろん、状況判断はタクシー会社が全て行い、状況が悪く到着までに（制限時間）が過ぎるものについては不参加の判断をし、参加可能なタクシーのうち最適なものをオークションに参加させる方法を採用することもできる。この場合、状況判断はタクシー会社の責任下で行い、顧客を待たせた場合はペナルティが科せられるようにしてもよい。この構成だと純粋に位置のみで競り合う位置オークションとなる。
【０１０８】
タクシー状況も全てサーバ２１が判断して顧客の元に最も早く到着できるタクシーを割り出す方法を採用することもできる。その方法としては、タクシー会社の管理人が予め決められた状況項目のうち該当する状況を文字情報で入力欄Ｇ８に入力してサーバ２１に知らせる方法が比較的現実的である。しかし、この方法だと人手がかかり非効率的であるので、各タクシー７６や各種施設から通信で得られる状況情報（自動車状況情報，運転者状況情報，道路状況情報）を基にパソコン７２が状況判断する構成とすることが効率面から望ましい。この場合、この種の状況を距離換算して現実の位置にその補正分の距離を加えた位置でオークションに参加する構成をとることもできる。なお、状況情報が時間変動要因情報に相当する。
【０１０９】
サーバ２１は、各タクシー会社のパソコン７２（あるいは個人タクシーの携帯情報端末（例えばモバイル，携帯電話））から受信した情報（入札情報）を用いて、これらの情報に所定の処理を施して、顧客の指定する場所に最も短時間に到着できるタクシー７６を特定する。サーバ２１は各タクシー会社の料金体系データを記憶しており、所要時間が所定範囲内でほぼ一致する場合は、料金が安く済む方を自動的に割り出してそちらに落札させる。
【０１１０】
最も短時間に顧客の元に到着できるタクシーの特定方法を次に説明する。
サーバ２１は、タクシー位置と顧客位置の各データを基に、地図上で２点間距離を割り出す。例えば図２１（ａ）に示すように、Ｙ地点でタクシー７６を待つ顧客に対し、Ｚ１，Ｚ２，Ｚ３，Ｚ４計４台のタクシー７６が入札に参加した場合、各タクシーＺ１，Ｚ２，Ｚ３，Ｚ４と顧客との間の距離ａ，ｂ，ｃ，ｄをそれぞれ演算する。この場合、直線距離を用いてもよいが、本実施形態では、より正確な距離を求めるために地図上の距離を使用する（但し、図２１では模式的に直線で示している）。純粋な位置オークションの場合は、この距離を比較し一番短いものに顧客を落札させる。
【０１１１】
位置以外の状況情報をも考慮する場合、サーバ２１は、位置から単純に決まる距離データに加え、一方通行などの交通情報や、交通調査機関からのデータを基に逐次取得した工事中情報・渋滞情報を考慮して、推定される所要時間を計算する。また、文字情報あるいは数値データなどからなる状況データに所要時間への換算処理を施し、その換算時間を先に求めた所要時間に反映させて推定所要時間を求める。
【０１１２】
図２１（ａ）は、タクシーの現在位置と顧客位置との距離から見る方法であったが、図２１（ｂ）はタクシーの予定移動経路の途中位置と顧客との距離を見る方法であり、これを移動中の位置オークションと呼ぶことにする。移動中の位置オークションについては後述する。
【０１１３】
サーバ２１は、競りに参加した複数台のタクシー７６のうち推定所要時間が最も短かったタクシー７６に顧客を落札させる。落札したタクシー７６が決まると、タクシー会社のパソコン７２（個人タクシーの場合は携帯電話等）に落札した旨と顧客の特徴（目印）などその他必要事項をインターネットＮ等を通じた通信により知らせる。落札の旨を受信したタクシー会社は、該当するタクシー７６にその旨を伝え、そのタクシー７６は顧客の指定した場所に急行する。
【０１１４】
次に位置オークションの手順フローを、図２２に基づいて以下に説明する。なお、手順フローはサーバ２１の処理手順を必ずしも示すものではなく、タクシー会社と仲介会社間のやり取りなど位置オークション全体の手順（流れ）を示すものである。
【０１１５】
Ｓ５１０では、顧客からの依頼があったか否かを判断する。顧客からの依頼が無ければ、依頼があるまで待機する。なお、Ｓ５１０で顧客の端末に依頼画面を表示させ、その顧客情報をサーバ２１が受信する手順が依頼手順に相当する。
【０１１６】
Ｓ５２０では、顧客位置を確認する。
Ｓ５３０では、インターネットを通じて顧客情報を配信する。
Ｓ５４０では、位置オークションに参加する。なお、Ｓ５３０で顧客の端末に入札画面を表示させ、Ｓ５４０で位置オークションに参加した入札者から入札情報をサーバ２１が受信する手順が入札手順に相当する。またＳ５４０〜５６０の手順が落札手順に相当する。
【０１１７】
Ｓ５５０では、所定時間が経過したか否かを判断する。つまり位置オークション参加締め切りまでの残り時間がなくなったか否かを判断する。
Ｓ５６０では、一番距離の近い位置を提示した者に落札させる。現在（競り参加時）のタクシー位置が位置データとして採用され、各タクシー位置と顧客位置間の距離が最も近いタクシーが顧客を落札する。また状況データが考慮されるときは、位置に加え状況が考慮されてその位置から顧客位置までの移動に要する推定所要時間が最も短いタクシーが顧客を落札する。
【０１１８】
Ｓ５７０では、落札したタクシーにその旨を知らせる。すなわちタクシー会社のパソコン７２に落札の旨を知らせ、パソコン７２を介して落札したタクシー７６に落札した旨の情報を提供する。落札の知らせを受けたタクシー７６は、パソコン７２から得た顧客位置情報等を基に顧客の指定する場所に急行する。よって、顧客は最も短時間でタクシー７６を呼ぶことができる。
【０１１９】
Ｓ５８０では、顧客にタクシーの情報を知らせる。つまり、顧客はどのタクシーが迎えに来るのか分からないので、タクシーを確認できる情報（タクシー会社やタクシー色等）を顧客に知らせる。
【０１２０】
以下、移動中の位置オークションについて説明する。
タクシーが目的地に向かう経路の途中で顧客を拾えたり、集配車が予定集配経路上で余分に集配荷を得ることができれば、効率よく顧客や集配荷を獲得でき、しかも顧客にとっては早くタクシーを捕まえることができ、また早く荷物を集配してもらうことができる。このようなことを目的として、車両（タクシー等）の移動経路の途中で最も近くの位置から乗車する顧客を競り落とす、あるいは顧客にとって最も近くを移動中の車両を競り落とすのが移動中の位置オークションである。この場合、顧客はタクシーを利用したい場所（乗車位置）・時刻を指定してタクシーを手配できればそれでよく、オークション時にタクシーは遠くにいても構わない。
【０１２１】
サーバ２１がメモリに記憶する移動中位置オークションのための各種プログラムは、基本的に位置オークションと同様であるが、画面Ｇ（図２０）にはその他に移動中の移動経路を特定するための情報の入力欄と、移動経路をどのような時刻に通るかの情報（例えばある時刻の位置データ）の入力欄とが余分にある。サーバ２１は移動経路データと移動時刻データとから、顧客が指定する場所・時刻に、どのタクシーが最も近い位置を通ることになるかを、位置オークションと同様の手法で特定し、最も近くを通ることになるタクシー（又は集配車）が顧客を落札することになる。逆に顧客が依頼者であれば最も近くを通るタクシー（又は集配車）を落札する。なおここでは、移動経路データと移動時刻データも被換算情報を構成する。
【０１２２】
詳しくは図２１（ｂ）に示すように、Ｚ１，Ｚ２，Ｚ３の３台のタクシー７６が同図に各々示す移動経路で移動する場合、それぞれ移動途中の各タクシー７６が時刻ｔに通る場所（位置）を算出し、その時刻ｔにおいて顧客のＹ地点から最も近くの場所を通るタクシー７６がその顧客を落札する。逆に顧客はその時刻に最も近くを通るタクシー７６を落札する。図２１（ｂ）の例では、時刻ｔにおける位置（同図中の点線位置）が最も顧客に近いタクシーＺ１が顧客を落札することになる（但し状況を考慮しない場合）。この場合も、単純に位置のみで判断する純粋な位置オークションとすることもできるし、本例のようにタクシー状況や交通状況等の状況判断をして推定所要時間を求めることもできる。
【０１２３】
次に移動中位置オークションの手順フローを、図２３に基づいて以下に説明する。なお、手順フローはサーバ２１の処理手順を必ずしも示すものではなく、位置オークション全体の手順（流れ）を示すものである。
【０１２４】
Ｓ６１０では、顧客からの依頼があったか否かを判断する。顧客からの依頼が無ければ、依頼があるまで待機する。なお、Ｓ６１０で顧客の端末に依頼画面を表示させ、その顧客情報をサーバ２１が受信する手順が依頼手順に相当する。
【０１２５】
Ｓ６２０では、顧客位置を確認する。
Ｓ６３０では、インターネットを通じて顧客情報を配信する。
Ｓ６４０では、位置オークションに参加する。なお、Ｓ６３０で顧客情報を配信して入札者の端末に入札画面を表示させ、Ｓ６４０で位置オークションに参加した入札者から入札情報をサーバ２１が受信する手順が入札手順に相当する。またＳ６４０〜６６０の手順が落札手順に相当する。
【０１２６】
Ｓ６５０では、所定時間が経過したか否かを判断する。つまり位置オークション参加締め切りまでの残り時間がなくなったか否かを判断する。
Ｓ６６０では、一番距離の近い位置を提示した者に落札させる。この際、移動経路から推定される乗車時刻ｔにおけるタクシー位置が位置データとして採用される。各タクシー位置と顧客位置間の距離が最も近いタクシーが顧客を落札する。また状況データが考慮されるときは、位置に加え状況が考慮されてその位置から顧客位置までの移動に要する推定所要時間が最も短いタクシーが顧客を落札する。
【０１２７】
Ｓ６７０では、落札したタクシーにその旨を知らせる。すなわちタクシー会社のパソコン７２に落札の旨を知らせ、パソコン７２を介して落札したタクシー７６に落札した旨の情報を提供する。落札の知らせを受けたタクシー７６は、パソコン７２から得た顧客位置情報等を基に顧客の指定する場所に急行する。よって、顧客は最も短時間でタクシー７６を呼ぶことができる。
【０１２８】
Ｓ６８０では、顧客にタクシーの情報を知らせる。つまり、顧客はどのタクシーが迎えに来るのか分からないので、タクシーを確認できる情報（タクシー会社やタクシー色等）を顧客に知らせる。
【０１２９】
従って、この第２実施形態によれば以下の効果が得られる。
（５）顧客はタクシ−を呼ぶときに最も早く来てくれるタクシーを依頼することができる。またタクシー会社にとっては顧客の最も近くにいるタクシーを効率よく配車することができる。
【０１３０】
（６）移動中位置オークションでは、タクシーや集配車などの車両の移動経路の途中に顧客がある場合にはその移動途中に顧客を拾うことができるので、効率よく顧客を獲得できる。しかも顧客にとっても待ち時間が少なくて済む。
【０１３１】
（第３実施形態）
以下、本発明を具体化した第３実施形態を図４，図１５〜図１７，図１９〜図２１，図２４〜図３１に従って説明する。本実施形態では、競りの対象が要素としての位置である点が前記各実施形態と異なっている。
【０１３２】
位置オークションを実施するオークションシステムは図１５に示す構成と基本的に同様である。位置オークションとは、依頼人が提示した位置の要望をネットワークを通じて第三者の端末に送信して広く入札を募り、応募のあった入札情報を基に位置で競りをし、依頼人の要望を最も満たす位置を提示した入札者が落札する競り方式である。依頼人の要望には、依頼人自らが提示する要望と、依頼人の依頼内容（依頼目的）から当然のこととして競り仲介業者が予め用意した要望とがある。
【０１３３】
位置オークションは、買い手と売り手など互いに取引相手となる双方を引き合わせる位置の競りであり、取引対象として商品及び役務（サービス）などあらゆるものを対象とする。位置オークションには、タクシーなど有料で送迎をしてくれる乗り物や、荷物等を取りに来てくれる集配車などを手配するための業務用のオークションが用意されている。例えばタクシー会社はこの位置オークションに利用者登録し、位置オークションを通じて効率良く顧客の提供を受ける。
【０１３４】
次に、位置オークションについて具体的に説明する。図１５は、顧客またはタクシー会社のうち一方が他方をネットワーク（本例ではインターネット）を介して所定の位置条件を最も満たす取引相手を選ぶための位置オークションシステムを示す。
【０１３５】
図１５に示すように、オークション管理システム（仲介管理サーバシステム）２０は、サーバ２１と、表示装置７０と、キーボードやマウス等からなる入力装置７１とを備え、サーバ２１は３つのデータベース２２，２３，２４と接続されている。サーバ２１は、インターネットＮに接続されており、インターネットＮを通じて第三者の端末３０と通信可能に接続されている。例えば、複数のタクシー会社のパーソナルコンピュータ（以下、単にパソコンという）７２がインターネットＮに接続されており、サーバ２１と通信可能となっている。例えば、サーバ２１による顧客提供サービスを受けられるのは、予め利用者登録を済ませたタクシー会社（個人タクシー含む）のみである。
【０１３６】
また、インターネットＮに接続された顧客用の端末３０は、サーバ２１と通信可能となっている。顧客用の端末３０には、パソコン７３の他にインターネット通信可能な携帯電話７４が挙げられる。各タクシー会社のパソコン７２には、送受信機７５が接続されており、その会社に所属する各タクシー７６が備える送受信機７７との間で無線通信が可能となっている。
【０１３７】
タクシー７６に搭載される送受信装置や、携帯電話７４の構造は図１７に示す構成とほぼ同様である。図１７（ａ）に示すように、各タクシー７６には、複数の衛星から送信される電波（信号）により位置測定を行うＧＰＳ（全地球側位システム）７８が搭載されており、タクシー７６はＧＰＳ７８により自車の現在位置を正確に測定し、その位置情報は送受信機７５，７７間の無線で各タクシー会社に送信されるようになっている。タクシー会社のパソコン７２は、ＧＰＳ７８から出力される位置情報を基に自社に所属するすべてのタクシー７６の現在位置を正確に認知する。また図１７（ｂ）に示すように、顧客が所有する携帯電話７４はＧＰＳ７９を内蔵する位置測定対応型のものとなっている。このため、携帯電話７４を持ち歩く顧客の現在位置は、携帯電話７４に内蔵されたＧＰＳ７９により必要時に逐次測定される。
【０１３８】
図１５に示すサーバ２１は、オークション用の各種プログラムをメモリに記憶している。その中にオークション用プログラムがある。このプログラムは、顧客の位置情報を各タクシー会社にインターネットＮを通じて知らせ、その顧客を競り落とすオークションを行うもので、各タクシー会社は、自社のタクシー位置情報を提示してオークションに参加し、サーバ２１はタクシー位置情報を基に顧客に最も近い位置にいるタクシー７６を割出し、これに落札させるものである。
【０１３９】
タクシー会社のパソコン７２は、自社に所属する各タクシー７６の現在位置および現在状況を、各タクシー７６からの情報等を基に把握している。現在状況とは、自動車の状況（顧客乗車中、顧客位置まで移動中、洗車中、ガソリン不足、給油中等）、運転者の状況（休憩中、食事中等）、道路状況（工事中、渋滞中、事故等）などで、たとえ近くにいても顧客までの到着時間が遅くなる要因については現在状況を加えて考慮する。
【０１４０】
自動車の状況や運転者の状況等のコンディション情報や、道路状況などの道路情報は、各タクシー会社の管理人が無線通信で得た情報をパソコン７２に入力するか、あるいは送受信機７５で受信したアナログデータをデジタル変換してパソコン７２に取り込む。但し、運転者の手を煩わさずに自動でパソコン７２に送信されるようにしている。例えば、タクシー７６に各種センサを取付けるなどして所定状況を検出し、その検出値を基にプログラム等を利用して自動的に状況データをパソコン７２に逐次送信する構成を採用する。なお、この例では被換算情報は、コンディション情報と道路情報により構成される。
【０１４１】
この自動車状況や運転者状況等のコンディション情報および道路情報を自動で検出する状況自動検出方法の構成としては、例えばガソリン不足検出にはガソリン量検出センサ、顧客有無確認検出にはタクシーメータ作動検出センサや座席（着座）センサ等の各種センサを用いる。また、運転手のスケジュール管理データを記憶しておき、時計機能の時刻と照合させることで休憩時間か就業時間かを判別する仕組み（プログラム）を利用してもよい。また、道路に設置された交通量調査装置で検出した道路交通管理機関から提供される渋滞情報や工事情報を基に道路状況を把握する。各タクシー７６からの位置・状況データはデジタルデータとしてタクシー会社のパソコン７２に取り込まれるようにする。また道路交通管理機関からの道路情報についてはサーバ２１が管理する構成としている。
【０１４２】
位置オークションに用いられるオークション管理システムは、図１６に示す構成とほぼ同様である。図１６に示すように、オークション管理システム２０は、通信部８１、制御部８２、位置競り演算部８３および落札絞込演算部８４とを備える。通信部８１、制御部８２、位置競り演算部８３および落札絞込演算部８４は、サーバ２１により構成される。通信部８１は所定の通信手順（ＨＴＴＰ）で動く。また、３つのデータベース２１〜２３のうち商品管理ＤＢ２３は競り条件記憶部８５を備え、競り条件記憶部８５には位置競りデータ記憶部８５Ａと絞込データ記憶部８５Ｂが用意されている。制御部８２および各演算部８３，８４は、位置オークションで落札者を特定するための演算制御等に使用され、この演算に各記憶部８５Ａ，８５Ｂに記憶された各種データが使用される。
【０１４３】
サーバ２１には、図２４に示す位置オークションホームページ（ＨＰ）が置かれ、インターネットＮを通じて利用者（顧客）は端末３０からブラウザソフトを用いて画面上に図２４に示す位置オークションＨＰを表示させて閲覧する。位置オークションＨＰには、前述した図４と同様の利用者登録画面Ｐ、同じく図１９と同様のタクシー手配画面Ｒ、図２０のオークション参加画面Ｇや、図２５に示す商品役務登録画面Ｈなど各種画面がリンクされている。サーバ２１のハードディスクには、各種画面Ｐ，Ｒ，Ｓ，Ｈ等の画面データ、画面の表示等に用いるプログラム（例えばＨＴＭＬ記述プログラム）、位置オークションの演算処理に用いるプログラムが記憶されている。
【０１４４】
位置オークションＨＰには、取引の対象となる商品・役務別に分類された多数の選択ボタン１００，１０１，１０２が用意されている。競りに参加を希望する者（入札者）は、希望する商品・役務分類の選択ボタン１００，１０１，１０２を選択する。またＨＰには、「利用者登録」ボタン１０３と、「依頼登録」ボタン１０４が用意されており、各ボタン１０３，１０４を選択することで登録画面Ｐ（図４）と登録画面Ｈ（図２５）がそれぞれ表示されて、各画面Ｐ，Ｈから入力したデータをサーバ２１に送信することで商品・役務登録がなされる。
【０１４５】
図４に示す利用者登録画面Ｐには、選択項目Ｐ１、各種入力欄Ｐ２の他に、個人用あるいは業務用を選択する選択項目が用意されており、例えばタクシー７６を依頼する依頼者は個人用の選択項目を選択し、タクシー会社は業務用の選択項目を選択してから他の登録を行う。また利用者登録画面Ｐには、クレジットカード番号などを入力するための入力欄も用意されている。
【０１４６】
利用者が利用者登録画面Ｐでこれら全ての項目に必要事項を入力してＯＫボタン５５を選択すると、これら項目および項目Ｐ１、入力欄Ｐ２に入力された情報からなる利用者登録データＤ１は、ネットワークＮを通じてサーバ２１に送信され、３つのデータベース２１〜２３のうち顧客管理ＤＢ２１に格納される。サーバ２１は所定の手数料（登録料）の納付を確認すると、登録者の端末へ認証番号（ＩＤとパスワード）を送信する。登録者は、位置オークションを利用するときにはこの認証番号を使用する。
【０１４７】
図２５に示すように、商品役務登録画面Ｈには、商品・役務分類、商品・役務名、希望価格、数量、品質、サービス内容、保管・提供場所（位置）、商品役務情報等の各種入力欄Ｈ１〜Ｈ８が用意されている。利用者が端末３０に表示された商品役務登録画面Ｈでこれら全ての項目に必要事項を入力して送信ボタン１０５を選択すると、各種入力欄Ｈ１〜Ｈ８に入力された情報からなる入札情報としての商品役務登録データＤ８は、インターネットＮを通じてサーバ２１に送信され、競り管理ＤＢ２４に格納される。例えばガソリン、古品、食品等の商品の場合、予約入札を受け付けて予め登録される商品登録時の商品役務登録データＤ８を入札情報としてオークションが行われる場合もある。このとき、商品役務登録画面Ｈが入札画面に相当する。
【０１４８】
図２４に示す位置オークションＨＰには、「直接取引」ボタン１０６と「情報取引」ボタン１０７が用意されている。直接取引ボタン１０６は、商品・役務、あるいは商品・役務の買い手を直接オークションで選ぶときに使用するもので、例えばタクシーや集配車による役務（乗車サービス、集配サービス等）や商品などを直接的に競り落とす取引に用いられる。また情報取引ボタン１０７は、商品や役務またはその提供者（製造会社，サービス会社等）についての有益な情報を入手したいときに使用されるもので、例えば第三者から情報の提供のみを受ける場合に選択される。
【０１４９】
位置オークションに参加を希望する者は、直接取引ボタン１０６か情報取引ボタン１０７かのうち一方を選択後、希望する商品または役務（例えばタクシーや集配業等）のうち参加を希望する選択ボタン１００〜１０２を選択する。選択ボタン１０２は「情報取引」にのみ有効なものである。またＨＰには、依頼者が商品・役務を競り落とす通常オークションか、依頼者が商品・役務の買い手を競り落とす逆オークションかを選択する選択項目１０８が用意されている。例えばタクシーや集配車を手配することを希望する顧客は「オークション」を選択し、タクシー会社や集配会社は顧客を確保するための「逆オークション」を選択する。そしてこのＨＰで全ての選択を実行した後、「確定」ボタン１３０が選択される。
【０１５０】
なお、顧客の元に、または顧客の近くの所定場所に来てくれるサービスをする移動体は、タクシーや集配車などの車両に限定されず、ヘリコプターや飛行機など何であってもよい。
【０１５１】
以下、位置オークションについて、ＨＰで「タクシー」のボタン１０１を選択した場合を例にし、オークションのために用意された画面や処理手順などについて説明する。例えば依頼者（顧客）は、「タクシー」のボタン１０１を選択し、図１９に示すタクシー手配画面Ｆを端末３０の画面に表示して、この画面Ｆに必要事項を入力する。即ち、画面Ｆには、顧客の乗車位置を指定するためのＧＰＳボタン９１、電話番号入力欄Ｆ１、文字入力欄Ｆ２が用意されている。また、顧客特徴連絡、希望乗車時刻（何分以内等可）、乗車人数、行先の入力欄Ｆ３〜Ｆ６、タクシーランク（大型・中型・小型車、料金ランク等）を指定するランクボタン９２、ＩＤ番号入力欄Ｆ７も用意されている。なお、タクシー手配画面Ｆが依頼画面に相当する。
【０１５２】
また、画面Ｆには、顧客がタクシーに希望する位置についての範囲や位置条件を指定するための図２６に示す設定枠１０９も用意されている。この設定枠１０９には、「範囲なし」ボタン１１０と「範囲あり」ボタン１１１が用意されており、乗車位置から希望する範囲内にいるタクシーに限定したい場合は、「範囲あり」ボタン１１１を選択する。各ボタン１１０，１１１の直下には、それぞれ「最も近い」または「最も遠い」を選択する各選択項目１１２が用意されている。そして「最も近い」を選択すると乗車位置に対して最も近いタクシーが落札され、一方、「最も遠い」を選択すると最も遠いタクシーが落札される。顧客がタクシーを呼ぶときには待ち時間が少ない方がよく「最も近い」を選択するのが当然であるので、その役務の特性から位置条件が当然に限られる場合は、選択項目１１２を廃止してもよい。なお、ここでは顧客が指定する乗車位置が希望値に相当する。
【０１５３】
顧客が自分の位置や乗車位置を知らせるために、例えばＧＰＳ対応の携帯電話７４を使用するとき、画面ＦのＧＰＳボタン９１が予めＧＰＳと対応付けされていれば、このボタン９１を操作するだけでＧＰＳ位置データが登録（入力）されサーバ２１に送信される。その他の位置を特定する方法としては、電話番号入力欄Ｆ１に自宅や建物等の電話番号を入力することも可能である。例えばサーバ２１は、電話番号から住所を特定するシステム（電話番号検索サービス会社）と接続されており、電話番号から顧客の位置を特定することも可能である。また、文字入力欄Ｆ２には、住所や地名、目印となる待ち合わせ場所などの文字情報が入力される。特徴連絡入力欄Ｆ３には、自分（顧客）の目印となる特徴を知らせる内容が記入される。
【０１５４】
ここで、顧客側の希望で設定される範囲の有無や位置条件に応じて図２７に示す５種類の競り方式（競り条件（落札優先規則））が決まるようになっている。この５種類の競り方式について図２７に従って以下に説明する。但し、依頼者にとって便利な競り方式を広く用意しており、タクシー依頼の例で説明はするものの、中にはタクシー依頼に適さないものがあることを断っておく。
【０１５５】
まず同図（ａ）は「範囲なし」かつ「最も近い」を設定した場合で、依頼主（顧客）が指定した乗車位置に対してできるだけ近い位置を提示した者（入札者）ほど落札者として優先される優先規則である。ここでは入札者Ａ，Ｂ，Ｃのうち最も近い位置を提示したＣが落札する。また、同図（ｂ）は「範囲なし」かつ「最も遠い」を設定した場合で、乗車位置に対してできるだけ遠い位置を提示した者（入札者）ほど落札者として優先される優先規則である。ここでは入札者Ａ，Ｂ，Ｃのうち最も遠い位置を提示したＣが落札する。
【０１５６】
また、同図（ｃ）は「範囲あり」かつ「最も近い」を設定した場合で、顧客が指定したある範囲内において、できるだけ近い位置を提示した者ほど落札者として優先される優先規則である。ここでは入札者Ａ，Ｂ，Ｃのうち所定範囲内で最も近い位置を提示したＣが落札する。また、同図（ｄ）は「範囲あり」かつ「最も遠い」を設定した場合で、依頼主が指定したある範囲内において、できるだけ遠い位置を提示した者ほど落札者として優先される優先規則である。ここでは入札者Ａ，Ｂ，Ｃのうち所定範囲内で最も遠い位置を提示したＣが落札する。また、同図（ｅ）は、指定された乗車位置に対し小さい方からか大きい方からかに拘わらず、とにかく近いほど落札者として優先される優先規則である。ここでは入札者Ａ，Ｂ，Ｃ，Ｄのうち最も近い位置を提示したＤが落札する。
【０１５７】
なお、図２７（ａ）〜（ｄ）の競り方式の場合、落札者（各図に示す入札者Ｃ，Ｄ）が競合したときには、後述する所定のルールを基に落札者を絞り込むようになっている。本例では、顧客は図２６に示す設定枠１０９の「範囲なし」ボタン１１０を選択し、かつ項目１１２で「最も近い」を選択したとし、顧客の乗車位置から最も近くに位置するタクシー７６を選ぶことにする。
【０１５８】
タクシー手配画面Ｆで必要事項を入力後、送信ボタン９３を選択して送信すると、その必要事項をデータ内容とする競り依頼情報としての競り情報データＤ９が、インターネットＮを介してサーバ２１に送信される。また、オークション管理システム２０に備え付けられた入力装置７１を利用して、電話８０（図１５参照）から受け取ったタクシー手配の諸条件を手入力することもできる。サーバ２１が受信した競り情報データＤ９は商品管理ＤＢ２３に格納される。すなわち競り情報データＤ９のうち顧客側が指定した乗車位置などの基準位置データ及び位置条件データ（範囲，位置条件等）等が位置競りデータ記憶部８５Ａに記憶される。
【０１５９】
また、位置条件を最も満たすタクシーが複数台競合して１台に絞り切れない場合があるので、顧客にとってサービス面等で有利なタクシーが最終的に落札されるような絞り込み条件データが絞込データ記憶部８５Ｂに予め記憶されている。この例では、顧客の乗車位置とタクシーとの間の距離が一定の許容範囲（この範囲を顧客が設定することも可能）内で一致して複数台のタクシーが競合すれば、絞込み条件を加えて１台のタクシーに絞り込む設定としている。サーバ２１は、データベース２２に各タクシー会社の料金体系やサービスに関する各種データを記憶しており、乗車位置までの距離が許容範囲内で一致する場合は、データベース２３から絞込条件を読出してサービスがよく料金が安く済むその絞込条件に適ったタクシーを自動的に割出してそちらに落札させる。
【０１６０】
サーバ２１は、稼動中は常にオークションプログラムを実行しており、依頼者から受信した競り情報データＤ９を基にそのうちの必要事項をインターネットＮを通じて広くタクシー会社のパソコン７２に提示して位置オークションへの参加を呼びかける。一方、タクシー会社のパソコン７２は、常時、立ち上げられていて、新規のオークション情報を受信すると、その旨を操作者（パソコン管理者）に音や表示等で知らせる。このときパソコン７２には、サーバ２１から提供された図２０と同様のオークション参加画面Ｇが表示される。なお、このオークション参加画面Ｇが入札画面に相当する。
【０１６１】
図２０に示すオークション参加画面Ｇには、希望値（基準位置）としての顧客位置（乗車位置）、人数、ランク、行先、乗車時刻など顧客情報を提示する表示欄Ｇ１〜Ｇ５が用意されている。また地図表示欄Ｇ６が用意されており、この中には顧客のいる位置の周辺の地図が表示され、その地図上に顧客位置（乗車位置）（同地図上における黒丸）が表示され、顧客の詳細位置が地図上で視覚的に確認可能となっている。この画面Ｇには、「タクシー位置」、「状況」を入力するための入力欄Ｇ７，Ｇ８が用意されている。またオークション参加時に、顧客を極力待たせないようにするために時間制限があり、残り時間を知らせる時間表示欄Ｇ９も用意されている。オークションに参加するタクシー会社（オークション参加者）は、時間制限内に入力欄Ｇ７，Ｇ８に必要データを入力して、参加ボタン９４を選択する。参加ボタン９４を選択することによって、この画面Ｇで入力された情報からなる入札情報としての入札データＤ１０はサーバ２１に送信される。この入札データＤ１０はデータベース２４に格納される。
【０１６２】
タクシー会社のパソコン７２は、全てのタクシー７６の位置・状況を把握しており、これらのデータと顧客位置（乗車位置）からこのタクシー会社内で最も近くに位置するタクシー７６を割出し、そのタクシー７６の所在位置、状況を入力欄Ｇ７，Ｇ８に入力してそのタクシー７６を顧客を落札するためのタクシー７６として競りに参加する。状況とは、先に述べた自動車の状況（顧客乗車中、顧客位置まで移動中、洗車中、ガソリン不足、給油中等）、運転者の状況（休憩中、食事中等）などで、たとえ近くにいても顧客までの到着時間が遅くなる場合はその事情を説明する状況を知らせる。この状況は文字入力することも可能ではあるが、この例では、オークション処理の迅速化を図るため、予め各種状況毎にコードが付してあり、タクシー会社がコードデータを入力欄Ｇ８に入力するようにしている。コードデータには状況種類とそのための所要時間が例えば分単位で示される。
【０１６３】
この実施形態では、運転者やタクシー会社管理人の手を煩わさずに自動でパソコン７２に状況データが取り込まれる自動化が図られている。各タクシー会社のパソコン７２は、各タクシー７６から無線通信で送受信機７５，７７を介して得たデジタル変換後の状況データを取り込む。タクシー７６に取り付けられた各種センサ等を使って検出された状況データはプログラム等を利用して位置データと共に自動的にパソコン７２に逐次送信される。パソコン７２は、各タクシー７６から取得した位置・状況データから最適なタクシー７６を割り出し、管理人はパソコン７２の画面で例えば最適順に配列されたリストを見て位置オークションに参加させるタクシー７６を決める。この場合、リスト上でタクシーを選択するとその位置・状況データが各入力欄Ｆ７，Ｆ８に自動入力されるようにしてもよい。
【０１６４】
またパソコン７２により割り出された最適なタクシー７６が自動で入力欄Ｆ７，Ｆ８に登録される方法を採用してもよい。この場合、入力欄Ｆ８にはコードに対応する状況内容を示す文字情報が表示され、管理人が状況を確認し易いようにし、サーバ２１にはコードデータが送信される方法を採用してもよい。もちろん状況データは各タクシー会社の管理人が無線通信で各タクシーから得た情報をパソコン７２に手入力する方法を採っても構わない。またサーバ２１に状況データが文字情報（テキストデータ等）で提示されてもよい。
【０１６５】
またこの例では、タクシー会社に求める状況データは、タクシー会社にしか把握できない自動車状況や運転者状況に留め、道路状況（工事中、渋滞中、事故等）についてはサーバ２１側で把握するようにしている。サーバ２１は、道路交通管理機関からの道路情報を逐次受信して管理しており、入札情報の中のタクシー位置から顧客の乗車位置までの経路における交通量や工事情報を把握する。
【０１６６】
またサーバ２１は、状況データをその状況の解消に要する所要時間に換算し、その状況の解消に要する所要時間を距離に換算した補正距離をタクシーの現実の位置に反映させてタクシー位置を補正する。すなわち、状況が原因で遅れる所要時間分を距離に換算した補正分の距離だけ現実の位置から遠ざけた位置をそのタクシーがオークションに参加する際の位置として計算し直す。サーバ２１は、状況を考慮した各タクシーの位置データを基にタクシー位置と乗車位置との間の地図経路上の距離を計算する。
【０１６７】
そして、サーバ２１は、各タクシー会社のパソコン７２（または個人タクシーの携帯情報端末（例えばモバイル、携帯電話等））から受信した入札データを用いて、これらの入札データに含まれる位置と状況を考慮し、顧客の乗車位置から最も近くに位置するタクシー７６を特定する。なお、参加画面Ｇの入力欄Ｇ７，Ｇ８に入力される入力データが位置（要素）に換算される位置換算情報に相当する。
【０１６８】
顧客の乗車位置から最も近くに位置するタクシー７６の特定方法を以下に説明する。サーバ２１は、タクシー７６の所在位置（状況考慮後の位置）と顧客の乗車位置の各データを基に、地図上で二点間距離を割出す。例えば図２１（ａ）に示すように、Ｙ地点でタクシー７６を待つ顧客に対し、Ｚ１，Ｚ２，Ｚ３，Ｚ４の計４台のタクシー７６が入札に参加した場合、各タクシーＺ１，Ｚ２，Ｚ３，Ｚ４と顧客との間の距離ａ，ｂ，ｃ，ｄをそれぞれ演算する。この場合、本例ではより正確な距離を求めるために地図上の距離を利用するが、直線距離を用いていも構わない。但し、図２１（ａ）では模式的に直線で図示している。そして、位置オークションでは、この距離を比較して最も距離の短いものに顧客を落札させる。乗車位置までの距離が一定の許容範囲内で一致して複数台のタクシーが競合する場合は、サーバ２１は、各タクシー会社の料金体系やサービス面を考慮する絞込条件の下で１台のタクシーに絞り込み、サービスがよく料金が安く済む１台が自動的に割出されてそちらに落札される。
【０１６９】
サーバ２１は、顧客の乗車位置に最も近い位置にあるタクシー７６が顧客を落札すると、そのタクシー会社のパソコン７２に落札した旨と顧客の特徴（目印）などその他必要時効をインターネットＮ等を通じた通信により知らせる。落札の旨を受信したタクシー会社は、該当するタクシーにその旨を伝え、そのタクシーは顧客の指定した場所に急行する顧客には、インターネットＮを通じて、急行するタクシーの会社名や、到着時間等を知らせる。
【０１７０】
また、タクシー会社が依頼人となって位置オークションに顧客募集の依頼をし、顧客側が入札する通常のオークションをすることもできる。つまり利用者登録を済ませたタクシー会社が、空車であるタクシー７６の所在位置から最も近くにいる顧客を位置オークションで選ぶ。またタクシー会社が、最も遠い行先まで乗車する顧客を位置オークションで選ぶこともできる。この場合は、図１９の画面Ｆに相当する業者側の依頼手続画面があって、その画面で位置条件として「最も遠い」を選択する。
【０１７１】
オークションの結果は、落札者一人だけの情報が依頼者に送信されるのが基本であるが、依頼者の希望によって複数人の候補者に絞り込んで提示することも可能であり、それが図２８に示すリスト画面ＸＢである。すなわちサーバ２１は、入札者から提示された情報をそのままリストにして、あるいは入札者から提示された情報を基に落札候補上位者を例えば依頼者が指定した一定人数以内に絞り込んだ優先リストにして、依頼者側の端末３０に送信する。そして依頼者側の端末３０には、図２８に示すリスト画面ＸＢが表示される。この画面ＸＢには、リストＸＢ１、落札者選択用の入力欄ＸＢ２、確定ボタン１１３が用意されている。
【０１７２】
リストＸＢ１には、優先順位番号、コード番号、位置、参考情報（入札者提示情報（料金体系（価格）、サービス（付帯品等）が示されている。依頼者はこの画面ＸＢのリストＸＢ１の中からタクシーの位置や参考情報を検討して自分にとって有利なタクシーを落札し、入力欄ＸＢ２に例えば落札したタクシーの優先順位番号（又はコード番号）を入力し、確定ボタン１１３を選択する。すると、サーバ２１は依頼者と落札者に落札の旨を通知する。このように依頼者側の端末３０でリストＸＢ１を見ることができれば、依頼者は位置が許容範囲内で同じであっても位置以外の料金体系やサービスなど他の参考条件で有利なタクシーを選ぶことができ、また位置が少し遠くても料金体系やサービス面で有利なタクシーを選ぶことができる。
【０１７３】
次に、位置オークションのフローを図３１に従って説明する。なお、同図の手順フローはサーバ２１の処理手順を必ずしも示すものではなく、タクシー会社と仲介会社間のやり取りなど位置オークション全体の手順（流れ）を示すものである。
【０１７４】
まずステップ（以下、単にＳと記す）７０１では、顧客乗車位置を入力する。Ｓ７０２では、顧客の乗車位置に対する位置条件を入力する。なおＳ７０１，Ｓ７０２において、顧客の端末に依頼画面を表示させ、その画面に入力されたデータをサーバ２１が受信する手順が依頼手順に相当する。
【０１７５】
Ｓ７０３では、顧客依頼があったか否かを判断する。依頼があればＳ７０４に進む。
Ｓ７０４では、位置オークションが開始される。つまり、各端末３０に顧客の位置データ等のデータを配信する。
【０１７６】
Ｓ７０５では、タクシー位置を入力する。
Ｓ７０６では、コンディション情報を入力する。つまり、顧客乗車中、洗車中、ガソリン不足、給油中などの自動車状況や、休憩中、食事中などの運転者状況を入力する。なお、Ｓ７０４でオークションを開始して顧客側の端末に依頼画面を表示させ、Ｓ７０５，Ｓ７０６で入力されたデータをサーバ２１が受信する手順が入札手順に相当する。
【０１７７】
Ｓ７０７では、位置オークションの応募があったか否かを判断する。すなわち入札者からの入札の有無を判断する。入札が無ければ待機し、入札があればＳ７０８に進む。なお、以下に示すＳ７０７〜Ｓ７１５の手順が落札手順に相当する。
【０１７８】
Ｓ７０８では、道路情報を入力する。つまり、道路交通管理機関から道路情報（渋滞中、工事中、事故等の情報）を入力する。なお、このＳ７０８の道路情報の入力は、依頼手順としてタクシー会社のパソコン７２から入力してもよい。
【０１７９】
Ｓ７０９では、位置補正処理を実行する。つまり状況データを基に、各状況の解消に要する所要時間を距離に換算することによってタクシー位置を補正する。Ｓ７１０では、位置で競り処理を実行する。つまり、Ｓ７０２で入力された乗車位置条件（図２７の優先規則）に従って、取引相手としての優先順を入札者の間で決める。
【０１８０】
Ｓ７１１では、時間制限が満了したか否かを判断する。時間制限内であればＳ７０７に戻り、時間制限が満了するまでＳ７０７〜Ｓ７１０の処理を繰り返して新規入札者がある度に競り処理を行う。時間制限が満了すればＳ７１２に進む。
【０１８１】
Ｓ７１２では、落札自己選択が設定されているか否かを判断する。落札自己選択の設定がなされていなければＳ７１３に進み、落札自己選択の設定がなされていればＳ７１４に進む。
【０１８２】
Ｓ７１３では、絞込処理が行われる。つまり、利用者（依頼主）にとって最も希望に沿う価格を提示した入札者が取引相手として落札される。
一方、Ｓ７１２において落札自己選択の設定がなされていると判断されれば、Ｓ７１４で所定人数分の入札情報をリストにした図２８に示すリスト画面Ｌを表示する。利用者は端末３０の画面でパスワードを入力した後に画面表示を選択するとリスト画面ＸＢを見ることができる。リスト画面ＸＢには位置の優先順に候補者（コード番号表示）がリストアップされており、入札者が提示した他の情報を参考にしながら取引相手を決める。取引相手が決まると、落札者選択入力欄ＸＢ２に該当するコード番号を入力した後、確定ボタン１１３を選択する。利用者が選択した落札者情報はインターネットＮを通じてサーバ２１に送信される。
【０１８３】
Ｓ７１５では、落札者が決定したか否かを判断する。落札者が決定されるまではリスト表示（Ｓ７１４）が継続され、落札者が決定されればＳ７１６に進む。
Ｓ７１６では、取引成約の旨を双方に通知する。
【０１８４】
次に、移動体（タクシー）が移動中の位置オークションについて説明する。
タクシーが目的地に向かう経路の途中で顧客を拾えたり、集配車が予定集配経路上で余分に集配荷を得ることができれば、顧客や集配荷を確保する効率が良くなり、しかも顧客にとっては短時間でタクシーが確保可能となる。この目的を為し得るために、顧客にとって最も近くを移動中の車両を競り落とす形式（図２１（ｂ））、あるいは車両（タクシー等）の移動経路の途中で最も近くの位置から乗車する顧客を競り落とす形式（図２９）のものが移動中の位置オークションである。この移動中位置オークションでは、顧客はタクシーを利用したい場所（乗車位置）・時刻を指定してタクシーを手配できればよく、オークション時にタクシーは遠くにいても構わない。
【０１８５】
ここで、移動中のタクシー７６が移動経路途中で最も近くから乗車する顧客を競り落とす図２９に示す形式の場合について説明する。サーバ２１がメモリに記憶する移動中位置オークションのための各種プログラムは、基本的に位置オークションと同様であるが、移動中位置オークションでは顧客手配画面Ｍは図３０に示すものが表示される。ここでは顧客からタクシー乗車の予約入札がなされているものとする。
【０１８６】
この顧客手配画面Ｍには、希望値（基準位置）としての顧客位置（乗車位置）、人数、ランク、行先、乗車時刻など顧客情報を提示する表示欄Ｍ１〜Ｍ５が用意されている。また地図表示欄Ｍ６も用意されており、この中には顧客のいる位置の周辺の地図が表示され、その地図上に顧客位置（乗車位置）（同地図上における黒丸）が表示され、顧客の詳細位置が地図上で視覚的に確認可能となっている。この画面Ｍには、「タクシー位置」、「状況」を入力するための入力欄Ｍ７，Ｍ８が用意されている。またオークション参加時に、顧客を極力待たせないようにするために時間制限があり、残り時間を知らせる時間表示欄Ｍ９も用意されている。なお、顧客手配画面Ｍが依頼画面に相当する。
【０１８７】
また画面Ｍには、その他に移動中の移動経路を特定するための情報の入力欄Ｍ１０と、移動経路をどのような時刻に通るのかの情報（例えばある時刻の位置データ）の入力欄Ｍ１１とが用意されている。オークションに参加するタクシー会社（オークション参加者）は、時間制限内にこの画面Ｍ上で必要データを入力して、参加ボタン１１４を選択する。するとこの画面Ｍで入力されたデータ内容からなる競り依頼情報としての競りデータＤｂがサーバ２１に送信される。
【０１８８】
サーバ２１は、顧客の乗車位置データ、タクシー７６の移動経路をデータ化した移動経路データ、時刻位置データとから、顧客が指定する場所・時刻に、どのタクシー７６が最も近い位置を通るかを、位置オークションと同様の手法で特定する。そして、タクシー会社が顧客を落札する場合は、所定時間後に最も近くに位置する顧客をタクシー（または集配車等）が落札する。一方、顧客がタクシーを落札する場合は、所定時間後に最も近くを通るタクシーを顧客が落札する。なお、移動中の移動経路を特定するための情報や、移動経路をどのような時刻に通るのかの情報も被換算情報を構成する。
【０１８９】
詳しくはタクシー７６が顧客を落札する場合、その特定方法は以下の通りである。図２９に示すように、Ｚ５，Ｚ６，Ｚ７，Ｚ８の４点に顧客がいるとし、タクシー７６が同図に示す経路を通るとする。このとき、タクシー７６はその時刻ｔのときのＹ地点に最も近くに位置する顧客を落札する。この時刻ｔの値は、タクシー会社側または顧客側に拘わらず任意に設定できるものとする。
【０１９０】
また、顧客がタクシー７６を落札する場合は、以下の通りである。図２１（ｂ）に示すように、Ｚ１，Ｚ２，Ｚ３の３台のタクシー７６が同図に示す各経路を各々移動する場合、それぞれ移動中の各タクシー７６が時刻ｔに通る位置（同図中の破線位置）を算出し、その時刻ｔにおいて顧客のＹ地点から最も近くの場所を通るタクシー７６をその顧客が落札する。図２９または図２１（ｂ）に示す例では、時刻ｔにおいて、顧客およびタクシー７６のうち一方が他方に対して最も近いものがその他方を落札することになる。ここで、時刻ｔにおけるタクシー位置は、タクシー７６の状況などを考慮した補正後の位置である。よってこの場合も、交通状況やタクシー状況などの状況を距離に換算することで補正したタクシー位置で競りをする。なお、単純に顧客との位置のみで比較判断する純粋な位置オークションとしてもよい。
【０１９１】
この移動中位置オークションの手順フローは、基本的に図３１に示す位置オークションのフローとほぼ同様である。但し、タクシー位置は時刻ｔのときの位置を採用するため、移動中の移動経路を特定するための情報や、移動経路上のある点をどの時刻に通るかの情報を基に時刻ｔのときのタクシー位置を求めて、その位置でオークションを行う点が異なっている。つまり、タクシーが顧客を落札する場合は、Ｓ７０４で位置オークションを開始する前に予約入札を募るとともに、タクシー位置や、コンディション情報、移動中の移動経路を特定するための情報、移動経路上のある点（例えば始点）をどのような時刻に通るかの情報などを入力し、各データを基にして時刻ｔのときのタクシー位置を求める。そして、それ以降のステップで入札者である顧客の情報を基に競りを行って落札者を決定する。
【０１９２】
一方、顧客がタクシーを落札する場合は、例えば図３１のＳ７０６でタクシー移動中の移動経路の情報や、移動経路をどの時刻に通るかの情報等も入力する。そして移動経路から推定される時刻ｔにおけるタクシー位置補正後の位置が位置データとして採用される。そしてＳ７１０の競り処理で、競りに参加した複数のタクシー７６の間で顧客の最も近くを通る順に優先順位が決まる。よって、位置に加え状況も考慮されてその補正後の位置から顧客位置まで最も近いタクシー７６を顧客が落札する。
【０１９３】
従って、第３実施形態によれば以下の効果を得ることができる。
（７）依頼者が取引位置条件を提示して、取引位置を競りの対象として取引相手を競り落とす位置オークションを採用したので、依頼者が取引位置について依頼者各人の事情に応じた希望にかなう取引相手を探し出すことができる。
【０１９４】
（８）依頼者が取引位置条件を提示して、移動体（タクシー等）の移動距離を考慮にいれた取引位置を競りの対象として取引相手を競り落とす移動中位置オークションを採用したので、移動体が移動中であっても、依頼者各人の事情に応じた希望にかなう取引相手を探し出すことができる。
【０１９５】
（第４実施形態）
次に、第４実施形態について図２４，図３２〜図３６に従って説明する。本例では、位置オークションにおける取引の対象が「情報」であるという点が前記各実施形態とは異なっている。
【０１９６】
本例の位置オークションは情報を取引の対象とするもので、その情報の中に示された位置で競りをするものである。ここで、その一例として図２４に示す位置オークションＨＰの「魚群」のボタン１０２を選択した場合について説明する。
【０１９７】
この魚群の位置オークションは、釣り船の位置から最も近い魚群位置の情報を落札する形式のものである。つまり、例えば魚の漁をしている船が自分が捕獲している魚以外で例えば釣り舟にとっては釣りの対象としている魚の魚影の情報を、釣り人や釣り船に提供する。この場合、情報を受ける船等にとっては最も近くの魚群の情報を入手したい。
【０１９８】
すなわち、魚影の情報を持つ船は、その情報をインターネットＮを通じて仲介会社のサーバ２１に提供する。例えば釣り人や漁船は、近くの船からの漁に有効な何か情報がないかを位置オークションを利用して探す。そしてサーバ２１は何に関する情報であるかが分かる程度の概要を広く第三者の端末３０に提供し、その概要を見た第三者は端末を通じてその情報を買い取る取引方法が実施される。
【０１９９】
例えば依頼者（依頼主）が「魚群」のボタン１０２を選択すると、図３２に示す魚群手配画面ＦＡが表示される。即ち、画面ＦＡには、依頼者（例えば釣り船）の位置を指定するためのＧＰＳボタン９９、電話番号入力欄ＦＡ１、文字入力欄ＦＡ２等が用意されている。また、釣り船の特徴連絡の入力欄ＦＡ３、釣る魚の種類（魚種）の入力欄ＦＡ４、ＩＤ番号入力欄ＦＡ５等も用意されている。また図示はしないが、範囲の有無や、釣り船の位置に対して最も近いまたは最も遠いかを選択するための図２６に示す設定枠１０９も同様に用意されている。そして送信ボタン１１５を選択すると、画面ＦＡで入力された競り依頼情報としての競り情報データＤ１１がサーバ２１に送信されて、商品管理ＤＢ２３に格納される。なお、魚群手配画面ＦＡが依頼画面に相当する。
【０２００】
サーバ２１は、新規のオークション情報を受信すると、その旨を利用者登録している第三者の端末（パソコンや携帯電話等）３０に音や表示等で知らせる。そして、魚群位置の情報を提供することでこの位置オークションに参加するときには、端末３０にサーバ２１から提供された図３３に示すオークション参加画面ＧＡが表示される。なお、オークション参加画面ＧＡが入札画面に相当する。
【０２０１】
図３３に示すオークション参加画面ＧＡには、釣り船位置など顧客情報を提示する表示欄ＧＡ１や、依頼者の希望する魚の種類を表示する表示欄ＧＡ２が用意されている。また海図表示欄ＧＡ３が用意されており、この中には釣り船のいる位置の周辺の海図が表示され、その海図上に釣り船位置が表示され、釣り船の詳細位置が海図上で視覚的に確認可能となっている。この画面ＧＡには、「魚群位置」を入力するための入力欄ＧＡ４が用意されている。そして表示欄ＧＡ５に表示された時間制限内に入力欄ＧＡ４に必要データを入力して、参加ボタン１１６を選択することによって、入札情報としての魚群の位置データＤ１２はサーバ２１に送信され、競り管理ＤＢ２４に格納される。
【０２０２】
なお、図２４のＨＰ上の「情報登録」ボタン１１７を選択して、図３４に示す情報登録画面ＮＮを表示させて、その画面ＮＮに予め魚群位置の情報を入力することもできる。この画面ＮＮには、欲しい情報の表示欄Ｎ１、情報料の表示欄Ｎ２等が用意されている。また画面ＮＮには、情報入力欄Ｎ３、ＩＤ番号入力欄Ｎ４も用意されている。このような情報提供者は、情報の信頼性を確保するために予め利用者登録は済ませた者に限る。これら入力欄Ｎ３，Ｎ４に必要事項を入力して送信ボタン１１８を選択することで、画面ＮＮの入力欄Ｎ３で入力される入札情報としての情報登録データＤ１３はサーバ２１に送信され、競り管理ＤＢ２４に格納される。また、情報提供者は、位置オークションを利用するときには認証番号を使用する。
【０２０３】
そして、サーバ２１は、各端末３０から受信した情報を用いて、これらの情報に所定の処理を施して、船の位置から最も近くに位置する魚群位置の情報を特定する。一方、釣り船等の顧客船が最も近くにある魚群位置の情報を落札する通常のオークションに代えて、逆オークションの形式をとって、魚群位置から最も近い位置にある釣り船に、魚群位置の情報（漁の権利等を含めてもよい）を与えるようにすることもできる。
【０２０４】
次に、位置オークションの手順フローを図３５に従って説明する。なお、同図の手順フローはサーバ２１の処理手順を必ずしも示すものではなく、漁船と仲介会社間のやり取りなど位置オークション全体の手順（流れ）を示すものである。
【０２０５】
まずＳ８０１では、釣り船位置を入力する。
Ｓ８０２では、その釣り船の位置に対する位置条件を入力する。なお、Ｓ８０１，Ｓ８０２で依頼者の端末３０に依頼画面を表示させ、その画面に入力されたデータをサーバ２１が受信する手順が依頼手順に相当する。
【０２０６】
Ｓ８０３では、顧客依頼があったか否かを判断する。依頼があればＳ２０４に進む。
Ｓ８０４では、位置オークションが開始される。つまり、各端末３０に釣り舟の位置データ等のデータを配信する。
【０２０７】
Ｓ８０５では、入札者（競りの参加者）が魚群位置の情報を入力する。なお、Ｓ８０４でオークションを開始して入札者の端末３０に入札画面を表示させ、Ｓ８０５で入力されたデータをサーバ２１が受信する手順が入札手順に相当する。
【０２０８】
Ｓ８０６では、位置オークションの応募があったか否かを判断する。すなわち入札者からの入札の有無を判断する。入札が無ければ待機し、入札があればＳ８０７に進む。なお、Ｓ８０６〜Ｓ８１２で示す手順が落札手順に相当する。
【０２０９】
Ｓ８０７では、位置で競り処理を実行する。つまり、Ｓ８０２で入力された乗車位置条件（図２７の優先規則）に照らして、入札者の間で取引相手としての優先順を決める。
【０２１０】
Ｓ８０８では、時間制限が満了したか否かを判断する。時間制限内であればＳ８０６に戻り、時間制限が満了するまでＳ８０７，Ｓ８０８の処理を繰り返して新規入札者がある度に競り処理を行う。時間制限が満了すればＳ８０９に進む。
【０２１１】
Ｓ８０９では、落札自己選択が設定されているか否かを判断する。落札自己選択の設定がなされていなければＳ８１０に進み、落札自己選択の設定がなされていればＳ８１１に進む。
【０２１２】
Ｓ８１０では、絞込処理が行われる。例えば、複数の魚群位置情報が競合した場合に、魚種、魚影濃さ、情報価格を参考にして落札者を絞り込む。
一方、Ｓ８０９において落札自己選択の設定がなされていると判断されれば、Ｓ８１１で所定落札人数分の入札情報をリストにした図２８に示すリスト画面ＸＢと同様のリスト画面を表示する。利用者は端末３０の画面でパスワードを入力した後に画面表示を選択するとリスト画面を見ることができる。リスト画面には位置の優先順に候補者（コード番号表示）がリストアップされており、入札者が提示した他の情報を参考にしながら取引相手を決める。
【０２１３】
Ｓ８１２では、落札者が決定したか否かを判断する。落札者が決定されるまではリスト表示（Ｓ８１１）が継続され、落札者が決定されればＳ２１３に進む。Ｓ８１３では、取引成約の旨を双方に通知する。よって、釣り船は、最も最短距離に位置する魚群の情報を得ることが可能になる。
【０２１４】
なお、本例の位置オークションの採用対象はタクシー（集配車等）および魚群に限らず、図２４に示す位置オークションＨＰ上で選択するボタン１００の種類の商品・役務でもよい。つまりＨＰ上にある所定のボタン１００を選択して、依頼者が位置や位置に関する希望情報等を入力するための入力画面を開く。そして、オークションに参加した入札者のうち、依頼者が指定した位置から最も近い（または遠い）取引相手を、もしくは取引相手に関する情報を位置オークションで選ぶこともできる。
【０２１５】
このとき図３６に示す手順フローに従ってオークションが実施される。つまりＳ９０１では依頼者の位置が入力され、Ｓ９０２では依頼主が希望する位置条件が入力される。そしてＳ９０３では依頼主からの依頼があるか否かを判断し、依頼があればＳ９０４で位置オークションを開始する。Ｓ９０５では入札者の位置を入力し、Ｓ９０６で競り参加の応募があったか否かを判断する。応募があればＳ９０７で位置で競り処理を実行する。Ｓ９０８では時間制限か否かを判断する。Ｓ９０８で時間制限になっていなければＳ９０６，Ｓ９０７を繰り返す。
【０２１６】
そしてＳ９０９で落札自己選択か否かを判断する。落札自己選択でないならばＳ９１０で絞込処理を実行することで、入札者の間で依頼主の希望を最も満たす順に優先順を決めて取引相手としての落札者を決定する。またＳ９０９で落札自己選択ならば、Ｓ９１１で図２８と同様のリスト画面が表示される。そしてＳ９１２で依頼主はリスト画面を見ながら希望条件を満たす入札者を取引相手として落札する。Ｓ９１３で取引成約通知が依頼主、落札者の双方に通知される。なお、図３６に示す手順フローが使用される他の具体例を以下に列挙する。
【０２１７】
・　集配業社側が積荷を募集する逆オークション形式をとってもよい。つまり依頼主は、集配人、集配車、集配船、集配飛行機等の位置から最も近くにある積荷を、もしくはその情報を位置オークションで選ぶこともできる。
【０２１８】
・　図２４に示す位置オークションＨＰ上にある「トイレ」、「ガソリン」、「食品」、「古品」の各ボタンを選択して、それら要求物を購入あるいは希望する人がいる場所、またはそれらの人が指定した場所から、最も近くの場所にある要求物（ガソリン、農作物、トイレ、浮世絵等）の販売人、販売所、提供人、提供所等を、もしくはその情報を位置オークションで選ぶこともできる。また、上記した要求物の販売人、販売所、提供人、提供所等が、その要求物の購買人または希望者を募集する逆オークション形式をとってもよい。つまり依頼主は、物品販売人やその物品の提供人がいる場所から最も近い購買人や希望者を、もしくはその情報を位置オークションで選ぶこともできる。
【０２１９】
・　図２４に示すＨＰ上にある「サービス」のボタンを選択して、サービス等の希望者等がいる場所、または指定した地点から、最も近くにいるサービス提供者（サービス等の利用権利）等を、もしくはその情報を位置オークションで選ぶこともできる。また、サービス提供者が、サービス希望者等を募集する逆オークション形式をとってもよい。つまり、サービス希望者等が、最も近くにいるサービス希望者等を、もしくはその情報を位置オークションで選ぶこともできる。
【０２２０】
・　ＨＰ上の「宿泊所」、「レストラン」、「商店」、「サービス所」の各ボタンを選択して、上記の施設を探している人が、最も近くにある営業所（サービス等の利用権利）を、もしくはその情報を位置オークションで選ぶこともできる。また逆オークション形式をとって、依頼主は宿泊所、レストラン、商店、サービス所等から最も近くにいる客を、もしくはその情報を位置オークションで選ぶこともできる。
【０２２１】
・　ＨＰ上の「病院」、「歯科医院」、「医療」、「美容院」の各ボタンを選択して、上記の施設を探している病人患者、事故人、希望客等が、最も近くにある病院、歯科医院、はり、きゅう、マッサージ所、整体院、美容院（つまり、サービスの利用権利）等を、もしくはその情報を位置オークションで選ぶこともできる。また逆オークション形式をとって、医師、歯科医師、はり師、きゅう師、マッサージ師、整体師、美容師等が、最も近くにいる患者や希望者等を、もしくはその情報を位置オークションで選ぶこともできる。
【０２２２】
・　ＨＰ上の「衛星通信」のボタンを選択して、依頼主は衛星受信施設や受信機等から最も近い位置にある宇宙衛星を、もしくはその情報を位置オークションで選ぶこともできる。また逆オークション形式をとって、依頼主は宇宙衛星から送信される情報（信号）を受信可能な最も近くにある衛星受信施設や受信機等を、もしくはその情報を位置オークションで選ぶこともできる。
【０２２３】
・　ＨＰ上の「調査」のボタンを選択して、依頼主は調査地点に最も近い位置にいる宇宙衛星、ヘリコプター、調査車、調査人等を、もしくはその情報を位置オークションで選ぶこともできる。また、逆オークション形式をとって、依頼主は宇宙衛星、ヘリコプター、調査車、調査人等から最も近くにある調査地点を、もしくはその情報を位置オークションで選ぶこともできる。
【０２２４】
・　ＨＰ上の「修理業」、「除雪」、「ボランティア」の各ボタンを選択して、依頼主は修理、除雪、ボランティア（手伝い人）等を要求する人から最も近くにいる応じ人を、もしくはその情報を位置オークションで選ぶこともできる。また逆オークション形式をとって、依頼主は修理車、除雪車、何でも屋等から最も近くにいる要求人を、もしくはその情報を位置オークションで選ぶこともできる。
【０２２５】
・　ＨＰ上の「不動産」のボタンを選択して、不動産購入希望者が希望場所から最も近い位置にある不動産物件を、もしくはその情報を位置オークションで選ぶこともできる。この場合、不動産購入希望者からの依頼を受けた後に、入札者の募集を募る形式をとれば、より効果的に不動産物件を選ぶことができる。
【０２２６】
・　ＨＰ上の「警備」、「防災」の各ボタンを選択して、異常警告が通知されたり、火災装置や防犯装置等が作動したり、監視人が異常を認知したときに、その現場から最も近い警備会社、防災保障会社、警備人、防災人等への通知、その警備や防災の発注、もしくはその情報を位置オークションで選ぶこともできる。
【０２２７】
・　ＨＰ上の「動物関連」のボタンを選択して、ペットや動物のいる場所から最も近い場所にある動物病院、動物ホテル、動物病院等を、もしくはその情報を位置オークションで選ぶこともできる。
【０２２８】
・　要求人（例えば依頼主）がいる位置に最も近い位置にいる応じ人（取引相手）を、もしくはその情報をオークションで選ぶことに限定されず、依頼主がいる位置や指定する位置から、最も遠い位置にいる取引相手を、もしくはその情報をオークションで選ぶこともできる。例えば、図２４に示すＨＰ上にある「農産物」、「食品」の各ボタンを選択して、放射能や公害汚染の場所から最も遠くにある農産物や食品（商品）を、もしくはその情報を位置オークションで選ぶこともできる。
【０２２９】
・　ＨＰ上の「タクシー」を選択して、タクシー会社等の依頼主は最も遠くまで乗車する客を、もしくはその情報を位置オークションで選ぶこともできる。
・　ＨＰ上の「タクシー」、「バス」、「電車」、「航空会社」の各ボタンを選択して、依頼主は提示した金額に対して最も遠くまで乗せることが可能なタクシー、バス、電車、飛行機等を、もしくはその情報を位置オークションで選ぶこともできる。なお、従来のオークションは乗車料金の単価を変動する形式であるが、本例の位置オークションでは、乗車料金の単価は一定であって、その乗車距離を変動させる点が異なっている。
【０２３０】
・　ＨＰ上の「電話会社」や「通信施設」の各ボタンを選択して、依頼主は提示した金額に対して最も遠くまで通話することが可能な電話会社や、最も遠方まで送信可能な通信施設を、もしくはその情報を位置オークションで選ぶこともできる。この例でも、支払料金の単価が一定であって、その通話・通信距離が変動する点が従来のオークションとは異なっている。
【０２３１】
・　本例の位置オークションで応じ人（取引相手）を選ぶとき、要求人（例えば依頼主）がいる位置から、ただ単に最も近いあるいは最も遠い位置にいることを選定要素とすることに限定されない。例えば、その依頼主がいる位置や指定する位置から、指定された所定の範囲内で最も近くにいる取引相手を、もしくはその情報を位置オークションで選ぶこともできる。例えば、図２４に示すＨＰ上にある「タクシー」のボタンを選択するとともに、依頼主がある所定の範囲を指定して、その範囲内で最も近くにいるタクシーを、もしくはその情報を位置オークションで選ぶこともできる。
【０２３２】
・　依頼主の位置に対してある範囲を指定して位置オークションを行うとき、その範囲内で最も近い応じ人（取引相手）を選ぶことに限らず、その指定された範囲内で最も遠い場所にいる応じ人を選ぶこともできる。例えば、図２４に示すＨＰ上にある「施設」のボタンを選択して、発注者が指定した場所から定まった範囲内で、最も遠い場所に処理場、墓地、火葬場、工場、原子力発電所、危険物保管所等を設置する業者を、もしくはその情報を位置オークションで選ぶこともできる。
【０２３３】
・　ＨＰ上の「不動産」を選択して、発注者が指定した場所から定まった範囲内で、最も遠い場所の不動産物件を、もしくはその情報を位置オークションで選ぶこともできる。
【０２３４】
・　ＨＰ上のボタンのうち所定のものを選択して、依頼主がある範囲を指定して、その範囲内で最も近くにある物件、商店、宿泊所、サービス所、病院、設備、施設、荷物（積荷）、収穫物（農作物等）、回収物を位置オークションで選ぶこともできる。また、上記した物件、施設、物品がその範囲内において最も遠くにあるものを、もしくはその情報を位置オークションで選ぶこともできる。
【０２３５】
・　ＨＰ上の「車」、「船舶」、「航空会社」、「運搬」の各ボタンを選択して、依頼主に関係なく指定された所定の範囲内で最も近くの場所にいる、あるいは最も遠くの場所にいる車、船舶、飛行機、運搬機械等を、もしくはその情報を位置オークションで選ぶことができる。
【０２３６】
・　所定距離移動した後のタクシー等の移動体の位置に基づいてオークションする移動中位置オークションを行う場合、その移動体はタクシーに限定されない。例えば、図２４に示すＨＰ上にある「魚群」のボタンを選択して、魚群追跡者によって予想された魚群の予想移動先の位置に最も近い場所にいる船へ、漁業権利の許可を、もしくはその情報の提供を位置オークションで選ぶこともできる。
【０２３７】
・　移動体はタクシー等に限定されず、ゴミやし尿等の運搬車等でもよい。例えば図２４に示すＨＰ上の「運搬」のボタンを選択して、移動中であるゴミやし尿等の運搬車や運搬人の予定移動先の位置から最も近くの場所にある運搬物の積荷や荷降ろし場所を、もしくはその情報を位置オークションで選ぶこともできる。
【０２３８】
・　ＨＰ上の「集配業」のボタンを選択して、移動中である集配人、集荷船、集荷車、集荷飛行機の予定移動先の位置から最も近い位置にある積荷場所や荷降ろし場所を、もしくはその情報を位置オークションで選ぶこともできる。
【０２３９】
・　ＨＰ上の例えば「その他」のボタンを選択して、移動中である販売人や提供人の予定移動先の位置から最も近くの場所にいる購買者や希望者を、もしくはその情報を位置オークションで選ぶこともできる。
【０２４０】
・　ＨＰ上の「交際」のボタンを選択して、移動中である交際人やサービス提供者の予定移動先の位置から最も近くの場所にいる交際希望人やサービス希望人を、もしくはその情報を位置オークションで選ぶこともできる。
【０２４１】
・　ＨＰ上の「宿泊」、「レストラン」、「商店」、「ガソリン」の各ボタンを選択して、宿泊所、レストラン、商店、ガソリンスタンド等を探す移動中の依頼主が予定移動先の位置から最も近い場所にある営業所を、もしくはその情報を位置オークションで選ぶこともできる。
【０２４２】
・　ＨＰ上の「ガソリン」、「食品」、「日常品」の各ボタンを選択して、ガソリン、食品、日常品等の個々の物品を探す移動中の依頼主が予定移動先の位置から最も近くの場所にある要求物の提供所を、もしくはその情報を位置オークションで選ぶこともできる。
【０２４３】
・　ＨＰ上の「病院」のボタンを選択して、移動中である病気、けが等の緊急患者の予定移動先の位置から最も近くの場所にある病院を、もしくはその情報を位置オークションで選ぶこともできる。
【０２４４】
・　ＨＰ上の「衛星通信」のボタンを選択して、移動中の宇宙衛星において、予定移動先の位置にある宇宙衛星から送信される情報（信号）を受信可能な最も近くに位置する衛星受信施設や受信機を、もしくはその情報を位置オークションで選ぶこともできる。
【０２４５】
・　ＨＰ上の「警備」のボタンを選択して、移動中である捕らえたい人や探していた人の予定移動先の位置から最も近くの場所にいる警備人や追跡人を、もしくはその情報を位置オークションで選ぶこともできる。
【０２４６】
・　ＨＰ上の「追跡」のボタンを選択して、移動中である物体（例えば車両）の予定移動先の位置から最も近い場所にある宇宙衛星、ヘリコプター、追跡車、追跡人等を、もしくはその情報を位置オークションで選ぶこともできる。
【０２４７】
従って、第４実施形態によれば以下の効果を得ることができる。
（９）依頼者が取引位置条件を提示して、第三者の取引相手から情報を競り落とす位置オークションを採用したので、依頼者が取引位置について依頼者各人の事情に応じた希望にかなう情報を得ることができる。
【０２４８】
（第５実施形態）
次に、第５実施形態について図１，図４，図１３，図２４，図３７〜図４５に従って説明する。本実施形態では、オークションにおける競りの対象が要素としての数値である点が異なっており、その数値としては物品の取引対象となる長さ、高さ、面積、体積、容積、重量、数量等がある。
【０２４９】
数値オークションを実施するオークションシステムは図１に示す構成と基本的に同様である。数値オークションとは、依頼主（依頼人）が提示した数値の要望をネットワークを通じて第三者の端末に送信して広く入札を募り、応募のあった入札情報を基にその数値で競りをし、依頼人の要望を最も満たす数値を提示した入札者が落札される競り方式である。依頼人の要望には、依頼人自らが提示する要望と、依頼人の依頼内容（依頼目的）から当然のこととして競り仲介業者が予め用意した要望とがある。
【０２５０】
数値オークションは、買い手と売り手など互いに取引相手となる双方を引き合わせる数値の競りであり、取引対象として商品及び役務（サービス）などあらゆるものを対象とする。数値オークションには、後述するが廃棄物等を有料で処理する処理施設や、荷物等を取りに来てくれる集配車などを手配するための業務用のオークションが用意されている。例えば処理業者や集配業社はこの数値オークションに利用者登録し、数値オークションを通じて最も希望に適う取引相手の提供を受ける。
【０２５１】
次に、数値オークションについて具体的に説明する。図１は、依頼主および取引相手のうち一方が他方をネットワーク（本例ではインターネット）を介して所定の数値条件を最も満たす取引相手を選ぶための数値オークションシステムを示す。
【０２５２】
図１に示すように、オークション管理システム（仲介管理サーバシステム）２０はサーバ２１を備え、サーバ２１は３つのデータベース２２，２３，２４と接続されている。サーバ２１は、インターネットＮに接続されており、インターネットＮを通じて第三者の端末３０と通信可能に接続されている。また、インターネットＮに接続された端末３０は、サーバ２１と通信可能となっている。端末３０には、パソコン３１の他にインターネット通信可能な携帯電話３２が挙げられる。この端末３０には、個人が所有する個人用のものと、各会社等に設置された業務用のものとがある。
【０２５３】
図１に示すサーバ２１は、数値オークション用の各種プログラムをメモリに記憶している。その中にオークション用プログラムがある。このプログラムでは、依頼主の希望する情報がインターネットＮを通じて入札者に通知され、入札者は提供できる数値に関する情報を提示してオークションに参加する。そして、サーバ２１は入札者が提供する情報を基に依頼主の要望に最も適う入札者を割出し、これを取引相手として落札するものである。
【０２５４】
図３７は、オークション管理システム２０の機能構成図である。オークション管理システム２０は通信部１２１、制御部１２２、数値競り演算部１２３および落札絞込演算部１２４を備える。通信部１２１、制御部１２２、数値競り演算部１２３および落札絞込演算部１２４はサーバ２１により構成される。通信部１２１は所定の通信手順（ＨＴＴＰ）で動く。また３つのデータベース２２〜２４のうち商品管理ＤＢ２３は競り条件記憶部１２５を備え、競り条件記憶部１２５には時間競りデータ記憶部１２５Ａと絞込データ記憶部１２５Ｂが用意されている。制御部１２２および各演算部１２３，１２４は、数値オークションで落札者を特定するための演算制御などに使用され、この演算に各記憶部１２５Ａ，１２５Ｂに記憶された各種データが使用される。
【０２５５】
サーバ２１には、図２４のオークションホームページ（ＨＰ）とほぼ同様の構成の数値オークションホームページが置かれ、インターネットＮを通じて利用者（依頼主）は端末３０からブラウザソフトを用いて画面上に数値オークションＨＰを表示させて閲覧する。数値オークションＨＰには、図４と同様の利用者登録画面Ｐ、図３９に示す商品役務登録画面ＨＡ、図３９に示す競り形式選択画面Ｉ、図４０に示すオークション参加画面ＧＢなど各種画面がリンクされている。また、このＨＰには、後述する図３８に示す数値内容選択画面Ｊや図４２に示す情報提供画面ＮＡもリンクされている。サーバ２１のハードディスクには、各種画面Ｐ，ＨＡ，Ｉ，ＧＢ，Ｊ，ＮＡ等の画面データ、画面の表示等に用いるプログラム（例えばＨＴＭＬ記述プログラム）、数値オークションの演算処理に用いるプログラムが記憶されている。
【０２５６】
図２４に示すように、数値オークションＨＰには、取引の対象となる商品・役務別に分類された多数の選択ボタン１００〜１０２が用意されている。競りに参加を希望する者（依頼主または入札者）は、希望する商品・役務分類の選択ボタン１００〜１０２を選択する。またＨＰには、「利用者登録」ボタン１０３と、「依頼登録」ボタン１０４が用意されており、各ボタン１０３，１０４を選択することで登録画面Ｐ（図４）と登録画面ＨＡ（図３９）がそれぞれ表示されて、各画面Ｐ，Ｈから入力したデータをサーバ２１に送信することで利用者、商品・役務登録がなされる。
【０２５７】
図４に示すように、利用者登録画面Ｐには住所、氏名、電話番号、電子メールアドレス、性別、年齢、備考、クレジットカード番号などを入力するための項目Ｐ１、各種入力欄Ｐ２が用意されている。またその他に、個人用あるいは業務用を選択する選択項目が用意されており、例えば廃棄業者や集配業社を依頼する依頼者は個人用の選択項目を選択し、一方、業社等は業務用の選択項目を選択してから他の登録を行う。利用者が利用者登録画面Ｐでこれら全ての項目に必要事項を入力してＯＫボタン５５を選択すると、これら項目および項目Ｐ１、入力欄Ｐ２に入力された情報からなる利用者登録データＤ１は、ネットワークＮを通じてサーバ２１に送信され、３つのデータベース２２〜２４のうち顧客管理ＤＢ２２に格納される。サーバ２１は所定の手数料（登録料）の納付を確認すると、登録者の端末へ認証番号（ＩＤとパスワード）を送信する。登録者は、数値オークションを利用するときにはこの認証番号を使用する。
【０２５８】
図３９に示すように、商品役務登録画面ＨＡには、商品・役務分類、商品・役務名、希望価格、数値内容、数値、品質、サービス内容、保管・提供場所、商品役務情報等の各種入力欄ＨＡ１〜ＨＡ９が用意されている。数値内容入力欄ＨＡ４には、長さ、面積、重量、数量等の内容が入力される。また、数値入力欄ＨＡ５には、選択した数値内容の具体的な値が入力される。利用者が端末３０に表示された商品役務登録画面ＨＡでこれら全ての項目に必要事項を入力して送信ボタン１２６を選択すると、各種入力欄ＨＡ１〜ＨＡ９に入力された情報からなる入札情報としての商品役務登録データＤ１４は、インターネットＮを通じてサーバ２１に送信され、競り情報管理ＤＢ２４に格納される。例えばガソリン、古品、食品等の商品の場合、予約入札を受け付けて商品登録時の商品役務登録データＤ１４を入札情報としてオークションが行われる場合もある。このとき、商品役務登録画面ＨＡが入札画面に相当する。
【０２５９】
図２４に示す数値オークションＨＰには、「直接取引」ボタン１０６と「情報取引」ボタン１０７が用意されている。直接取引ボタン１０６は、商品・役務、あるいは商品・役務の買い手や売り手を、直接、オークションで選ぶときに使用するもので、例えば集配車等による役務（集配サービス等）や商品などを直接的に競り落とす取引に用いられる。また情報取引ボタン１０７は、商品や役務またはその提供者（製造会社，サービス会社等）についての有益な情報を入手したいときに使用されるもので、例えば第三者から情報の提供のみを受ける場合に選択される。
【０２６０】
オークションに参加を希望する者は、直接取引ボタン１０６か情報取引ボタン１０７かのうち一方を選択後、希望する商品または役務のうち参加を希望する選択ボタン１００〜１０２を選択する。またＨＰには、依頼者が商品・役務を競り落とす通常オークションか、依頼者が商品・役務の買い手を競り落とす逆オークションかを選択する選択項目１０８が用意されている。例えば集配車等を手配することを希望する顧客は「オークション」を選択し、集配会社等は顧客を確保するための「逆オークション」を選択する。そして依頼主は、所望するオークション形式、取引態様、取引対象をそれぞれ選択した後、確定ボタン１３０を選択する。
【０２６１】
本例では競りの対象とする数値として、長さ、高さ、面積、体積、容積、重量、数量等があるが、その具体例は後述する。図２４に示すＨＰ画面で、商品・役務の分野を選択してその下位階層画面等で商品・役務を具体的に選択すると、図３８に示す数値内容選択画面Ｊが表示される。数値内容選択画面Ｊには、「長さ」、「高さ」、「面積」、「体積」、「容積」、「重量」、「数量」の数値選択ボタン１３１〜１３７と、確定ボタン１３８が用意されている。
【０２６２】
このオークションプログラムは、利用者が取引の対象とする商品または役務に応じて適した数値を選択できるように作成され、サーバ２１のメモリに記憶されている。そのプログラムは、図４６に示すフローチャートに示すもので、利用者が選択した数値が競りの対象とされる。数値内容選択画面Ｊで数値を選択すると、図４０に示す競り形式を選択するための競り形式選択画面Ｉが表示される。なお、数値内容選択画面Ｊおよび競り形式選択画面Ｉが依頼画面に相当する。
【０２６３】
図４０に示すように、競り形式選択画面Ｉには、商品・役務表示欄Ｉ１、数値内容表示欄Ｉ２が用意されている。また、売り手と買い手のうちどちらを選択するかを設定する選択項目Ｉ３、競り形式選択項目Ｉ４、基準値入力欄Ｉ５、接近方向選択項目Ｉ６、範囲入力欄Ｉ７、送信ボタン１３９が用意されている。競り形式選択項目Ｉ４では、小さいほど優先させることを指定する選択項目、大きいほど優先させることを指定する選択項目、基準値を指定して基準値に接近するほど優先させることを指定する選択項目の３つのうちから１つを選択する。
【０２６４】
接近方向選択項目Ｉ６は、基準値が指定されたときにその基準値に対してどちらの方向から接近するかを指定するためのもので、小さい方から基準値に接近することを指定する項目と、大きい方から基準値に接近することを指定する項目と、両方向から基準値に接近することを指定する項目との３つうちから１つを選択する。範囲入力欄Ｉ７は範囲を指定するためのものであり、上限・下限の一方だけを指定したり範囲を指定しないことを選択することもできる。この画面Ｒの各項目および入力欄Ｉ３〜Ｉ７に入力された情報からなる競り依頼情報としての競り情報データＤ１５はサーバ２１に送信され、競り情報管理ＤＢ２４に格納される。なお、基準値が希望値に相当する。また、各入力欄Ｉ４〜Ｉ７で入力される情報が希望情報に相当する。
【０２６５】
サーバ２１は、依頼主から新規のオークション情報を受信すると、その旨の通知を第三者（入札者）の端末３０に送信する。このとき、各端末３０は音や表示等の通知がなされる。そして入札者側の端末３０には、サーバ２１から提供された図４１に示すオークション参加画面ＧＢが表示される。なお、オークション参加画面ＧＢが入札画面に相当する。
【０２６６】
図４１に示すように、オークション参加画面ＧＢには、商品・役務、数値内容、形式、基準値、接近方式、範囲の各表示欄ＧＢ１〜ＧＢ６が用意されている。これら表示欄ＧＢ１〜ＧＢ６に表示される内容は、図４０の競り形式設定画面Ｉの各入力欄Ｉ３〜Ｉ７に入力した内容と対応している。また画面ＧＢには、入札者が提示できる数値を入力するための数値の入力欄ＧＢ７が用意されている。この入力欄ＧＢ７に所定の数値を入力した後に送信ボタン１４０を選択すると、画面ＧＢで入力された情報からなる入札情報としての入札データＤ１６がサーバ２１に送信されて競り情報管理ＤＢ２４に格納される。
【０２６７】
また、競り形式は、図４４に示すように５種類設定されている。つまり数値は、長さ、面積、重量、数量等のうちどの数値も座標軸上で表すことができるので、その座標軸に基準値を設定し、その基準値に対して近いほど優先される競り形式か、遠いほど優先される競り形式かなど落札の決め方のルールが決められている。
【０２６８】
図４４は競り形式を説明するための線図である。各数値に応じてその数値の内容を数値的に表す場合に、その数値が大きくなる概念と、その数値が小さくなる概念とに分かれる。例えば遠い、大きい、広い、長い、重い、多いなどの概念は数値が大きくなる概念で、近い、小さい、狭い、短い、軽い、少ないなどの概念は数値が小さくなる概念である。競り形式は、提示される数値等の最も大きいものが落札するのか、最も小さいものが落札するのか、さらに顧客が提示した基準値に一致するもしくは一番近い数値等を提示したものが落札するなどのルールである。競り形式には以下の５種類がある。
【０２６９】
ここで、依頼者側の希望で設定される範囲の有無や位置条件に応じて図４４に示す５種類の競り方式（競り条件（落札優先規則））が決まるようになっている。この５種類の競り方式について図４４に従って以下に説明する。まず同図（ａ）は所定範囲の内で最も小さな数値を提示した者ほど落札者として優先される優先規則である。ここでは入札者Ａ，Ｂ，Ｃのうち所定範囲内で最も近い数値を提示したＣが落札する。また、同図（ｂ）は所定範囲内で最も遠い数値を提示した者ほど落札者として優先される優先規則である。ここでは入札者Ａ，Ｂ，Ｃのうち最も遠い数値を提示したＣが落札する。
【０２７０】
また、同図（ｃ）は指定された数値（基準値）に対して大きい方から最も接近する値を提示した者ほど落札者として優先される優先規則である。ここでは競り入札者Ａ，Ｂ，Ｃのうち所定範囲内で最も近い位置を提示したＣが落札する。また、同図（ｄ）は指定された数値（基準値）に対して小さい方から最も離れた位置を提示した者ほど落札者として優先される優先規則である。ここでは入札者Ａ，Ｂ，Ｃのうち所定範囲内で最も遠い位置を提示したＣが落札する。また、同図（ｅ）は、指定された数値に対し小さい方からか大きい方からかに拘わらず、とにかく近い数値を提示した者ほど落札者として優先される優先規則である。ここでは入札者Ａ，Ｂ，Ｃ，Ｄのうち最も近い位置を提示したＤが落札する。なお、図４４（ａ）〜（ｄ）の競り方式の場合、落札者（各図に示す入札者Ｃ，Ｄ）が競合したときには、後述する所定のルールを基に落札者を絞り込むようになっている。
【０２７１】
また図３８の数値内容選択画面Ｊで、複数の数値を選択することもできる。複数の数値選択ボタン１３１〜１３７のうち２つ以上を選択した場合は、図１３に示すものと同様の落札優先順位設定画面ＷＡが表示されるようになっている。落札優先順位設定画面ＷＡには、第１優先，第２優先，…，第ｎ優先（この例ではｎ＝４）の最大ｎ個の数値を指定するための入力欄ＷＡ１〜ＷＡ４と、ＯＫボタン６１とが用意されている。第１優先，第２優先，…，第ｎ優先の数値まで指定でき、その順番は利用者が自由に設定することができる。第２優先以降の数値には価格も設定することができる。
【０２７２】
このように複数の数値設定を可能としているのは、例えば数値が一つだけでは落札者が希望する所定人数（通常一人）に絞りきれない場合があるためで、希望人数に絞り切るために使用される。そして、この画面ＷＡで設定した落札順位からなる落札順位データＤ５がサーバ２１に送信される。複数の数値が選択された場合には、例えばサーバ２１は、第１優先の数値で入札者を所定の人数まで絞り込み、次に第２優先の数値で所定人数に絞り込んでいくように、優先された数値順に入札者を絞り込んで落札者を決めることもできる。
【０２７３】
また、図２４のＨＰ上で情報取引ボタン１０７を選択して、情報を取引することもできる。すなわち、ある商品やサービス（役務）を希望する場合、その商品の所有者、商品を売る会社、サービスの提供者・提供会社について知っている者から、必要な情報を買い取る取引にもオークションは利用される。情報の取引は、あらゆる分野・ジャンルのものが対象となる。そこで一例を示すと、数値に長さを選択した場合、例えば最も長い商品を提示している提供者がいるという情報を、第三者からオークションで選び出す方式である。
【０２７４】
情報を提供する場合には、ＨＰ上の情報入力ボタン１１７を選択して、図４２に示す情報提供画面ＮＡを表示する。この画面ＮＡには、募集情報表示欄ＮＡ１、情報料（情報提供報酬額）表示欄ＮＡ２、情報入力欄ＮＡ３、情報添付ボタンＮＡ４、残り時間表示欄ＮＡ５、ＩＤ番号入力欄ＮＡ６、送信ボタン１４１が用意されている。この情報提供画面ＮＡは、ＨＰ画面の情報入力ボタン１１７を選択してジャンル・分野毎に表示される情報募集リストの中から見たい部分を選択すると表示される画面である。この情報提供画面ＮＡでは、募集情報表示欄ＮＡ１に依頼者が探している情報内容が表示されるとともに、情報料表示欄ＮＡ２に情報料が表示されるので、その募集情報を提供できる情報を持つ閲覧者は情報入力欄ＮＡ３にその提供情報を入力（記入）をし、または添付ボタンＮＡ４を選択すると表示される次画面で添付操作をしてデータを添付し、ＩＤ番号入力後に送信する。この画面ＮＡで入力された情報からなる入札情報としての情報データＤ１７は、サーバ２１に送信されて競り管理ＤＢ２４に格納される。
【０２７５】
例えば利用者が所望する情報をサーバ２１に送信してくると、サーバ２１は競り管理ＤＢ２３の管理データの中から該当する情報を探す処理をするとともに、緊急に必要な情報でなく募集時間をとっても、ある程度許される場合は情報を直ちに募集する。そして残り時間が無くなった制限時間終了後、得られた情報を分析し、依頼者のニーズに最も適合した情報を依頼者側の端末３０に送信する。この際、依頼者は前記競り形式を選択指定することができ、その指定された形式のルールに則って落札者が決定される。希望情報を得た依頼者は情報料に手数料を加えた金額を支払う。落札者には情報料が支払われる。なお、情報提供の入力は、サーバ２１が依頼を受け取った前後で受け付けることもできる。
【０２７６】
オークションの結果は、落札者一人だけの情報が依頼者には送信されるのが基本であるが、依頼者の希望によって複数人の候補者を絞り込んで提示することもできるようになっており、それが図４３に示すリスト画面ＸＣである。すなわちサーバ２１は、入札者から提示された情報をそのままリストにして、あるいは入札者から提示された情報を基に落札候補上位者を例えば依頼者が指定した一定人数以内に絞り込んだ優先リストにして、依頼者（依頼主）側の端末３０に送信する。そして依頼者側の端末３０には図４３に示すリスト画面ＸＣが表示される。
【０２７７】
この画面ＸＣにはリストＸＣ１、落札者選択用の入力欄ＸＣ２、確定ボタン１４２が用意されている。リストＸＣ１には、優先順位番号、コード番号、数値（長さ、高さ、面積、体積、容積、重量、数量等）、価格、入札者提示条件（付帯品（おまけ）等）が示されている。
【０２７８】
依頼者はこの画面ＸＣのリストＸＣ１の中から取引日などの提示条件を検討して自分にとって有利な落札者を決定し、入力欄ＸＣ２に例えば落札者の優先順位番号を入力し、確定ボタン１４２を選択する。すると、サーバ２１は依頼者と落札者に落札の旨を通知をする。このように依頼者側の端末３０でリストＸＣ１を見ることができれば、依頼者は数値が同じであっても指定した数値以外の価格など他の数値で有利な条件を提示してくれる相手を選ぶことができ、また数値が一番の人より少し悪くても価格や付帯品などの面で譲歩してくれる相手を選ぶことができる。
【０２７９】
次に本例の数値オークションの手順フローを、図４５に従って以下に説明する。なお、この手順フローはサーバ２１の処理手順を必ずしも示すものではなく、オークション全体の手順（流れ）を示すものである。
【０２８０】
まずステップ（以下、単にＳと記す）１０１０では、依頼主はＨＰ上で商品・役務を選択する。つまり、ＨＰ上の各選択ボタンのうち、依頼者が希望する商品又は役務のボタンを選択する。
【０２８１】
Ｓ１０２０では、依頼者は競り実行時の数値（長さ、高さ、面積、体積、容積、重量、数量等）を選択する。
Ｓ１０３０では、依頼者は数値に対する落札条件（競り形式、範囲、競り期間などの必要事項）を選択する。なお、Ｓ１０２０，Ｓ１０３０で依頼者の端末３０に依頼画面を表示させ、その画面に入力されたデータ（競り情報データＤ１５）をサーバ２１が受信する手順が依頼手順に相当する。
【０２８２】
Ｓ１０４０では、数値オークションが開始される。つまり、第三者に入札者募集の旨の通知を行い、数値に関するデータが第三者の端末３０に配信される。
Ｓ１０５０では、数値の入力をする。つまり、数値オークションに参加する入札者から数値に関する入札情報が入力される。なお、Ｓ１０４０でオークションを開始して入札者の端末３０に入札画面を表示させ、Ｓ１０５０で入力されたデータ（商品役務登録データＤ１４，入札データＤ１６，情報データＤ１７）をサーバ２１が受信する手順が入札手順に相当する。
【０２８３】
Ｓ１０６０では、オークションの応募があったか否かを判断する。すなわち入札者からの入札の有無を判断する。入札が無ければ待機し、入札があればＳ１０７０に進む。この入札には、情報提供も含まれる。なお、Ｓ１０６０〜Ｓ１１７０の手順が落札手順に相当する。
【０２８４】
Ｓ１０７０では、入札情報を取得し、入札情報の中の一情報として提示された数値で競る競り処理を行う。この際、複数の数値が選択設定されているときは、第１優先の数値で競りを行う。そして、入札情報中の数値について希望条件（図４４の優先規則）に照らすことで、入札者の間で取引相手としての優先順を決める。
【０２８５】
Ｓ１０８０では、時間制限が満了したか否かを判断する。時間制限内であればＳ１０５０に戻り、時間制限が満了するまでＳ１０５０〜Ｓ１０８０の処理を繰り返して新規入札者がある度に競り処理を行う。時間制限が満了すればＳ１０９０に進む。
【０２８６】
Ｓ１０９０では、落札自己選択が設定されているか否かを判断する。落札自己選択の設定がなされていなければＳ１１００に進み、落札自己選択の設定がなされていればＳ１１４０に進む。
【０２８７】
Ｓ１１００では、落札者が決定したか否かを判断する。すなわち所定落札数に絞り込まれたか否かを判断する。所定落札者数に絞り込まれていない場合は、Ｓ１１１０に進み、所定落札者数に絞り込まれた場合はＳ１１６０に進む。
【０２８８】
Ｓ１１１０では、数値が複数設定された場合であって、まだ競り処理されていない他の数値が残っているか否かを判断する。他の数値がまだあればＳ１１２０に進み、そうでなければＳ１１６０に進む。
【０２８９】
Ｓ１１２０では、数値を変更する。
Ｓ１１３０では、変更後の他の数値で競り処理を行い、所定落札人数にまで絞込みを行う。入札情報中の他（第２優先）の数値について希望条件（図４４の優先規則）に照らして優先順から所定落札人数に絞り込む。これでも絞り込まれない場合は、まだ競り処理の対象となっていない他の数値があれば次優先の他の数値に変更し（Ｓ１１１０）、その変更後の他の数値で競り処理をして絞り込みを行う。こうして所定落札数に絞り込まれるまで、あるいは設定された数値の全てについて競り処理を終えるまで段階的に異なる数値で順次競りを行う。
【０２９０】
Ｓ１１６０では、絞込処理を行う。すなわち次段階の競りをするための数値が無い場合で、この場合は、利用者にとって最も希望に沿う価格を提示した者が落札し、一方、価格が固定であったり価格自体が取り扱われない競り形式である場合は、予め決められた所定ルールに従って落札者を所定落札人数に絞り込む。
【０２９１】
一方、Ｓ１０９０において落札自己選択の設定がなされていると判断されれば、Ｓ１１４０で所定落札人数分の入札情報をリストにした図４３に示すリスト画面ＸＣを表示する。利用者は端末３０の画面でパスワードを入力した後に画面表示を選択するとリスト画面ＸＣを見ることができる。リスト画面ＸＣには数値の値の優先順に候補者（コード番号表示）がリストアップされており、入札者が提示した他の情報を参考にしながら取引相手を決める。取引相手が決まると、落札者選択入力欄ＸＣ２に該当するコード番号を入力した後、確定ボタン１４２を選択する。利用者が選択した落札者情報はインターネットＮを通じてサーバ２１に送信される。
【０２９２】
Ｓ１１５０では、落札者が決定したか否かを判断する。落札者が決定されるまではリスト表示（Ｓ１１４０）が継続され、落札者が決定されればＳ１１７０に進む。
【０２９３】
Ｓ１１７０では、取引成約の旨を双方に通知する。
次にこの数値オークションについて、その数値である「長さ・空間」、「重量」、「数・数量」の具体例を、以下に列挙する。
【０２９４】
（１）　まず数値が「長さ・空間」の例で、買い手が最も高い高さ、長い長さ、広い面積、大きい体積、大きな容積を提供する売り手を、もしくはその情報をオークションで選ぶ場合である。
【０２９５】
・　買い手が最も高い高さまで飛ぶヘリコプター、飛行機、気球、ロケット、衛星等を提供する売り手を、もしくはその情報をオークションで選ぶ。
・　買い手が最も高い高さの、もしくは長い長さの建物、看板、はしご、クレーン、人間、標本、立木等や海抜の高い土地、鋼区、鉄塔、気球、衛星等を提供する売り手を、もしくはその情報をオークションで選ぶ。
【０２９６】
・　買い手が最も広い土地、建物、看板、プール、商品売場、競技場、駐車場、部屋、倉庫、用途施設場、車、家具、敷物、電器製品を提供する売り手を、もしくはその情報をオークションで選ぶ。
【０２９７】
・　買い手が最も大きなスベースを提供する新聞、雑誌、書籍、パンフレット、チラシ、ホームページ、看板、広告媒体物等を提供する売り手を、もしくはその情報をオークションで選ぶ。
【０２９８】
・　買い手が最も大きな積載容積を持つ又は体積の車、船、飛行機、列車、気球、衛星等や大きな容積を持つ地上タンク、貯蔵設備、倉庫、電器製品、容器、収納庫、風呂、廃物、処理設備、商品等を提供する売り手を、もしくはその情報をオークションで選ぶ。
【０２９９】
（２）　次は、買い手が最も少ない高さ、もしくは短い長さ、狭い範囲、少ない体積、少ない容積を提供する売り手を、もしくはその情報をオークションで選ぶ場合である。
【０３００】
・　買い手が最も低い高さで飛ぶヘリコプター、飛行機、気球、ロケット、衛星等を提供する売り手を、もしくはその情報をオークションで選ぶ。
・　買い手が目的地まで最も短い距離を走る運搬車、バス、タクシー、列車、飛行機、ヘリコプター等を提供する売り手を、もしくは道路、バス、列車、飛行機等の情報をオークションで選ぶ。
【０３０１】
（３）　次も数値は同じで、逆に売り手が最も高い高さ、長い長さ、広い面積、大きい体積、大きな容積を希望する買い手を、またはその情報をオークションで選ぶ場合である。
【０３０２】
・　売り手が最も高い高さまで飛ぶヘリコプター、飛行機、気球、ロケット、衛星等の買い手を、もしくはその情報をオークションで選ぶ。
・　売り手が最も高い高さの、もしくは長い長さの建物、看板、はしご、クレーン、人間、標本、立木等や、海抜の高い土地、鋼区、鉄塔、気球、衛星等を希望する買い手を、もしくはその情報をオークションで選ぶ。
【０３０３】
・　売り手が最も広い土地、建物、看板、プール、商品売場、競技場、駐車場、部屋、倉庫、用途施設場、車、家具、敷物、電器製品等を希望する買い手を、もしくはその情報をオークションで選ぶ。
【０３０４】
・　売り手が最も大きなスペースを提供する新聞、雑誌、書籍、パンフレット、チラシ、ホームページ、看板、広告媒体物等の買い手を、もしくはその情報をオークションで選ぶ。
【０３０５】
・　売り手が最も大きな積載容積を持つまたは体積の車、船、飛行機、列車、気球、衛星等や、最も大きな容積を持つ地上タンク、貯蔵施設、倉庫、電器製品、容器、収容庫、風呂、廃物、処理設備、商品等の買い手を、もしくはその情報をオークションで選ぶ。
【０３０６】
（４）　次は、売り手が最も少ない高さ、もしくは短い長さ、狭い面積、少ない体積、少ない容積を希望する買い手を、もしくはその情報をオークションで選ぶ場合である。
【０３０７】
・　売り手が最も低い高さで飛ぶヘリコプター、飛行機、気球、ロケット、衛星等の買い手を、もしくはその情報をオークションで選ぶ。
・　売り手が、目的地まで最も短い距離を走る運搬車、バス、タクシー、列車、飛行機、ヘリコプター等の買い手を、もしくは道路、バス、列車、飛行機等の情報をオークションで選ぶ。
【０３０８】
（５）　次は数値が「重量」の例で、買い手が運搬や処理、購入等で最も多い重量を示した売り手を、もしくはその情報をオークションで選ぶ場合である。
・　石油、石炭、ガス等の燃料や、鉱石、陶土、砂利土石、水、木材等の原料や、自然物、農産物、水産物、海産物、飲食物、商品、化学原料、薬品、肥料、機械、製品、半加工製品等を、最も多くの重量を販売する売り手を、もしくはその情報をオークションで選ぶ。また、これら荷物を最も多い重量を運ぶ運搬者、運搬会社、運搬可能な船、鉄道、自動車、飛行機、気球、ロケット、運搬装置等を、もしくはその情報を提供する提供者や機関をオークションで選ぶ。
【０３０９】
・　廃棄物、汚泥物、し尿等の処理物を、最も多くの重量を処理する請負人、請負会社・機関等を、もしくはその情報をオークションで選ぶ。また、これら処理物を、最も多い重量を処理可能な設備、機械等を、もしくはその情報をオークションで選ぶ。また、これら処理物の最も多い重量を運搬可能な運搬者、運搬会社等を、もしくはその情報をオークションで選ぶ。
【０３１０】
・　古紙、空容器、廃材、廃品、廃金属、プラスチック、油、電気製品、家財、衣料等の廃棄物を、最も多い重量をリサイクルする請負人、請負会社等を、もしくはその情報をオークションで選ぶ。また、これら廃棄物の最も多い重量をリサイクル可能な設備、機械、システム、特許等を、もしくはその情報をオークションで選ぶ。また、これら廃棄物の最も多い重量を運搬可能な運搬者、運搬会社を、もしくはその情報をオークションで選ぶ。
【０３１１】
・　買い手が、最も多い重量のＣＯ２ガス、ＳＯ２ガス、または買い手が指定した最も多い重量の物質の排出権利の売り手を、もしくはその情報をオークションで選ぶ。
【０３１２】
・　買い手が、最も多い重量のガス、液体物、固体物を保存する倉庫、設備装置、システム、会社等を、もしくはその情報をオークションで選ぶ。また、最も多い重量のこれら物質を処理するためのシステム、設計図、特許、機械、設備、装置、工場、会社等を、もしくはその情報をオークションで選ぶ。
【０３１３】
（６）　次は、売り手が運搬や処理、販売等で最も多い重量を示した買い手を、もしくはその情報をオークションで選ぶ場合である。
・　石油、石炭、ガス等の燃料や、鉱石、陶土、砂利土石、水、木材等の原料や、農産物、林産物、飲食物等や化学原料、薬品、肥料、製品、半加工製品等を、最も多くの重量を購入する買い手を、もしくはその情報をオークションで選ぶ。また、これら処理物の最も多い重量を運ぶ運搬車、運搬会社、あるいは運搬可能な車、鉄道、船、飛行機、気球、ロケット、運搬機械、装置等を、もしくはその情報をオークションで選ぶ。
【０３１４】
・　電気、水、ガス、燃料等を、最も多くの量を消費する消費人を、もしくはその情報をオークションで選ぶ。また、電気、水、ガス、燃料等の最も多くの量を送る送電、送水、送気、輸送装置、システム、事業者等を、もしくはその情報をオークションで選ぶ。
【０３１５】
・　売り手が、処分品、在庫品、価値的廃棄物、中古品を、最も多くの重量を購入する買い手を、もしくはその情報をオークションで選ぶ。
・　売り手が、最も多い重量のＣＯ２ガス、ＳＯ２ガス、あるいは売り手が指定した物質の排出権利の買い手を、もしくはその情報をオークションで選ぶ。
【０３１６】
（７）　次は、逆に買い手が運搬、処理、購入等で最も少ない重量を示した売り手を、もしくはその情報をオークションで選ぶ場合である。
・　買い手が、燃焼させたとき最も少ない重量のＣＯ２、有毒ガス、排出規制物質、または買い手が指定した物質等を発生する燃料、原料、ビニール、プラスチック、包装製品、容器、日常品、電器、家具、衣服、中間製品、商品等の売り手を、もしくはその情報をオークションで選ぶ。
【０３１７】
・　買い手が、最も少ない重量の放射線、気体ガス、水、溶剤、洗剤、発泡材、酸化還元剤、腐食剤、発色剤、消毒剤、農薬、油、混合剤、または買い手が指定した物質等を混入、あるいは使用する電器製品、機械、装置、中間製品、商品、農水、林産物、種子、加工食品、システム、設計図、特許等を、もしくはその情報をオークションで選ぶ。
【０３１８】
・　買い手が、最も少ない重量の放射線や、ＣＯ２ガス、窒素、リン酸化合物等の排気ガス、排出規制物質等や、買い手が指定する物質等を排出、あるいは発生する車、船、飛行機、列車、ロケット、機械、設備、原子力発電機関等を、もしくはその情報をオークションで選ぶ。
【０３１９】
・　買い手が、最も少ない重量の放射線や、ＣＯ２ガス、窒素、リン酸化合物等の排気ガス、排出規制物質等や、買い手が指定する物質を排出、あるいは発生する土地、建物、製品、商品、工場、会社、装置、設備、原子力発電装置、設計図、システム、特許等を、もしくはその情報をオークションで選ぶ。
【０３２０】
・　買い手が、最も少ない重量の放射線、気体ガス、液体物、固体物を排出、あるいは発生するシステム、設計図、特許、機械、設備、工場、会社、製品等を、もしくはその情報をオークションで選ぶ。
【０３２１】
・　買い手が、最も少ない重量のＣＯ２ガス、ＳＯ２ガス、あるいは買い手が指定した物質等の排出権利の売り手を、もしくはその情報をオークションで選ぶ。
【０３２２】
（８）　次は、売り手が運搬、処理、販売等で最も少ない重量を示した買い手を、もしくはその情報をオークションで選ぶ場合である。
・　売り手が、産業廃棄物、処理物、回収物、中古製品、原料、中間製品等を販売する、あるいは処理を依頼するときに、買い手側がそれらの処理、修理、加工等の段階で、最も少ない重量の放射線、ＣＯ２ガス、排出規制ガス、有毒ガス、汚染水、排水、汚染物質、排出規制物質、最終廃棄物、売り手の指定した物質等を発生させる、あるいは排出する工場、機械、設備、技術等を所有する購買人、処理人、購買または処理する法人、機関を、もしくはその情報をオークションで選ぶ。
【０３２３】
・　売り手が、最も少ない重量のＣＯ２ガス、ＳＯ２ガス、売り手が指定した物質の排出権利の買い手を、もしくはその情報をオークションで選ぶ。
（９）　次は、数値が「数・数量」の例で、買い手が運搬、処理、購入等で最も多い数・数量を示した売り手を、もしくはその情報をオークションで選ぶ場合である。
【０３２４】
・　容器や梱包になった、燃料、原料や、食品、商品、薬品、製品、半加工製品等を、最も多くの数量を販売する売り手を、もしくはその情報をオークションで選ぶ。また、それらの荷物を、最も多くの数量を運ぶ運搬車、運搬会社等を、または運搬可能な車、船、列車、飛行機、気球、ロケット、運搬機械、装置等を、もしくはその情報をオークションで選ぶ。
【０３２５】
・　容器や梱包になった燃料、原料や、食品、商品、製品、半加工品、電器製品、家財、衣料、機械等を、最も多くの数量をリサイクルする請負人、請負会社等、あるいは最も多くの数量をリサイクルする設備、機械、システム、特許等、または最も多くの数量をは込む運搬車、運搬会社等を、もしくはその情報をオークションで選ぶ。
【０３２６】
・　買い手が、最も多くの数量の容器入りガスや液体物、梱包された固体物等を保存するシステム、倉庫、設備、装置、会社等を、または処理するシステム、設計、特許、機械、設備、装置、工場、会社等を、もしくはそれらの情報をオークションで選ぶ。
【０３２７】
・　買い手や借り手が、最も多くの数の分割支払、分割購入、分割運搬・配布、分割処理、分割作業、分解作業・方法、等に応じる販売会社、金融会社、運搬・配布会社、請負会社、システム、設計、特許、機械、設備、装置等を、もしくはそれらの情報をオークションで選ぶ。
【０３２８】
・　買い手が、テレビ、ブラウン管、表示装置、ビデオカメラ、デジタルカメラ、半導体、メモリーチップ、コンピュータ、インターネット端末機、電話機、サーバ、フロッピーディスク、映写機、望遠鏡等を選ぶときに、走査線数、画素数、記憶容量数、伝達速度数、実行速度数、解像度数、倍率等で最も多くの数を示した売り手、もしくはその情報をオークションで選ぶ。
【０３２９】
・買い手が、企画広告の出稿量、新聞・テレビ・ラジオ・出版・インターネットの広告・記事の出稿量、ビデオ・レコード・ＣＤ・ＭＤ・ＤＶＤの製作・販売数、会員クラブの年間利用券数、宿泊所の部屋数等を、最も多くの数・数量を提示する、あるいは製作・販売する売り手を、もしくはそれらの情報をオークションで選ぶ。
【０３３０】
（１０）　次は、売り手が運搬、処理、販売等で最も多い数・数量を示した買い手を、もしくはその情報をオークションで選ぶ場合である。
・　容器や梱包になった燃料、原料や、食品、商品、薬品、製品、半加工品等を、最も多くの数量を購入する買い手を、もしくは買い手の情報をオークションで選ぶ。また、それらの荷物の最も多くの数量を運ぶ運搬車、運搬会社等や、または運搬可能な車、船、列車、飛行機、気球、ロケット、運搬機械、装置等を、もしくはその情報をオークションで選ぶ。
【０３３１】
・容器に入った、水、ガス、燃料等を最も多くの数量を消費する消費人を、もしくはその情報をオークションで選ぶ。また、それらの荷物を最も多くの数量を運ぷ運搬者、運搬会社等や、あるいは運搬可能な、車、船、列車、飛行機、気球、ロケット、運搬機械、装置、または輸送する装置、システム、事業者等を、もしくはその情報をオークションで選ぶ。
【０３３２】
・売り手が、処分品や在庫品、価値的廃棄物、中古品を、最も多くの数量を購入する買い手を、もしくはその買い手の情報をオークションで選ぶ。またｈ、それらの荷物を最も多くの数量を運ぶ、運搬者、運搬会社等や、または運搬可能な、車、船、列車、飛行機、気球、ロケット、運搬機械、装置を、もしくはその情報をオークションで選ぶ。
【０３３３】
・　売り手や貸し手が、最も多くの数の分割支払、分割購入、分割運搬、配布販売等に応じる買い手、借り手、機関、システム会社・配布販売会社等を、もしくはその情報をオークションで選ぶ。
【０３３４】
（１１）　次は、買い手が最も少ない数・数量を示した売り手を、もしくはその情報をオークションで選ぶ場合である。
・　買い手や借り手が、最も少ない数の分割支払、分割購入、分割運搬、分割処理、分割作業、分解作業・方法等に応じる、販売会社、金融会社、運搬会社、処理会社、請負会社、システム、設計、特許、機械、設備、装置等を、もしくはその情報をオークションで選ぶ。
【０３３５】
・　買い手が、建造物、機械、製品、商品・作品を、組み立てや製造する時に最も少ない数の、部品、工程、作業等で出来る、システム、設計、特許、機械、設備、装置、請負会社等を、もしくはそれらの情報をオークションで選ぶ。
【０３３６】
（１２）　次は、売り手が最も少ない数・数量を示した買い手を、もしくはその情報をオークションで選ぶ場合である。
・　売り手や貸し手が、最も少ない数の分割支払、分割購入、分割運搬、分割処理、分割作業、分解作業・方法等に応じる、買い手、借り手、機関、システム会社等を、もしくはその情報をオークションで選ぶ。
【０３３７】
従って、この第５実施形態によれば以下の効果が得られる。
（１０）依頼主（依頼者）が数値に関して希望する取引条件を提示して、その数値を競りの対象として取引相手を競り落とすオークション形式を採用したので、依頼主は価格以外の競り対象として数値でオークションができ、その数値について各人の事情に応じた希望に適う取引相手を探し出すことができる。
【０３３８】
（１１）本例のオークションでは長さ、面積、重量等の数値のうち複数を選択可能であるので、依頼主は競りの対象である数値において、より一層、依頼主の要望に適う取引相手をオークションで選び出すことができる。
【０３３９】
（１２）情報の入手の要望を受け付けて、その要望された情報の提供を広くインターネットＮを通じて第三者に募り、提供された情報の内容中にある数値について競りをし、依頼者の要望に対して最も適った内容の情報を提示した情報提供者（入札者）に落札させる情報のオークションを採用した。よって、商品や役務の提供者や提供会社などがオークションシステムに参加していなくても、どうすれば所望する商品や役務の提供を受けることができるかなどの最も適切な情報を入手することができる。このような第三者が持つ情報を取引することで、第三者から見た他人にとって価値のある情報を有効に活用することができる。
【０３４０】
（第６実施形態）
次に、本発明を具体化した第６実施形態を図１，図４，図４６〜図５８に従って説明する。この実施形態では、競りの対象が要素としての評価数値である点が前記各実施形態と異なっている。
【０３４１】
評価数値オークションを実施するオークションシステムは図１に示す構成と基本的に同様である。図１は、売り手と買い手が商品又は役務のオークションをネットワークを介して行うためのオークションシステムを示す。オークションシステムは、オークション管理システム２０と、ネットワーク（この例ではインターネット）Ｎと、利用者（顧客）用の端末３０とから構成される。
【０３４２】
オークション管理システム（仲介管理サーバシステム）２０は、サーバ（Ｗｅｂサーバ）２１と、顧客・商品管理データベース（ＤＢ）１４５、競り管理データベース（ＤＢ）１４６、評価データ管理データベース（ＤＢ）１４７とから構成される。なお、サーバ２１は、Ｗｅｂサーバとアプリケーションサーバとに分けるなど複数機でも構成できる。
【０３４３】
サーバ２１はインターネットＮに接続されており、インターネットＮを通じて第三者の端末３０と通信可能に接続されている。端末３０には、例えばメーカ（製造会社）や個人のパーソナルコンピュータ（以下単にパソコンという）３１、インターネット通信対応（例えばｉモード対応）の携帯電話３２などが挙げられる。サーバ２１による顧客提供サービスを受けられるのは、予め利用者登録を済ませた個人や業者（メーカや販売店等）のみである。この実施形態におけるオークションシステムでは、依頼者の依頼を受けてその要望に適う商品や役務（サービス）を募り、あるいは依頼者が商品や役務の提供者であるときはその買い手を募り、応募（入札）された商品や役務、あるいは商品や役務の提供を受ける者（買い手）を、依頼者の要望の観点から数値評価する。そして依頼者の要望に最も適う評価数値を出したものが落札するオークション方式を採用する。以下、このオークションのことを、評価オークションと呼ぶことにする。つまり評価オークションとは、依頼者が希望する商品・役務について、依頼者の要望を満たすか否かを数値評価し、予め登録された又は依頼があったその都度募集して集まった多数の入札情報（商品・役務など）の中から、その商品又は役務、役務に供される物や者についての評価点（数値）が依頼者の要望に一番適うものを落札するオークション取引きである。
【０３４４】
図４６は、オークション管理システム２０の機能構成図である。オークション管理システム２０は、通信部１４８、制御部１４９、競り演算部１５０、落札絞込演算部１５１および評価演算部１５２を備える。通信部１４８、制御部１４９、競り演算部１５０、落札絞込演算部１５１および評価演算部１５２はサーバ２１により構成される。通信部１４８は所定の通信手順（例えばＨＴＴＰ）で動く。競り管理ＤＢ１４６は競りに必要なデータ等を記憶するもので、その中に備えられた競り条件記憶部１５３には競りデータ記憶部１５４と絞込データ記憶部１５５を有する。評価データ管理ＤＢ１４７は、商品や役務の数値評価に必要なデータ等を記憶するもので、その中に評価データ記憶部１５６と換算データ記憶部１５７を有している。制御部１４９および各演算部１５０〜１５２は、評価オークションで数値評価やその数値で競る競り処理のための演算制御などに使用され、この演算に各記憶部１５３，１５６，１５７に記憶された各種データが使用される。また競る対象である評価数値は、純粋に数値であることに限定されず、例えばＡ，Ｂ，Ｃなどの評価ランクであっても構わず、コンピュータ処理により比較できる数値類であれば足りる。
【０３４５】
仲介会社のサーバ２１には、オークションホームページ（ＨＰ）（サイト）が置かれ、ネットワークＮを通じて利用者（顧客）は端末３０からブラウザソフトを用いて画面上に図４７に示すオークションＨＰを表示させて閲覧する。オークションＨＰには、図４と同様の利用者登録画面Ｐ、図４８に示す依頼登録画面Ｅ、図５２に示す入札登録画面Ｋ、図５３に示す情報提供画面ＮＢなどの各種画面がリンクされている。サーバ２１のハードディスクには、各種画面ＨＰ，Ｐ，Ｅ，Ｋ，ＮＢ等の画面データ、画面の表示等に用いるプログラム（例えばＨＴＭＬ記述プログラム）やオークションの演算処理に用いるプログラムが記憶されている。
【０３４６】
図４７に示すように、オークションＨＰには、利用者登録ボタン１０３、依頼登録ボタン１０４、情報入力ボタン１１７、直接取引ボタン１０６、情報取引ボタン１０７、食品、就職、教室、不動産、融資、ベンチャー（起業）、古品など商品又は役務の各種分野別に分類された多数の選択ボタン１００、通常のオークションか逆オークションかを選択する選択項目１０８、確定ボタン１３０が用意されている。但し、同図では商品・役務分類は一部のみ示している。利用者登録ボタン１０３を選択することで利用者登録画面Ｐ（図４）が表示される。
【０３４７】
図４に示すように利用者登録画面Ｐには、売り手・買い手のどちらを希望するかを選択する選択項目Ｐ１、住所、氏名、電話番号、電子メールアドレス、性別、年齢、備考などを入力するための各種入力欄Ｐ２が用意されている。利用者は端末３０Ａに表示された利用者登録画面Ｐでこれら全ての項目に必要事項を入力してＯＫボタン５５を選択すると、この利用者登録データＤ１はネットワークＮを通じてサーバ２１に送信され、顧客・商品管理ＤＢ１４５に格納される。サーバ２１は所定の手数料の納付を確認すると登録者の端末３０Ａへ認証番号（ＩＤとパスワード）を送信する。登録者は、オークションを利用するときには認証番号を使用する。
【０３４８】
依頼者が評価オークションに依頼をする仕方には、取引対象（取引相手又は商品・役務）を直接探す「直接取引」と、取引対象（取引相手又は商品・役務）についての情報を探す「情報取引」との２通りがある。依頼者が「直接取引」をするときは依頼登録ボタン１０４を選択し、「情報取引」をするときは情報入力ボタン１１７を選択する。「直接取引」と「情報取引」のどちらでも、商品・役務を競り落とす通常のオークションか、商品・役務の買い手を競り落とす逆オークションかを選択項目１０８で指定すると共に、希望する商品・役務の属する分類の選択ボタン１００を選択する。直接取引ボタン１０６と情報取引ボタン１０７は、入札用でそれぞれ入札時に「直接取引」と「情報取引」のどちらであるかを選ぶためのものである。
【０３４９】
希望のボタン１００と、依頼登録ボタン１０４又は情報入力ボタン１１７を選択した状態で、確定ボタン１３０を選択すると、図４８に示す依頼登録画面Ｅが表示される。依頼登録画面Ｅは、取引対象である商品・役務の特定と、商品・役務に関する依頼者の要望を入力するためのものである。この画面Ｅには、「直接取引」と「情報取引」のどちらであるかの種別を示す取引種表示部１６０と、商品又は役務名（詳細指定）、商品品番、サービス内容など商品・役務を特定するための各種入力欄Ｅ１〜Ｅ３が用意されている。取引種表示部１６０は「直接取引」と「情報取引」の両表示部のうち該当する方がアクティブ状態（同図は「直接取引」の例）になる。
【０３５０】
要望は複数種の方法で入力できるようになっており、画面Ｅには、文章で要望を入力するための文章入力欄Ｅ４、キーワードで要望を特定するためのキーワード登録ボタン１６１，１６２，１６３、評価項目（スペック等）毎の数値等を指定して要望を特定するための評価登録リストボタン１６４が用意されている。また要望のレベルを「最高」「高」「中」「低」「最低」の５段階で指定できる選択項目Ｅ５が用意されている。例えば文章で「よい」「低い」などのレベルを示す用語を入力したときにそのレベルを明確に特定する必要があるためである。後述するキーワードで要望を特定する場合も要望のレベルを同様に特定する必要が生じる場合があるため、選択項目Ｅ５が必要に応じて使用される。また、依頼登録後に入札募集をするか否かを選択する選択項目Ｅ６、制限時間の入力欄Ｅ７が用意されている。選択項目で入札募集「する」を選択した場合は、この依頼登録後にサーバ２１は依頼者の要望を配信して入札者を募る募集をすることになるので、制限時間の入力欄Ｅ７に依頼者が希望する入札期間を入力する。
【０３５１】
サーバ２１は、文章入力欄Ｅ４に入力された要望の文章を解析して、その要望に合った適切なキーワードを内部処理で自動に付す機能を採用する。サーバ２１のマイコンは、文章を解析して評価項目となりそうなキーワードを抽出し、文章から適切な評価項目を見つけ出す。また文章の解析結果から把握される要望内容からどの評価項目に重点をおくべきかを評価率指定用データに従って割り出し、各評価項目（キーワード）毎の評価率を割り振る。ＤＢ１４７には文章中の単語から適正なキーワード（評価項目）を抽出するためのデータベースデータと、文章解析結果から把握される要望の意図（例えばキーワード組合列から特定される要望の意図）から各キーワードの評価率を割り出す評価率指定用データが記憶されている。
【０３５２】
文章の入力例としては、例えば「おいしくて冷たく健康によい食品」などである。この場合、「おいしい」とは主観的な事柄であるので、サーバ２１のマイコンは、「おいしさを具体的に入力して下さい。」と応答をする。依頼者はその詳しい説明として例えば「甘くておいしい」と入力する。文章が適切であれば例えば単語毎に「甘い」「おいしい」「冷たい」「健康」「食品」に分解され、「健康」「食品」の２単語列の組合せから例えばキーワード「健康」が抽出される。
【０３５３】
キーワード「健康」では食品の成分で健康に欠かせないビタミンやミネラル等の成分の高い食品ほど評価得点が高くなるように所定の計算式が特定されて設定される。例えば食品のビタミンやミネラルなどの成分データをはじめ、各種商品・役務やその提供者についての品質、特性、成分、性能、資格、専門等に関するデータベースデータである評価データが、依頼者の提出データや既存データ等を基に作成されてＤＢ１４７に記憶されており、キーワードの評価得点は、そのキーワードに応じた所定の計算式に従って評価データを用いて算出される。
【０３５４】
また「健康」を具体化し、文章の入力例が「甘く冷たくておいしく糖尿病にもよい食品」であるすると、単語毎に「甘い」「冷たい」「おいしい」「糖尿病」「食品」が選ばれる。例えば「甘い」「食品」「糖尿病」の３つの単語組合列があると、例えばキーワード「糖尿病」が抽出され、その他キーワードとして「甘い」が抽出される。キーワード「糖尿病」では食品成分中の糖質が少ないほど評価点が高くなり、しかもその評価率が高く（高数値％）なるような所定の計算式が特定されて設定される。このように単語組合列からキーワードの特定や評価率、評価点の傾向を決めるためのデータベースデータがＤＢ１４７には保存されている。このデータベースデータは専門家の知識を集結し、もしくは経験則に基づき作られたものである。キーワード（評価項目）として「甘さ」が抽出され、食品のうち甘味成分の多い、また「糖尿病」がキーワードにあれば砂糖を使用しない砂糖以外の甘味料を使って甘度の高い食品の評価点が高くなる。
【０３５５】
依頼者は、所望する商品・役務を提示し、その中で特に要望があればその要望をキーワードの登録で特定する。キーワード登録には、「優先順登録」「評価率登録」「既定登録」の３種類があり、それぞれ３つのボタン１６１，１６２，１６３で選択する。図４９，図５０，図５１は、依頼者が要望を入力するために用意された３種類の顧客登録画面である。画面Ｅで、各ボタン１６１，１６２，１６３を選択すると、図４９，図５０，図５１に示す３種類の依頼登録画面ＬＡ，ＬＢ，ＬＣがそれぞれ表示される。図４９の依頼登録画面ＬＡは、キーワードの優先順位を指定できる「優先順登録」のキーワード登録用のものである。この画面ＬＡには、商品役務表示欄１６６と、評価の際に重視する優先順に第１優先〜第ｎ優先までの最大ｎ個のキーワードを入力可能な各入力欄ＬＡ１〜ＬＡｎと、ＯＫボタン１６７が用意されている。
【０３５６】
図５０の依頼登録画面ＬＢは、各キーワードの重要度に応じた比率を評価率（％）の形で指定できる「優先順登録」のキーワード登録用のものである。この画面Ｔには、図４９と同様の商品役務表示欄１６６と、第１優先〜第ｎ優先までの入力欄ＬＢ１〜ＬＢｎと、これらのための評価率入力欄１６８と、ＯＫボタン１６７が用意されている。
【０３５７】
図５１の依頼登録画面ＬＣは、キーワードに優先順位を特につけないか、予めプログラムで初期設定された既定の優先順位が適用される「既定登録」のキーワード登録用のものである。この画面ＬＣには、商品役務表示欄１６６と、評価項目として最大ｎ個までのキーワードの入力が可能な入力欄ＬＣ１〜ＬＣｎと、ＯＫボタン１６７が用意されている。
【０３５８】
各依頼登録画面ＬＡ，ＬＢ，ＬＣの入力欄ＬＡ１〜ＬＡｎ，ＬＢ１〜ＬＢｎ，ＬＣ１〜ＬＣｎには、予め用意されたキーワードの中から選択するか、又は自由にキーワードを入力することができる。
【０３５９】
また評価登録リストボタン１６４を選択すると、登録リストＥＡが表示される。登録リストＥＡには、依頼者が指定した商品・役務を評価するうえで必要と推察される予め用意された複数の評価項目などが列挙されており、依頼者は必要と思われる、または指定された評価項目に希望の数値や範囲などの必要事項を入力する。なお、画面Ｅ，ＬＡ，ＬＢ，ＬＣや登録リストＥＡが依頼画面に相当する。
【０３６０】
依頼者は端末３０Ａに表示された依頼登録画面Ｅ，ＬＡ，ＬＢ，ＬＣ、登録リストＥＡで必要事項を入力後、画面Ｅで送信ボタン１６５を選択すると、商品・役務関連情報と要望情報を含む競り依頼情報としての依頼登録データＤ１８はネットワークＮを通じてサーバ２１に送信される。依頼登録データＤ１８はＤＢ１４５，１４７に各種データベースデータに必要に応じて分割されて取引種別毎・分野等毎に分類されて格納される。ここでは商品・役務関連情報が属性情報に相当する。
【０３６１】
一方、評価オークションの入札に参加する仕方には、「直接取引」と「情報取引」の２通りがある。「直接取引」で入札に参加するときは、オークションＨＰ画面で直接取引ボタン１０６を選択する。また「情報取引」で入札に参加するときは、オークションＨＰ画面で情報取引ボタン１０７を選択する。「直接取引」と「情報取引」のどちらでも、通常のオークションか逆オークションかを選択項目１０８で指定すると共に、希望する商品・役務の属する分類の選択ボタン１００を選択後、確定ボタン１３０を選択する。すると、「直接取引」が選択されたときは図５２に示す入札登録画面Ｋが表示され、「情報取引」が選択されたときは図５３に示す情報提供画面ＮＢが表示される。なお、入札登録画面Ｋおよび情報提供画面ＮＢが入札画面に相当する。
【０３６２】
図５２に示すように入札登録画面Ｋには、商品又は役務名（詳細指定）、商品品番、サービス内容、価格（料金）、場所、参考情報などの各種入力欄Ｋ１〜Ｋ６、数値評価に使用する評価データを登録するときに選択する評価データ登録ボタン１６９、依頼者の要望が表示される要望表示欄Ｋ７、要望参照ボタン１７０が用意されている。依頼者の要望の仕方が文章以外（キーワード登録または評価項目登録（スペック等））のときは、要望参照ボタン１７０を選択すると、依頼者のしたキーワード登録または評価項目登録の要望内容が補助画面に表示される。
【０３６３】
また評価データ登録ボタン１６９を選択すると登録リストＫＡが表示される。入札登録者は登録リストＫＡに列挙されている評価項目等に必要事項（評価データ）を入力する。依頼者は端末３０Ａに表示された入札登録画面Ｋで全項目に必要事項を入力して送信ボタン１７１を選択すると、入札情報としての入札登録データＤ１９はネットワークＮを通じてサーバ２１に送信される。入札登録データＤ１９のうち商品役務管理に該当するデータは顧客・商品管理ＤＢ１４５に追加され、評価管理に該当するデータは評価データ管理ＤＢ１４７の評価データ記憶部１５６に分野等毎に分類されて格納される。
【０３６４】
評価オークションでは、依頼者の要望を分析して評価項目に置き換え、その評価項目（例えばキーワード等で表される）について商品又は役務をその評価項目毎に数値評価し、その評価項目毎の評価数値を個々に評価したり、各評価項目全ての各評価点を合算した総合評価点で評価する。
【０３６５】
入札の仕方には、依頼がある前に予め入札内容を登録しておく予約入札方式と、依頼があってから入札者を募る通常入札方式との２通りがある。予約入札方式は、依頼がある前に予め入札情報をオークション管理システム２０に登録しておき、その後、依頼者から依頼があると既に登録されている入札データの中で競りを行う方式である。通常入札方式は、依頼者から依頼を受けてからその要望をネットワークＮを通じて広く第三者の端末３０に提示して入札者を募る方式である。予約入札方式の場合は、提示できる商品や役務の内容が固定である場合に適しており、依頼があれば待ち時間が少なくすぐに要望に適う商品・役務や買い手、あるいはその情報を探し出すことができる。一方、通常入札方式は、入札者が依頼者の依頼内容を見て判断してから、提示できる商品や役務の内容を決めて競りに参加でき、依頼者は要望に対して有利な条件を提示した入札者を落札できる。
【０３６６】
入札登録データＤ１９と入札情報データＤ２０（図５３参照）は、予約入札方式の場合は顧客・商品管理ＤＢ１４５及び評価データ管理ＤＢ１４７に格納され、通常入札方式の場合は競りデータ管理ＤＢ１４６に格納される。予約入札方式で各ＤＢ１４５，１４７に格納された入札データは依頼者からの依頼があると各ＤＢ１４５，１４７から読出され、競りに供される。
【０３６７】
商品は情報であってもよい。すなわち、ある商品やサービスを希望する場合、その商品の所有者、商品を売る会社、サービスの提供者・提供会社について知っている者から、必要な情報を買い取る取引にもオークションは利用される。
【０３６８】
あらゆる分野・ジャンルの情報が取引の対象とされる。ほんの一例を示すと、魚群情報（何時何分頃に場所は○○で魚種は○○魚で魚影の濃さは…。）、資源情報（希少金属や石油などの埋蔵情報等）などが挙げられる。
【０３６９】
「…（場所、区域）で○○という魚の魚群の情報を募集」と入力すると、またはキーワードの入力欄で「…（場所、区域）」、「○○（魚種）」「魚影」と入力すると、前者の場合は文章をそのまま情報としてインターネットＮを通じてその情報に関する情報を広く募る。この情報を見た者のうち知っている情報があれば、画面で情報提供ボタン○○を選択する。すると、図○○に示す情報提供画面が表示されるので、自分の持っている価値のある情報を情報提供入力欄○○に入力して入札する。
【０３７０】
オークションで魚群情報を取り扱う例を説明する。例えば魚の漁をしている船が自分が捕獲している魚以外で例えば釣り舟にとっては釣りの対象としている魚の魚影の情報を、釣り人や釣り船に提供する。この場合、情報を受ける船等にとっては最も近くの船からの情報を入手したい。そこで、オークションに参加し、最も近くの船からの情報を入手する。すなわち、魚群の情報を持つ船は、その情報をインターネットＮを通じて仲介会社のサーバ２１に提供する。例えば釣り人や漁船は、近くの船からの漁に有効な何か情報がないかをオークションを利用して探す。この場合、優先入力欄に魚の種類等を入力して情報を絞ることもできる。また位置範囲を絞ることもできる。
【０３７１】
サーバ２１は何に関する情報であるかが分かる程度の概要を広く第三者の端末３０に提供し、その概要を見た第三者は端末を通じてその情報を買い取る取引方法を実施することもできる。
【０３７２】
例えば図４７に示すようにオークションＨＰ画面で情報入力ボタン１１７を選択すると図５３に示す情報提供画面ＮＢが表示される。図５３に示すように、「情報取引」の入札画面である情報提供画面ＮＢには、募集情報表示欄ＮＢ１、情報料（情報提供報酬額）表示欄ＮＢ２、残り時間表示欄ＮＢ３、情報入力欄ＮＢ４、ＩＤ番号入力欄ＮＢ５、要望参照ボタン１７２、情報添付ボタン１７３、送信ボタン１７４が用意されている。募集情報表示欄ＮＢ１には依頼者が探している情報の内容が文章で表示されるとともに、依頼者の要望の仕方が文章以外（キーワード登録または評価項目登録（スペック等））のときは、要望参照ボタン１７２を選択することで、依頼者のしたキーワード登録または評価項目登録の要望内容が補助画面に表示される。情報料表示欄ＮＢ２に情報料が表示されるので、その募集された情報を提供できる閲覧者は情報入力欄ＮＢ４にその提供情報を入力（記入）し、または添付ボタン１７３を選択すると表示される登録リストＮＢＢに評価データ等の必要事項を入力して詳細データを添付する。そしてＩＤ番号入力後に送信ボタン１７４を選択すると、入札情報としての入札情報データＤ２０はネットワークＮを通じてサーバ２１に送信される。
【０３７３】
この情報提供画面ＮＢでは、募集情報表示欄ＮＢ１に依頼者が探している情報内容が表示されるとともに、情報料表示欄ＮＢ２に情報料が表示されるので、その募集情報を提供できる情報を持つ閲覧者は情報入力欄ＮＢ４にその提供情報を入力（記入）をし、または添付ボタン１７３を選択すると表示される登録リストＮＢＢで評価項目（スペック等）のデータを入力し、添付操作をしてデータを添付し、ＩＤ番号入力後に送信する。これらの情報をサーバ２１はデータベース１４７に管理する。例えば依頼者が要望に関する情報をサーバ２１に送信してくると、サーバ２１はデータベース１４７の管理データの中から該当する情報を探す処理をするとともに、緊急に必要な情報でなく募集時間をとってもある程度許される場合は、情報を直ちに募集する。そして残り時間が無くなった制限時間終了後、得られた情報を分析し、顧客のニーズに最も適合した情報を顧客用端末３０に送信する。この際、依頼者の指定した要望のレベルに応じて落札する評価点の基準が指定され、その指定された評価レベルに則って落札者が決定される。希望情報を得た依頼者は情報料に手数料を加えた金額を支払う。落札者には情報料が支払われる。
【０３７４】
また、依頼者は欲しい商品又は役務を提示するだけでもよく、その場合、サーバ２１は予め登録された商品又は役務を適正に評価するための評価データを記憶し、予め決められた複数の評価項目を数値評価して総評価点の高いものに落札させる。
【０３７５】
次に、依頼者の要望に適うか否かを数値評価する方法について説明する。
要望を分析して評価項目に置き換え、その評価項目（例えばキーワード等で表される）について商品をその評価項目毎に数値化し、その評価項目毎の数値を個々に評価したり、全ての数値を合算した総合評価点で評価する。この評価点が競りの対象とされ、評価点が競り形式の条件を満たすものであるほど優先的に落札する。このようにその要望を満たす評価点を得た数値で競りをする。また、依頼者や入札者は、商品又は役務を提示するだけでもよく、その場合、サーバ２１は予め登録された商品又は役務を適正に評価するための評価データを記憶し、予め決められた複数の評価項目を数値評価して総評価点の高いものに落札させる。
【０３７６】
図５５は、商品や役務について評価項目毎に評価点が記録された評価データＤ２１で、登録等された商品Ａ，Ｂ，Ｃ，…，について各評価項目毎の評価点が記録されている。この例では評価点は１００点満点評価としている。
【０３７７】
図５６は、キーワードを数値に変換するために使用する計算式が記録された計算式データＤ２２で、各キーワード毎に対応する計算式が記録されている。この計算式の変数が評価項目に相当し、計算式の各変数に対応する評価項目の評価点を代入して計算することで、キーワードに関する評価点が算出される。
【０３７８】
例えば食品を数値オークションで探す場合、評価項目が例えば「安全」「健康」「○○病」等のキーワードであれば、これらの要望をトータル的に適正に評価し評価点に換算する。各キーワードには正しく評価されるように予め考えられた計算式が設定されている。例えば「安全」であれば、計算式の変数として使用する評価項目に、自然野菜使用率、合成調味料使用率、糖使用率、農薬肥料、ミネラルなどが挙げられており人体にやさしいほど評価点が高得点となっている。例えば計算式「Σｋｎ　（＝ｋ１　２＋　…　ｎ　　）」（但し、ｋｎは評価項目ｎの評価点）が与えられる。このように評価データＤ２１と計算式データＤ２２に基づいてキーワードに応じた評価点が求められる。また「○○病」であれば、その病気の治癒に効能のある評価項目（例えばビタミン等の成分）が強く重み付けされるような計算式が採用され、その効能のある評価項目で高得点がついた食品は、基本的にキーワード「○○病」についての評価点が高くなる適正評価がなされる。例えば糖尿病であれば糖質割合の評価点については強く重み付けされるような計算式が用いられ、糖質割合の低い食品はこのキーワードについては顕著に高評価される。各データＤ２１，Ｄ２２は例えばデータベース１４７に記憶されている。
【０３７９】
例えば依頼者が複数のキーワードを設定したいために図４９の画面ＬＡを使用するときは、第１優先〜第ｎ優先の各キーワードの評価点が、その優先順に重み付けされて総合評価され、例えば第１優先１００％、第２優先８０％、…、第ｎ優先１０％などその既定評価率に応じた総合評価点が算出される。図５０の画面ＬＢを使用するときは、第１優先〜第ｎ優先の各キーワードの評価点が、対応する評価率％に応じて重み付けされて総合評価点が算出される。また図５１の画面ＬＣを使用するときは、各キーワードは等しい評価率で均等評価される。なお、個々の項目についての評価点や総合評価点などの数値に換算する基となる情報である、依頼者からの要望データ（例えばキーワード等）が被評価情報に相当する。
【０３８０】
図５４は、評価結果表示画面Ｏである。例えば依頼者が複数のキーワードを設定した場合、図５４に示すように、要望に適う候補の商品（又は役務）が総合評価点の高い順序で表示される。この画面Ｏでは、候補に挙がった各商品（又は役務）について、各評価項目（キーワード）毎の個別の評価点と、総合評価点とが表示される。評価結果表示画面Ｏのリストに挙がる入札者数はサーバ２１が判断し、全入札者数の一定割合、または依頼者が指定した一定人数以内に絞り込まれる。このように依頼者側の端末３０で評価結果表示画面Ｏを見ることができれば、依頼者は単に総合評価点だけでなく各評価項目毎の個々の評価点を参考にしながら落札者や落札商品を自分で選ぶことができる。
【０３８１】
この画面Ｏでは、落札候補順位第１位の商品（又は役務）と対応する右端位置に落札ボタン１７５が選択状態で表示される。各キーワードの評価点を個々に見て落札する商品を候補順位下位の商品に変更したいときはその商品と対応する右端位置を選択し、落札ボタン１７５が選択状態にある位置を該当商品の位置に切り換える。落札ボタン１７５が選択された状態でＯＫボタン１７６を選択する。
【０３８２】
一方、やり直しや取り消しのときはやり直しボタン１７７を選択する。落札する商品が決まりＯＫボタン１７６が選択されると、その落札データがサーバ２１に送信され、この落札データを受信したサーバ２１は売り手と買い手の双方に取引成立の旨を通知する。もちろんオークションの結果は、落札者の情報だけが依頼者に送信されるものとすることもできる。つまりサーバ２１は、総合評価点の最高得点の入札者を落札者として決定してその旨を評価内容と共に依頼者に通知する。
【０３８３】
次にオークション手順について図５７のフローチャートに従って説明する。
まずＳ２０１０では、商品・役務を選択する。すなわちオークションＨＰで、取引の種別（直接取引，情報取引）をボタン１０６，１０７で選択すると共に、商品・役務の分野を選択ボタン１００を選択して特定した後、確定ボタン１３０を操作し、その次画面（依頼登録画面）Ｅでその特定した分野の中の希望する商品又は役務を具体的に特定する（但し、分野によっては依頼登録画面Ｅの前に既に商品等が特定される場合もある）。なお、Ｓ２０１０〜２０４０で入力されたデータをサーバ２１が受信する手順が依頼手順に相当する。
【０３８４】
Ｓ２０２０では、商品又は役務に関する要望を入力する。すなわち文章入力する場合は依頼登録画面Ｅの文章入力欄Ｅ４に、要望を文章で入力する。またキーワードで要望を特定したい場合は、依頼登録画面Ｅで３種類のボタン１６１，１６２，１６３の中から１つを選択操作し、その次画面ＬＡ，ＬＢ，ＬＣでキーワードを入力し、画面ＬＢについては各キーワード毎の評価率を評価率入力欄１６８に入力する。また評価項目（スペック等）の数値等を具体的に入力する場合は、評価登録リストボタン１６４を選択すると表示されるリストＥＡで評価項目（スペック等）の数値等を入力する。
【０３８５】
Ｓ２０３０では、要望入力方法が、文章かキーワードかを判断する。文章であればＳ２０４０に進み、キーワードであればＳ２０５０に進む。
Ｓ２０４０では、文章解析処理をし、文章からキーワードを抽出する。ここで、文章解析処理は、文章を単語（名詞、形容詞等）ごとに区切る処理をして文章を単語毎に分け、各単語についてデータベース中の登録単語の中に一致するものがあるか否かを判定し、一致すればその登録単語と関連付けられたキーワードを選ぶ。また単語の中にはその一語のみでは評価の基準となり得ない抽象的で漠然とした意味しか持たないものもあるので（例えば「おいしい」）、その前後にある単語など他の単語との関連性（組合せ）を考慮して意味を見出し、その意味に合ったキーワードを選ぶこともする。また一致した登録単語と関連するキーワードが複数ある場合は単語同士の関連性から見出された意味からキーワードの絞り込みをする。この場合、商品や役務は既に決まっているので、それらの性質や特質も考慮されてキーワードは抽出される。また単語の意味が漠然と広すぎてキーワードが絞りきれない場合は、具体的な単語の再入力を要求する。
【０３８６】
Ｓ２０５０では、評価オークションを開始する。すなわちサーバ２１は依頼者から受信した依頼内容を反映させた入札登録画面Ｋを作成して配信し、アクセスしてきた者が見られる状態にして依頼者が提示した商品又は役務への入札を募る。インターネットＮを通じて広く第三者の端末３０に入札の募集をする。この場合、特定の業者商品又は役務についてのオークションである場合は、特定業者のみに入札を募集する旨の入札募集情報を送信する。
【０３８７】
Ｓ２０６０では、入札募集の指定がなされているか否かを判断する。すなわち依頼登録画面Ｅで、選択項目Ｅ６に入札募集「する」が設定されると共に入力欄Ｅ７に競り期間が設定されている場合は、その競り期間中は入札者を募集する。商品又は役務によっては、依頼内容を見たその内容によって入札内容を変更する競りに適さないものもあるので、この種の商品又は役務が取引対象である場合は、予め登録されたデータの中から最も要望に適う商品又は役務を絞り込む。一方、依頼内容を見てから検討して入札内容を決める競りに適している場合は、競り期間の間は、要望に適う条件等を提示してくれる入札者を募集する。なお、Ｓ２０５０でオークションを開始して入札者側の端末３０に入札登録画面Ｋを表示させ、Ｓ２０６０で募集があったときに入札情報をサーバ２１が受信する手順が入札手順に相当する。
【０３８８】
Ｓ２０７０では、応募があったか否かを判断する。すなわち入札の有無を判断する。この際、依頼者が「直接取引」を指定していれば入札登録データＤ１９の有無を判断し、依頼者が「情報取引」を指定していれば入札情報データＤ２０の有無を判断する。入札が無ければ待機し、入札があればＳ２０８０に進む。なお、Ｓ２０７０〜Ｓ２１７０の手順が落札手順に相当する。
【０３８９】
Ｓ２０８０では、入札情報を取得し、入札情報の中の一情報として提示された評価用の各種データを基に評価項目毎に数値評価し、各々を合算した総合の評価数値で競る競り処理を行う。入札者の提示内容を評価項目毎に個々に数値評価した総合評価点が依頼者の要望に最も適う順に優先順を決めてゆく。
【０３９０】
Ｓ２０９０では、時間制限が満了したか否かを判断する。時間制限内であればＳ２０７０に戻り、時間制限が満了するまでＳ２０７０〜Ｓ２０９０の処理を繰り返して新規入札者がある度に競り処理を行う。時間制限が満了すればＳ２１２０に進む。
【０３９１】
一方、Ｓ２０６０で入札募集「しない」が指定されていると判断された場合は、Ｓ２１００において、入札情報収集処理を実行する。すなわち、ＤＢ１４５，１４７に既にデータベースとして管理されている入札登録データＤ１９又は入札情報データＤ２０を検索して指定された商品又は役務に該当するものを既に登録済みのものの中から抽出する。
【０３９２】
そして次のＳ２１１０では、抽出した商品又は役務について評価数値での競り処理を実行する。すなわち依頼者の要望から特定される評価項目（キーワード等）について各入札者の提示した商品又は役務について数値評価し、各評価項目毎の評価数値の合算である総合評価点が最も依頼者の要望に適したものに絞り込む。
【０３９３】
Ｓ２１２０では、落札自己選択が設定されているか否かを判断する。落札自己選択の設定がなされていなければＳ２１５０に進み、落札自己選択の設定がなされていればＳ２１３０に進む。
【０３９４】
Ｓ２１５０では、落札者が決定したか否かを判断する。すなわち所定落札数に絞り込まれたか否かを判断する。所定落札者数に絞り込まれていない場合は、Ｓ２１６０に進み、所定落札者数に絞り込まれた場合はＳ２１７０に進む。
【０３９５】
Ｓ２１６０では、絞込処理を行う。評価数値以外の他の参考情報などを考慮して所定落札人数にまで絞込みを行う。依頼者にとって最も要望に沿う条件等を提示した者が落札し、一方、価格が固定であったり価格自体が取り扱われない競り形式である場合は、予め決められた所定ルールに従って落札者を所定落札人数に絞り込む。
【０３９６】
一方、Ｓ２１２０において落札自己選択の設定がなされていると判断されれば、所定落札人数分の入札情報をリストにした図５４に示す評価結果表示画面Ｏが作成される。利用者は端末３０の画面でパスワードを入力した後に画面表示を選択すると評価結果表示画面Ｏを見ることができる。評価結果表示画面Ｏには総合評価点の高い順番の優先順に候補物（商品・役務）又は候補者がリストアップされる。
【０３９７】
Ｓ２１４０では、落札者が決定したか否かを判断する。落札者が決定されるまでは評価結果表示画面のリスト表示（Ｓ２１２０）が継続され、落札者が決定されればＳ２１７０に進む。依頼者は総合評価点だけでなく各評価項目個々の評価点を参考にしながら、さらに入札者が提示した他の情報を参考にしながら取引相手を決める。この画面Ｏでは、候補順位の第１位の商品（又は役務）と対応する位置に落札ボタン１７５が選択状態で表示される。各キーワードの評価点を個々に見て落札する商品を候補順位下位の商品に変更したいときはその商品と対応する右端位置を選択し、落札ボタン１７５が選択状態にある位置を該当商品の位置に切り換える。また、やり直しや取り消しのときはやり直しボタン１７７を選択する。このように画面Ｏで、落札ボタン１７５の選択を必要に応じて変更し、取引対象（取引相手、商品や役務）が決まればＯＫボタン１７６を選択する。すると、その落札データがインターネットＮを通じてサーバ２１に送信され、サーバ２１は落札者が決定したと判断し、Ｓ２１７０に進む。
【０３９８】
Ｓ２１７０では、取引成約の旨を双方に通知する。
次に評価オークションの手順について図５８のフローチャートに従って説明する。この手順は、図５７のフローチャートにおいて評価数値で競り処理をするときに用いられる。なお、Ｓ３０１０〜Ｓ３０７０に示す手順も落札手順を構成する。
【０３９９】
Ｓ３０１０では、該当する商品又は役務（提供者含む）の評価データＤ２１（図５５）を収集する処理をする。
Ｓ３０２０では、キーワードの計算式を取得する。すなわちサーバ２１は計算式データＤ２２についてキーワードで検索し、そのキーワードに対応する計算式を取得する。
【０４００】
Ｓ３０３０では、キーワードの計算式に使われている変数に相当する評価項目を検索し、各評価項目の評価点を取得する。
Ｓ３０４０では、キーワードの計算式の変数に評価項目の評価点を代入し、キーワードについての評価点を算出する。
【０４０１】
Ｓ３０５０では、各キーワードの評価率を取得する。要望がキーワード登録である場合は、「優先順登録」では優先順位から決まる評価率が採用され、「評価率登録」では依頼者によって指定された評価率が採用され、さらに「既定登録」では予め初期設定された既定の評価率（例えば均等評価率）が採用される。また要望が文章入力である場合は、文章解析結果から各キーワードに特定された評価率が採用される。
【０４０２】
Ｓ３０６０では、各キーワードの評価点に各評価率を乗じた値を累計して総合評価点を算出する。
Ｓ３０７０では、評価結果を画面表示する。この際、各入札者の提示したものの総合評価点の大小を比較して各入札者（又は入札された商品・役務）に順位を付す。このとき依頼者が依頼登録画面Ｅで登録した要望のレベルに応じた点数範囲が決まり、その点数範囲内で例えば総合評価点で最高得点のものを落札者として決定する。
【０４０３】
次にこの評価オークションについて幾つかの例を、以下に列挙する。
（Ａ）買い手の希望条件や満足度を数値化して、最も多い数値となる条件・内容を提示した売り手もしくはその情報をオークションで選ぶ場合である。
【０４０４】
（１）　採点者や買い手が、商品や製品、機械、設備、システム、設計図、意匠、特許等の、新規性や進歩性、性能、使いや易さや機能、知名度や好感度、価格、デザイン等を、もしくは採点者や買い手の希望条件や満足度等を、それぞれ数値化して、もしくは数値化された、個々の、あるいは合算した数値の中で最も高い数値の得点を出したものを、もしくはその情報をオークションで選ぶ。
【０４０５】
（２）　採点者や買い手が、燃料や原料、農産物、海産物、林産物、加工品、製品、商品等の、産地、特質性、貴重価値性、流通性、知名度、品質、数量、価格、保存度、色や形状等を、もしくは採点者や買い手が指定した希望条件や満足度を、それぞれ数値化して、もしくは数値化された、個々の、あるいは合算した数値の中で最も高い数値の得点を出したもの、もしくはその情報をオークションで選ぶ。
【０４０６】
（３）　採点者や買い手が、最も多い数値の得点を出した、解答者、受験者、演技者、能力者等を、もしくはその情報をオークションで選ぶ。
（４）　採点者や買い手が、容姿、センス、スタイル、ファッション、歌唱力、演奏カ、踊りの能力、腕力、体力、技能力、会話力、知的能力、知名度等を、もしくは採点者や買い手が指定した希望条件や満足度、能力の評価度等を、それぞれ数値化して、もしくは数値化された、個々の、あるいは合算した数値の中で、最も高い数値を出した、応募人、売り手人もしくは評価対象人を、もしくはその情報をオークションで選ぶ。
【０４０７】
（５）　融資人や投資家や採点者が個人や法人の売り上げ、利益、決算内容、資本力、技術力、開発能力、将来性、採用人数、経費、資産、信用力等を、もしくは融資人や投資家や採点者が指定した条件を、それぞれ数値化して、もしくは数値化された、個々の、あるいは合算した数値の中で、最も高い数値の得点を出したものを、もしくはその情報をオークションで選ぶ。
【０４０８】
（６）　採点者や情報提供者、会社、個人、組合、団体、非営利法人、クレジット会社、インターネット会社、公共機関、サービス会社等の買い手が、一般客や顧客、会員、社員等の、支払い能力や実績、購買力や実績、信用力、財産、学歴、職業、職業歴、年齢、趣味、技能、資格、出身地や住所、会員歴等を、もしくは採点者や買い手が指定した条件を、それぞれ数値化して、もしくは数値化された、個々の、あるいは合算した数値の中で、最も高い数値の得点をだしたものを、もしくはその情報をオークションで選ぶ。
【０４０９】
（７）　採点者や買い手が、学校や自動車教習所、資格取得講習所、スポーツ・音楽・絵画・語学・技能・文化教室、家庭教師等で学ぼうとする時に、料金、資格、取得日時数、教室まで通う時間と交通、進学・就職実績、学習生徒の体験談や評価、教室の環境・設備・施設等を、もしくは採点者や買い手の条件や満足度等を、それぞれ数値化して、もしくは数値化された、個々の、あるいは合算した数値の中で、最も高い数値の得点を出したものを、もしくはその情報をオークションで選ぶ。
【０４１０】
（８）　採点者や買い手が、大工や建築・建設・設備、会社、住宅リフォーム会社、車や機械等の板金・塗装・修理会社、事務機・日常品等の、修理会社、引っ越しや、配送等の、運送会社、受注制作会社等に注文依頼する時に、価格・料金や支払い方法、制作・修理・修繕にかかる日数や、アフターサービスのサービス期間と保障範囲、請負人の住居・事務所までの時間ど距離、顧客達の売り手の評価や仕事実績、請負人の技能や人物評価等を、もしくは採点者や買い手が指定した条件や満足度等を、それぞれ数値化して、もしくは数値化された、個々の、あるいは合算した数値の中で、最も高い数値の得点を出したものを、もしくは情報をオークションで選ぶ。
【０４１１】
（Ｂ）売り手が希望する条件を数値化して最も多い数値を出した買い手もしくはその情報をオークションで選ぶ場合である。
（１）　情報提供者や売り手が、車、船、飛行機、ロケット等の、輸送機関や、商品、製品、機械、設備、システム、建物、土地、設計、意匠、著作権、特許等の、販売や貸し付け、又はその情報を売る時に、又は、燃料や原料、農産物、海産物、林産物、加工品等を販売する時、あるいはその情報を売る時に、販売価格やリース料、数量、重量、発注や納期期日、使用期間、発注日や発注場所、使用日や使用場所、使用回数、配送場所、距離、方法等を、もしくは売り手や情報提供者の条件を、それぞれ数値化して、もしくは数値化された、個々の、あるいは合算した数値の中で、最も高い数値を示したものを、もしくはその情報をオークションで選ぶ。
【０４１２】
（２）　応募人や就職希望者が、給料、待遇、週休日、年間休日数、会社の設立年数、資本金、従業員数、男女別構成、厚生施設、環境、立地条件、設備、職種、決算、取引会社等、もしくは実績、採用方法、講習内容、講習料、期間、システム等を、あるいは応募人や就職希望者が希望する条件、もしくは情報提供者の条件を、それぞれ数値化して、もしくは数値化された、個々の、あるいは合算した数値の中で、最も高い数値を出したものを、もしくはその情報をオークションで選ぶ。
【０４１３】
（３）　投資や融資や情報を受ける者が、銀行やクレジット会社、金融業者、投資家、投資会社の示した融資金額や融資実行日、金利、返済期間、回数や手数料の金額、担保率、保証人の有無、融資会社、個人の知名度や信用度等を、あるいは投資や融資を受ける者が希望する条件、もしくは情報提供者の条件を、それぞれ数値化して、もしくは数値化された、個々の、あるいは合算した数値の中で、最も高い数値を出したものを、もしくはその情報をオークションで選ぶ。
【０４１４】
（Ｃ）買い手が希望する条件や満足度を数価化して最も少ない数値を出した売り手もしくはその情報をオークションで選ぶ場合である。
（１）　採点者や買い手が、商品や製品、車、船、飛行機、ロケット、機械、設備、特許等を選ぶ時に、使用年数、製造年数、価格、修理度、摩耗、腐食、変形、変色、騒音環境汚染度等を、あるいは採点者や買い手が指定した条件や検査の結果を、それぞれ数値化して、もしくは数値化された、個々の、あるいは合算した数値の中で、最も低い数値を示したものを、もしくはその情報をオークションで選ぶ。
【０４１５】
（２）　採点者や買い手が、農産物、海産物、林産物、加工品、製品、商品等を選ぶ時に、数量、重量、価格、傷み、鮮度落ち等の欠点や難易度を、あるいは採点者や買い手が指定した条件や検査の結果を、それぞれ数値化して、もしくは数値化された、個々の、あるいは合算した数値の中で、もっとも低い数値を示したものを、もしくはその情報をオークションで選ぶ。
【０４１６】
（３）　採点者や買い手が、誤答、失点、欠点等で最も少ない数値を出した、解答者、受験者、演技者、能力者等を、もしくはその情報をオークションで選ぶ。
（４）　採点者や融資人、投資家、サービス会社等が、個人や法人の従業員の年齢、パート率、借金率、財産率、人件費率、手形発行率や支払い延滞回数、事故回数等を、もしくは採点者等が指定した条件や調査の結果を、それぞれ数値化して、もしくは数値化された、個々の、あるいは合算した数値の中で、最も低い数値を示したものを、もしくはその情報をオークションで選ぶ。
【０４１７】
（５）　採点者や買い手が、燃料、ビニール、プラスチック、包装製品、容器、日常品、電器、家具、衣服、原料、中間製品、商品等を選ぶ時に、それらを燃焼させて発生する、Ｃ０２　や有毒ガス、排出規制物質等の、あるいは買い手や採点者が指定した物質の燃焼発生量を、それぞれ数値化して、もしくは数値化された、個々の、あるいは合算した数値の中で、最も低い数値を示したものを、もしくはその情報をオークションで選ぶ。
【０４１８】
（６）　採点者や買い手が、機械、装置、中間製品、商品、農産、水産、林産物、加工食品等やシステム、設計図、特許等を選ぶ時に、ガスや水、溶剤、洗剤、発泡剤、酸化還元剤、腐食剤、発色剤、消毒剤、農薬、油、混合剤等の、あるいは採点者や買い手が指定した物質の、混入量、もしくは使用量を、それぞれ数値化して、もしくは数値化された、個々の、あるいは合算した数値の中で、最も低い数値を示したものを、もしくはその情報をオークションで選ぶ。
【０４１９】
（７）　採点者や買い手が、車、船、飛行機、列車、ロケット、機械、設備、原子カ発電機関等を選ぶ時に、放射線やＣ０２　ガス、あるいは窒素、リン酸化合物等の排気ガスや排出規制物質等の、もしくは買い手や採点者が指定した物質の、排出量を、それぞれ数値化して、もしくは数値化された、個々の、あるいは合算した数値の中で、最も低い数値を示したものを、もしくは情報をオークションで選ぶ。
【０４２０】
（８）　採点者や買い手が、工場、会社、装置、設備、原子力発電装置や設計図、システム、特許等を選ぶ時に、放射線やＣ０２　ガス、有害物質あるいは排出規制物質等の、もしくは採点者や買い手が指定した物質の排出する量を、それぞれ数値化して、もしくは数値化された、個々の、あるいは合算した数値の中で、最も低い数値を示したものを、もしくは情報をオークションで選ぶ。
【０４２１】
（９）　採点者や買い手が、システム、設計図、特許、機械、設備、工場、会社、製品等を選ぶ時に、排出される、放射線やガス、液体物、固体物等の量を、それぞれ数値化して、もしくは数値化された、個々の、あるいは合算した数値の中で、最も低い数値を示したものを、もしくは情報をオークションで選ぶ。
【０４２２】
（１０）　　採点者や買い手が、学校や自動車教習所、資格取得教室、技能・語学・スポーツ・音楽・絵画・文化教室、家庭教師等で学ぼうとする時に、料金や資格取得日時数、教室や教習所までの距離等の問題点を、もしくは採点者や買い手が指定した条件を、それぞれ数値化して、あるいは数値化された、個々の、あるいは合算した数値の中で、最も低い数値を示したものを、もしくはその情報をオークションで選ぶ。
【０４２３】
（１１）　　採点者や買い手が、大工、建築・建設会社、住宅リフォーム会社、車や機械等の板金・塗装・修理会社、設備・施設・会社、事務機・日常品等の修理会社、引越しや運送の会社、注文受け製作会社等に注文依頼する時に、価格・料金や制作・修理・修繕の日数、講負人の住居・事務所までの時間と距離等の問題点を、もしくは採点者や買い手が指定した条件を、それぞれ数値化して、個々の、あるいは合算した数値の中で、最も少ない数値を示したものを、もしくは情報をオークションで選ぶ。
【０４２４】
（Ｄ）売り手が希望する条件を数値化して最も少ない数値を出した買い手もしくはその情報をオークションで選ぶ場合である。
（１）　売り手が、産業廃棄物や処理物、回収物や中古製品、原料、中間製品等を販売する、あるいは処理を依頼する時に、買い手側がそれらの、処理や修理、加工の段階で、工場や機械、設備から発生、あるいは排出する、Ｃ０２　ガス、排出規制ガス、有毒ガス、汚染水、汚染物質、排出規制物質や排水等、もしくは売り手の指定した物質の発生・排出量を、それぞれ数値化して、更に販売価格、修理、加工、処理価格、その期間や技術等を、もしくは採点者や売り手の希望する条件を、それぞれ数値化して、個々の、あるいは合算した数値の中で、最も低い数値を示したものを、もしくはその情報をオークションで選ぶ。なお、個々の数値で評価するときは価格や料金は含まないものとする。
【０４２５】
従って、この第６実施形態によれば以下の効果が得られる。
（１３）依頼者が要望を数値化した評価点を競りの対象とし、商品、役務や買い手を競り落とすオークション方法を採用したので、依頼者が依頼者各人の要望に適う取引相手を探し出すことができる。
【０４２６】
（１４）競り形式を複数の中から選択できるので、依頼者にとってできるだけ要望に沿う取引相手を探し出すことができる。
（１５）依頼者の要望を数値評価してその評価された数値を要素としてオークションをするので、物理量に置き換えられない抽象的な要望（満足度、将来性、成長性、使い易さ、キーワード等）でもオークションをすることができ、オークションによって最も要望に適う商品や役務の提供を受ける取引を行うことができる。
【０４２７】
（１６）情報の入手の要望を受け付けて、その要望された情報の提供を広くインターネットＮを通じて第三者に募り、提供された情報の内容中にある要素について競りをし、依頼者の要望に対して最も適った内容の情報を提示した情報提供者（入札者）に落札させる情報のオークションを採用した。よって、商品や役務の提供者や提供会社などがオークションシステムに参加していなくても、どうすれば所要する商品や役務の提供を受けることができるかなどの最も適切な情報を入手することができる。特に漁船が入手した自分の漁の対象ではないが釣り船等が対象とする魚の魚影情報を、近くの釣り船等に提供することで、他人にとって価値のある情報を有効に活用することができる。
【０４２８】
（第７実施形態）
次に、本発明を具体化した第７実施形態を図１〜図３，図１５，図１６，図１８，図５９〜図６６に従って説明する。前記各実施形態では競りの対象とする要素が取引時期である時間、位置、数値、評価数値等であったが、本実施形態は、価格以外の要素として時間や位置だけでなく、時間や位置を含め複数の要素の中から選択できるようにした構成である。詳しくは競りの対象となる要素としては、時間、位置（移動中含む）、空間（長さ等）、数量、重量、数値などが挙げられる。
【０４２９】
オークションシステムの全体構成は前記各実施形態において示した図１や図１５と基本的に同様である。また機能構成についても、図２や図１６に示す機能ブロック図とほとんど同様で、時間や位置だけでなく多数の要素に対応できるようにしただけで、個々の要素に応じたデータベースの量などが増えている。
【０４３０】
競りの対象とする要素としては、時間、位置、空間、数量、重量、数値などがある。図３や図１８に相当するメニュー全体を示すオークションホームページ画面が同様に用意され、ＨＰ画面で商品・役務の分野を選択してその下位階層画面などで商品・役務を具体的に選択すると、図５９に示す要素選択画面ＪＡが表示される。要素選択画面ＪＡには、オークションか逆オークションかを選択する選択項目ＪＡ１（前画面で選択される場合は無くすことが可能）と、「時間」、「位置」、「移動中」、「長さ・空間」、「数・数量」、「重量」、「数値」の要素選択ボタン１８０〜１８６と、確定ボタン１８７とが用意されている。
【０４３１】
利用者は、取引の対象とする商品又は役務に応じて適した要素を選択できるようにプログラムが作成され、サーバ２１のメモリに記憶されている。そのプログラムは図６５，６６にフローチャートに示すもので、基本的に第１実施形態で示したプログラム中の時間に限らず、利用者が選択した要素が競りの対象とされる。もちろん、図５９に示す要素に加え「価格」を競りの要素として含むこともできる。なお、図５９の画面ＪＡおよび後述する図６０に示す競り形式選択画面ＩＡが依頼画面に相当し、これら依頼画面で入力されたデータ内容が競り依頼情報に相当する。
【０４３２】
また、競り形式も、第１実施形態と同様にスライド方式が用意されている。すなわち、要素は、時間、位置、空間、数量、重量、数値などのうちどの要素も、座標軸上で数値として表すことができるので、その座標軸に基準値を指定し、その基準値に対して近いほど優先される競り形式か、遠いほど優先される競り形式かなど落札の決め方のルールが、競り形式として５種類設定している。
【０４３３】
図６０は競り形式を選択する競り形式選択画面ＩＡである。競り形式選択画面ＩＡには、商品・役務表示欄ＩＡ１、要素表示欄ＩＡ２、競り形式選択項目ＩＡ３、基準値入力欄ＩＡ４、接近方向選択項目ＩＡ５、範囲入力欄ＩＡ６、送信ボタン１８８が用意されている。競り形式選択項目ＩＡ３では、小さいほど優先させることを指定する選択項目、大きいほど優先させることを指定する選択項目、基準値を指定して基準値に接近するほど優先させることを指定する選択項目の３つのうちから１つを選択する。接近方向選択項目ＩＡ５は、基準値が指定されたときにその基準値に対してどちらの方向から接近するかを指定するためのもので、小さい方から基準値に接近することを指定する項目と、大きい方から基準値に接近することを指定する項目と、両方向から基準値に接近することを指定する項目との３つうちから１つを選択する。範囲入力欄ＩＡ６は範囲を指定するためのものであり、上限・下限の一方だけを指定したり範囲を指定しないことを選択することもできる。なお、基準値が希望値に相当する。
【０４３４】
図６２は競り形式を説明するための線図であり、５種類の競り形式のうち４種類のみ示している。各要素に応じてその要素の内容を数値的に表す場合に、その数値が大きくなる概念と、その数値が小さくなる概念とに分かれる。例えば遠い、大きい、広い、長い、重いなどの概念は数値が大きくなる概念で、近い、小さい、狭い、短い、軽いなどの概念は数値が小さくなる概念である。競り形式は、提示される数値等の最も大きいものが落札するのか、最も小さいものが落札するのか、さらに顧客が提示した基準値に一致するもしくは一番近い数値等を提示したものが落札するなどのルールである。競り形式には以下の５種類がある。但し、これらの形式は後述する数値オークションには設定されない。
【０４３５】
（１）　所定範囲の中で最も小さな値を提示した者ほど落札者として優先される優先規則である（図６２（ａ））。
（２）　所定範囲の中で最も大きな値を提示した者ほど落札者として優先される優先規則である（図６２（ｂ））。
【０４３６】
（３）　指定された要素の基準値に対し小さい方から最も接近する値を提示した者ほど落札者として優先される優先規則である（図６２（ｃ））。
（４）　指定された要素の基準値に対し大きい方から最も接近する値を提示した者ほど落札者として優先される優先規則である（図６２（ｄ））。
【０４３７】
（５）　指定された要素の基準値に対し小さい方からか大きい方からかに拘わらずとにかく近い値を提示した者ほど落札者として優先される優先規則である。なお（３）　〜（５）　では基準値に一致した場合が最も優先されるが、基準値を含まず最も近い場合が優先される設定でも構わない。
【０４３８】
また図５９の要素選択画面ＪＡで、複数の要素を選択することもできる。複数の要素選択ボタン１８０〜１８６のうち２つ以上を選択した場合は、図６３に示す要素優先順位設定画面ＷＢが表示されるようになっている。要素優先順位設定画面ＷＢには、第１優先，第２優先，…，第ｎ優先（この例ではｎ＝４）の最大ｎ個の要素を指定するための入力欄ＷＢ１〜ＷＢ４と、確定ボタン１９１とが用意されている。第１優先，第２優先，…，第ｎ優先の要素まで指定でき、その順番は利用者が自由に設定することができる。第２優先以降の要素には価格も設定することができる。このように複数要素の設定を可能としているのは、例えば要素が位置だけでは落札者が希望する所定人数（通常一人）に絞りきれない場合があるためで、希望人数に絞り切るために使用される。依頼者は落札者を決めるうえで優先する要素の順位を登録しておき、例えば画面ＷＢで確定ボタン１９１を選択すると、サーバ２１へ優先条件データＤｂが送信される。
【０４３９】
商品は情報であってもよい。すなわち、ある商品やサービスを希望する場合、その商品の所有者、商品を売る会社、サービスの提供者・提供会社について知っている者から、必要な情報を買い取る取引にもオークションは利用される。
【０４４０】
あらゆる分野・ジャンルの情報が取引の対象とされる。ほんの一例を示すと、魚影情報（何時何分頃に場所は○○で魚種は○○魚で魚影の濃さは…。）、資源情報（希少金属や石油などの埋蔵情報など）などが挙げられる。
【０４４１】
位置オークションで魚影情報を取り扱う例を説明する。例えば魚の漁をしている船が自分が捕獲している魚以外で例えば釣り舟にとっては釣りの対象としている魚の魚影の情報を、釣り人や釣り船に提供する。この場合、情報を受ける船等にとっては最も近くの船からの情報を入手したい。そこで、位置オークションに参加し、最も近くの船からの情報を入手する。すなわち、魚影の情報を持つ船は、その情報をインターネットＮを通じて仲介会社のサーバ２１に提供する。例えば釣り人や漁船は、近くの船からの漁に有効な何か情報がないかを位置オークションを利用して探す。この場合、優先入力欄に魚の種類等を入力して情報を絞ることもできる。また位置範囲を絞ることもできる。
【０４４２】
サーバ２１は何に関する情報であるかが分かる程度の概要を広く第三者の端末３０に提供し、その概要を見た第三者は端末を通じてその情報を買い取る取引方法を実施することもできる。
【０４４３】
例えば図１８に示すようにオークションＨＰ画面には、情報入力ボタン８９および情報取引ボタン９０が用意されている。このＨＰ画面で情報入力ボタン８９を選択すると図６１に示す情報提供画面ＮＣが表示される。画面ＮＣには、募集情報表示欄ＮＣ１、情報料（情報提供報酬額）表示欄ＮＣ２、情報入力欄ＮＣ３、情報添付ボタン１８９、残り時間表示欄ＮＣ４、ＩＤ番号入力欄ＮＣ５、送信ボタン１９０が用意されている。この情報提供画面ＮＣは、ホームページ画面の情報入力ボタン８９を選択してジャンル・分野毎に表示される情報募集リストの中から見たい部分を選択すると表示される画面である。この情報提供画面ＮＣでは、募集情報表示欄ＮＣ１に依頼者が探している情報内容が表示されるとともに、情報料表示欄ＮＣ２に情報料が表示されるので、その募集情報を提供できる情報を持つ閲覧者は情報入力欄ＮＣ３にその提供情報を入力（記入）をし、または添付ボタン１８９を選択すると表示される次画面で添付操作をしてデータを添付し、ＩＤ番号入力後に送信する。これらの情報をサーバ２１はデータベース２４に管理する。なお、情報提供画面ＮＣが入札画面を構成する。
【０４４４】
例えば利用者が所望する情報をサーバ２１に送信してくると、サーバ２１はデータベース２４の管理データの中から該当する情報を探す処理をするとともに、緊急に必要な情報でなく募集時間をとってもある程度許される場合は、情報を直ちに募集する。そして残り時間が無くなった制限時間終了後、得られた情報を分析し、顧客のニーズに最も適合した情報を顧客用端末３０に送信する。この際、顧客は前記競り形式を選択指定することができ、その指定された形式のルールに則って落札者が決定される。希望情報を得た依頼者は情報料に手数料を加えた金額を支払う。落札者には情報料が支払われる。なお、本実施形態では図１８のＨＰ画面中のボタン５１，５２の選択別によりオークション方式を選択するのではなく、図５９に示す画面ＪＡの選択項目ＪＡ１でオークションと逆オークションの別を選択する構成としている。また本例でも、前記第６実施形態の図５２に示す入札登録画面Ｋとほぼ同様の画面が用意され、入札者はこの画面Ｋに必要事項を入力し、ここで入力された入札情報がサーバ２１に送信される。
【０４４５】
オークションの結果は、落札者一人だけの情報が依頼者には送信されるのが基本であるが、依頼者の希望によって複数人の候補者を絞り込んで提示することもできるようになっており、それが図６４のリスト画面ＸＤである。すなわちサーバ２１は、入札者から提示された情報をそのままリストにして、あるいは入札者から提示された情報を基に落札候補上位者を例えば依頼者が指定した一定人数以内に絞り込んだ優先リストにして、依頼者側の端末３０に送信する。そして依頼者側の端末３０には図６４に示すリスト画面ＸＤが表示される。この画面ＸＤにはリストＸＤ１、落札者選択用の入力欄ＸＤ２、確定ボタン１９２が用意されている。リストＸＤ１には、優先順位番号、コード番号、要素数値（時間、位置、空間、重量、評価等の数値）、入札者提示条件（価格，付帯品（おまけ）等）が示されている。依頼者はこの画面ＸＤのリストＸＤ１の中から取引日などの提示条件を検討して自分にとって有利な落札者を決定し、入力欄ＸＤ２に例えば落札者の優先順位番号を入力し、確定ボタン１９２を選択する。すると、サーバ２１は依頼者と落札者に落札の旨を通知をする。このように依頼者側の端末３０でリストＸＤ１を見ることができれば、依頼者は要素数値が同じであっても指定した要素以外の価格など他の要素で有利な条件を提示してくれる相手を選ぶことができ、また要素数値が一番の人より少し悪くても価格や付帯品などの面で譲歩してくれる相手を選ぶことができる。
【０４４６】
また図５９の画面ＪＡで「数値」の要素選択ボタン１８６を選択したときは数値オークションが行われる。数値オークションとは、顧客が希望する商品・役務（サービス）について、顧客の要望に応じて数値評価をし、予め登録された又はその都度募集して集まった多数の商品・役務の中から、その商品又は役務に供される物や者についての評価結果の評価点が一番高いものを落札するオークション取引きである。
【０４４７】
顧客は、所望する商品・役務を提示し、その中で特に要望があればその要望を予め用意されたキーワードの中から選択する。本例でも、図４９，図５０，図５１に示す画面ＬＡ〜ＬＣが用意され、これらは顧客が要望を入力するために用意された３種類の顧客登録画面である。これらの画面データはサーバ２１のメモリに記憶されている。なお、画面ＬＡ〜ＬＣも依頼画面を構成する。
【０４４８】
図４９の依頼登録画面ＬＡは、商品役務表示欄１６６と、顧客が商品・役務を要望するときに重視する点を、その重要度の優先順に第１優先〜第ｎ優先までの最大ｎ個のキーワードを入力可能な各入力欄ＬＡ１〜ＬＡｎが用意されている。
【０４４９】
図５０の依頼登録画面ＬＢは、図４９と同様に商品役務表示欄１６６と、第１優先〜第ｎ優先の入力欄ＬＢ１〜ＬＢｎが用意されており、さらに各キーワードについてその重要度の比率に応じた評価率（％）を指定するための評価率入力欄１６８が用意されている。
【０４５０】
図５１の依頼登録画面ＬＣは、キーワードについて優先順位は特につけないか、予めプログラムに初期設定された優先順位が適用されるもので、最大ｎ個までのキーワードの入力が可能な評価項目入力欄ＬＣ１〜ＬＣｎが用意されている。
【０４５１】
また、商品又は役務を提示するだけでもよく、その場合、サーバ２１は予め登録された商品又は役務を適正に評価するための評価データを記憶し、予め決められた複数の評価項目を数値評価して総評価点の高いものに落札させる。
【０４５２】
また、本例でも図５５，図５６に示すデータ２１，２２を備えている。図５５は、商品や役務について評価項目毎に評価点が記録された評価データ２１で、登録等された商品Ａ，Ｂ，Ｃ，…，について各評価項目毎の評価点が記録されている。この例では評価点は１００点満点評価としている。
【０４５３】
図５６は、キーワードを数値に変換するために使用する計算式が記録された計算式データ２２で、各キーワード毎に対応する計算式が記録されている。この計算式の変数が評価項目に相当し、計算式の各変数に対応する評価項目の評価点を代入して計算することで、キーワードに関する評価点が算出される。
【０４５４】
例えば食品を数値オークションで探す場合、評価項目が例えば「安全」「健康」「○○病」等のキーワードであれば、これらの要望をトータル的に適正に評価し評価点に換算する。各キーワードには正しく評価されるように予め考えられた計算式が設定されている。例えば「安全」であれば、計算式の変数として使用する評価項目に、自然野菜使用率、合成調味料使用率、糖使用率、農薬肥料、ミネラルなどが挙げられており人体にやさしいほど評価点が高得点となっている。例えば計算式「Σｋｎ　（＝ｋ１＋ｋ２＋…＋ｋｎ　）」（但し、ｋｎは評価項目ｎの評価点）が与えられる。このように評価データ２１と計算式データ２２に基づいてキーワードに応じた評価点が求められる。また「○○病」であれば、その病気の治癒に効能のある評価項目（例えばビタミン等の成分）が強く重み付けされるような計算式が採用され、その効能のある評価項目で高得点がついた食品は、基本的にキーワード「○○病」についての評価点が高くなる適正評価がなされる。例えば糖尿病であれば糖質割合の評価点については強く重み付けされるような計算式が用いられ、糖質割合の低い食品はこのキーワードについては顕著に高評価される。各データ２１，２２は例えばデータベース２４に記憶されている。
【０４５５】
例えば依頼者が複数のキーワードを設定した場合、図４９の依頼登録画面ＬＡを使用するときは、第１優先〜第ｎ優先の各キーワードの評価点が、その優先順に重み付けされて総合評価され、例えば第１優先１００％、第２優先８０％、…、第ｎ優先１０％などその既定値に応じた総合評価点が算出される。図５０の依頼登録画面ＬＢを使用するときは、第１優先〜第ｎ優先の各キーワードの評価点が、対応する評価率％に応じて重み付けされて総合評価点が算出される。また図５１の依頼登録画面ＬＣを使用するときは、均等評価、あるいは既定値比率通りの重み付け評価とされる。なお、顧客登録画面は上記に限らず、例えば入力欄に要望を文章で入力し、その文章を解析してその要望に合った適切なキーワードを自動で付す機能を採用することもできる。なお、個々の項目についての評価点や総合評価点などの数値に換算する基となる情報である、依頼者からの要望データ（例えばキーワード等）が被換算情報に相当する。
【０４５６】
また本例でも、図５４に示す評価結果表示画面Ｏを備えている。例えば依頼者が複数のキーワードを設定した場合、図５４に示すように、要望に適う候補の商品（又は役務）が総合評価点の高い順序で表示される。この画面Ｏでは、候補に挙がった各商品（又は役務）について、各キーワード毎の個別の評価点と、総合評価点とが表示される。
【０４５７】
この画面Ｏでは、候補順位の第１位の商品（又は役務）と対応する位置に落札ボタン１７５が選択状態で表示される。各キーワードの評価点を個々に見て落札する商品を候補順位下位の商品に変更したいときはその商品と対応する右端位置を選択し、落札ボタン１７５が選択状態にある位置を該当商品の位置に切り換える。また、やり直しや取り消しのときはやり直しボタン１７７を選択する。落札する商品が決まればＯＫボタン１７６を選択する。すると、その落札データがサーバ２１に送信され、サーバ２１は売り手と買い手の双方に取引成立の旨を通知する。
【０４５８】
次にオークション手順について図６５のフローチャートに従って説明する。
まずＳ４０１０では、商品・役務を選択する。
Ｓ４０２０では、競りを行うときの要素（時間、位置、空間、数値等）を選択する。なお、Ｓ４０２０，Ｓ４０３０で入力された競り依頼情報をサーバ２１が受信する手順が依頼手順に相当する。
【０４５９】
Ｓ４０３０では、希望条件（競り形式、範囲、競り期間などの必要事項）を選択する。
Ｓ４０４０では、要素オークションを開始する。ここで、複数の端末に入札者募集の通知を行って入札者を募る。
【０４６０】
Ｓ４０５０では、応募があったか否かを判断する。すなわち入札の有無を判断する。入札が無ければ待機し、入札があればＳ４０６０に進む。なお、Ｓ４０４０でオークションを開始して入札者側の端末に入札用の画面を表示させ、Ｓ４０５０で応募があったときに入力する入札情報をサーバ２１が受信する手順が入札手順に相当する。また、Ｓ４０５０〜Ｓ４１６０に示す手順が落札手順に相当する。
【０４６１】
Ｓ４０６０では、入札者が提示する入札情報を取得し、入札情報の中の一情報として提示された要素で競る競り処理を行う。この際、複数の要素が選択設定されているときは、第１優先の要素で競りを行う。入札情報中の要素について希望条件（図６２の優先規則）に照らして優先順を決めてゆく。
【０４６２】
Ｓ４０７０では、時間制限が満了したか否かを判断する。時間制限内であればＳ４０５０に戻り、時間制限が満了するまでＳ４０５０〜Ｓ４０７０の処理を繰り返して新規入札者がある度に競り処理を行う。時間制限が満了すればＳ４０８０に進む。
【０４６３】
Ｓ４０８０では、落札自己選択が設定されているか否かを判断する。落札自己選択の設定がなされていなければＳ４０９０に進み、落札自己選択の設定がなされていればＳ４１４０に進む。
【０４６４】
Ｓ４０９０では、落札者が決定したか否かを判断する。すなわち所定落札数に絞り込まれたか否かを判断する。所定落札者数に絞り込まれていない場合は、Ｓ４１００に進み、所定落札者数に絞り込まれた場合はＳ４１６０に進む。
【０４６５】
Ｓ４１００では、要素が複数設定された場合であって、まだ競り処理されていない他の要素が残っているか否かを判断する。他の要素がまだあればＳ４１１０に進み、そうでなければＳ４１３０に進む。
【０４６６】
Ｓ４１１０では、要素を変更する。
Ｓ４１２０では、変更後の他の要素で競り処理を行い、所定落札人数にまで絞込みを行う。入札情報中の他（第２優先）の要素について希望条件（図６２の優先規則）に照らして優先順から所定落札人数に絞り込む。これでも絞り込まれない場合は、まだ競り処理の対象となっていない他の要素があれば次優先の他の要素に変更し（Ｓ４１１０）、その変更後の他の要素で競り処理をして絞り込みを行う。こうして所定落札数に絞り込まれるまで、あるいは設定された要素の全てについて競り処理を終えるまで段階的に異なる要素で順次競りを行う。
【０４６７】
Ｓ４１３０では、絞込処理を行う。すなわち次段階の競りをするための要素が無い場合で、この場合は、利用者にとって最も希望に沿う価格を提示した者が落札し、一方、価格が固定であったり価格自体が取り扱われない競り形式である場合は、予め決められた所定ルールに従って落札者を所定落札人数に絞り込む。
【０４６８】
一方、Ｓ４０８０において落札自己選択の設定がなされていると判断されれば、所定落札人数分の入札情報をリストにした図６４に示すリスト画面ＸＤが作成される。利用者は端末３０の画面でパスワードを入力した後に画面表示を選択するとリスト画面ＸＤを見ることができる。リスト画面ＸＤには要素の値の優先順に候補者（コード番号表示）がリストアップされており、入札者が提示した他の情報を参考にしながら取引相手を決める。取引相手が決まると、落札者選択入力欄ＸＤ２に該当するコード番号を入力した後、確定ボタン１９２を選択する。利用者が選択した落札者情報はインターネットＮを通じてサーバ２１に送信される。
【０４６９】
Ｓ４１５０では、落札者が決定したか否かを判断する。落札者が決定されるまではリスト表示（Ｓ４１４０）が継続され、落札者が決定されればＳ４１６０に進む。Ｓ４１６０では、取引成約の旨を双方に通知する。
【０４７０】
次に数値評価オークションの手順について図６６のフローチャートに従って説明する。この手順は、図５９の要素オークションの中で要素として「数値」が選択されているときに要素（数値）で競りをする処理等に用いられる。なお、Ｓ５０１０〜Ｓ５０７０に示す手順も落札手順を構成する。
【０４７１】
Ｓ５０１０では、該当する商品又は役務の評価データ２１を収集する処理をする。
Ｓ５０２０では、キーワードの計算式を取得する。
【０４７２】
Ｓ５０３０では、キーワードの計算式に使われている変数に相当する評価項目の評価点を取得する。
Ｓ５０４０では、キーワードの計算式の変数に評価点を代入し、キーワードについての評価点を算出する。
【０４７３】
Ｓ５０５０では、評価率を取得する。
Ｓ５０６０では、各キーワードの評価点に各評価率を乗じて累計して総合評価点を算出する。
【０４７４】
Ｓ５０７０では、評価結果を画面表示する。
従って、この第７実施形態によれば以下の効果が得られる。
（１７）価格以外の要素で競りをするので、価格以外の要望を満たすオークションをすることができる。
【０４７５】
（１８）複数の要素を選択できるので、より一層、依頼書の要望に適うオークションを行うことができる。
（１９）依頼者の要望を数値評価してその評価された数値を要素としてオークションをするので、物理量に置き換えられない抽象的な要望（満足度、将来性、成長性、使い易さ、キーワード等）でもオークションをすることができ、オークションによって最も要望に適う商品や役務の提供を受ける取引を行うことができる。
【０４７６】
（２０）情報の入手の要望を受け付けて、その要望された情報の提供を広くインターネットＮを通じて第三者に募り、提供された情報の内容中にある要素について競りをし、依頼者の要望に対して最も適った内容の情報を提示した情報提供者（入札者）に落札させる情報のオークションを採用した。よって、商品や役務の提供者や提供会社などがオークションシステムに参加していなくても、どうすれば所要する商品や役務の提供を受けることができるかなどの最も適切な情報を入手することができる。特に漁船が入手した自分の漁の対象ではないが釣り船等が対象とする魚の魚影情報を、近くの釣り船等に提供することで、他人にとって価値のある情報を有効に活用することができる。
【０４７７】
なお、前記各実施形態は前記に限定されず例えば次の態様に変更してもよい。
・　取引成約後、売り手側の商品引渡又は役務提供と、買い手側の代金決済とが必要であるが、決済をネットバンキングを利用して行うことができる。図６７は、この種の取引システムの一例を示す。この取引システムは、オークション管理システム２０と、バンキングシステム３００と、流通システム３１０とからなり、各々が所有する各サーバ２１，３０１，３１１はネットワーク（インターネットや専用回線等）Ｎを通じて互いに通信可能に接続されている。バンキングシステム３００は、決済用のネットバンキングホームページを置き、買い手は自宅のパソコンや携帯電話等の端末３０でネットバンキングＨＰから入金手続をすることができる。もちろんネットバンキングシステム３００は、全国各地にある多数の店舗（例えばコンビニエンスストアや銀行またはその出先店）３０２と通信可能に接続されており、買い手は最寄りの店舗で入金することもできる。また流通システム３１０は、集配ホームページを置き、買い手は自宅のパソコンや携帯電話等の端末３０で集配ＨＰから商品の配達など配達依頼をすることができる。もちろん流通システム３１０は、全国各地にある多数の店舗（例えばコンビニエンスストアや宅配出先店）３１２と通信可能に接続されており、買い手は最寄りの店舗で宅配依頼をすることもできる。
【０４７８】
オークション管理システム２０は、取引成約時に双方にパスワードを教え、ホームページ上でパスワードを入力することで成約した双方は期限付きで互いに連絡を取り合うことができる。また成約時には取引コード番号が双方に付与され、買い手は取引コード番号を指定してネットバンキングシステム３００に入金をし、売り手は取引コード番号を指定して流通システム３１０に配達依頼をする。ネットバンキングシステム３００への買い手の入金確認と、流通システム３１０への売り手の商品引渡し確認がなされた後、振替処理および配達作業に着手する。この取引システムによれば、取引相手に自分の素性が知られることなく、しかもシステムへの入金と商品引渡し確認後に振替及び配達作業が着手されるので、安全な取引を行うことができる。
【０４７９】
・　オークション形態には図６８に示す３種類が挙げられるが、どの形態で実施しても構わない。すなわち図６８（ａ）は販売支援型で、仲介者は買い手に無償の付加価値サービスを行って広く買い手を集め、買い手を紹介するなど売り手に対して販売支援サービスを行うことで売り手から対価を得る。図６８（ｂ）は購買支援型で、仲介者は売り手に無償の付加価値サービスを行って売り手を集め、売り手を紹介するなど買い手に購買支援サービスを行うことで買い手から対価を得る。図６８（ｃ）は販売・購買支援型で、仲介者は売り手に対して販売支援サービスを行うとともに、買い手に対しては購買支援サービスを行って、売り手と買い手の両者から対価を得る。もちろん、売り手からも買い手からも対価をもらわず、第三者から広告料等を得る方法でもよい。
【０４８０】
・　前記各実施形態において、複数の要素を設定する場合に次のようなオークション方法を採用することができる。落札手順では、各要素間で優劣を決めるために指標が予め設定され、複数の要素毎に競りが並行に同時進行され、各要素間で指標が最も高かった入札情報を提示した入札者が落札する方法とする。例えば位置と時間を指定した場合に、位置では１ｋｍが５０点、時間では１０分が５０点として指定されると、位置で一番近い４０点を獲得した者よりも、時間で一番短い６０点を獲得した者を落札者とする。
【０４８１】
・　前記各実施形態において、「複数の端末に提供して」の複数の端末は、不特定でも特定でもよい。
・　前記各実施形態において、「入札」とは、競りに参加することであり、入札の対象は価格以外の要素でもよい意味である。
【０４８２】
・　前記各実施形態において、依頼者から要望があってから競りを開始して入札を待つのではなく、予め入札者から取得した入札情報をデータベースに保管しておき、依頼があった場合に、データベース中から依頼者の要望に最も適った入札情報を提示していた者を割り出す競り方法でもよい。つまり、依頼者から要望があってから競りを開始して入札を待つ方法と、予め入札者から取得した入札情報をデータベースに保管しておき、依頼があった場合に、データベース中から依頼者の要望に最も適った入札情報を提示していた者を割出す方法とを採用したが、前者だけを採用してもよい。前者の方法では、例えば入札状況が画面で見ることができれば、入札者は他の入札者の動向を見てさらに依頼者の要望に適う条件を提示して複数回答することもできる。
【０４８３】
・　第２の実施形態における位置オークションにおいて、例えばタクシー会社が顧客を落札する場合、ある一定範囲内に顧客が複数人いる場合は、行先の遠い方の顧客を優先して競り落とされる仕組みを採用することもできる。すなわち、顧客の乗車地点と行先地点との距離を地図データ上で計測し、乗車距離がより遠い方の顧客が落札される。この場合、タクシー会社が複数社競合するときは顧客の乗車地点により近いタクシーがいる方とかサービス面で顧客に有利な方が行先のより遠い顧客を落札する。
【０４８４】
・　前記各実施形態において、価格以外の要素とは、価格を単純に変換したに過ぎず、実質上、価格の競りに過ぎない形で要素で競りをするものまで含む意味ではないとすることに限定してもよい。例えば位置オークションで、価格を単に距離に変換したに過ぎず、実質上、価格の競りであるようなものは含まないとする。例えば価格と比例関係にある要素で競りをするなど、単なる価格の代用に過ぎない形で要素を競りに使用するものまでは含まない。但し、要素が単なる価格の代用に過ぎるとは言えず、価格以外の要素で競りをしてはじめて価格面以外の特有の効果が得られるなど、価格以外の要素を用いることに意義があるオークション方法は含まれる。例えばタクシーで顧客を迎えに行くまでの距離に応じて料金がかかる場合、一番近いタクシーを落札したから料金が安く済むなどの理由を根拠に、顧客の待ち時間を短くできる効果を無視して発明に含まれないとするのは論外である。このような方法を採れば、価格以外の要望をより一層満たすことができる。
【０４８５】
・　前記各実施形態において、落札条件は、適宜設定でき、入札者数（参加者数）のうち予め決めた優先規則に従って例えば所定方向から何番目の値とか、入札値の平均値に最も近い値とかを提示した者に落札させるものであってもよい。
【０４８６】
・　前記各実施形態において、商品の関連情報には、価格情報は必須ではない。例えば商品のみ、あるいは商品とその品質のみで、商品関連情報が商品についての価格以外の情報のみであってもよい。例えば美術品や骨董品などは、売り手自身が商品の価値が分からず競りで価格を見極めたい場合があり、また買い手自身は商品の値段よりも商品を手に入れたいという欲求が高く、価格そのものは副次的な価値しかもたずこのように取引上において価格を競り条件の一つに入れる場合は、競り合い相手の力によって成り行き的な状態によって変動して必ずしも適切な評価や取引ができない場合には、むしろ価格を競り条件として提示しない方がよいからである。
【０４８７】
・　前記各実施形態において、商品関連情報が売値情報または買値情報を含む場合、その売値情報または買値情報は、売値（または買値）のみだけでなく、売値（または買値）の条件、例えば最低価格（または最高価格）や価格範囲（価格幅）、さらに条件別に段階的に設定された複数の売値や買値の範囲などであっても構わない。
【０４８８】
・　前記第１実施形態において、取引時期条件は、期日スライド方式などのような優先規則に限らず、例えば取引時期（例えば希望取引日）そのものの指定が条件であってもよい。
【０４８９】
・　前記第１実施形態において、価格スライド設定型のように依頼者が取引時期と価格の両方を提示する方法に限定されない。例えば依頼者が複数の取引時期（期間）を提示し、入札者がその複数の取引時期の中から１つを選んでそれに価格を設定して競りに参加する方法でもよい。また、例えば依頼者が複数の価格を提示し、入札者がその複数の価格の中から１つを選んでそれに取引時期を設定して競りに参加する方法でもよい。この場合、依頼者は入札者が取引時期を設定することができる許容期間（例えば製造会社であれば発売日以降、商品を手元に置いておきたい期間以後など）を提示し、この許容期間が取引時期条件となる。例えば売れ行き予測目的で製造会社が競りを依頼する場合、例えば許容期間は発売日以降とする。
【０４９０】
・　前記各実施形態において、リスト画面を用いる方法を採用する場合、取引時期条件は予めサーバ側のホームページにおいて依頼者の依頼内容を入力するために用意された画面に、取引時期（取引日等）の提示を入札者に求めるか否かを選択するのみの選択項目であってもよく、依頼主は入札者が提示した取引期日を端末３０Ａの画面上で見て落札者を決める。さらに依頼主は取引時期条件を必ずしも提示する必要はなく、サーバが入札者を募るときにの入札者に提供する画面に予め入札者に取引時期についての情報の提示を求める設定になっていて、取引時期の提示の要求は依頼者が設定するのではなく、サーバ側の設定によりなされる方法でもよい。この場合も、依頼主は入札者が提示した取引時期を比較して落札者を決めることができる。
【０４９１】
・　前記各実施形態において、入札者の提示情報を基に行う調査は売れ行き予測に限定されない。入札者が提示した競り参加情報を基に商品に関して調査する調査内容は、商品の稀少調査、商品の相場（値打ち）調査または商品流通調査などであってもよい。
【０４９２】
・　前記第３実施形態において、自動車や運転者のコンディション情報や、道路状況などの道路情報を考慮に入れずに、顧客からの依頼があって直ちに配車可能なタクシーのみでオークションを行う形式をとってもよい。
【０４９３】
・　前記第５実施形態において、オークションで競りの対象となる数値は、長さ、高さ、面積、体積、容積、重量、数量などに代えて、例えば枚数、厚さ、硬さなど、物品の取引の単位として用いられる物理量単位であればよい。
【０４９４】
・　前記各実施形態において、オークションによる取引は有償・無償を問わない。例えば無償で取引に売買がなくてもよい。例えば廃品や古品は、捨てたいが処分に困っているときに取りにきて引き取ってくれる人になら無料であげてもよい場合に、その引き取り相手を探すときにオークションを利用することもできる。この場合、売買取引でなくなるため売り手と買い手の関係が事実上成立しなくなるが、このような取引形態のケースまで含むものと解釈する。例えば依頼者の要望に最も適うと評価された、無料の商品や役務、あるいは商品や役務の提供を受ける受け手が落札する。その他、メーカ等が無料で提供する商品、役務を競るオークションに適用することもできる。
【０４９５】
・　前記各実施形態において、商品・役務は、取引の対象となるものであれば何でもよい。有形・無形に拘わらない。その一例のカテゴリーとしては、例えば（１）　商品・サービス分野、（２）　情報・コンテンツ分野、（３）　アイデア・知的財産権分野などが挙げられる。（１）　商品・サービス分野には、チケット、旅券、ホテル、ローン、金融、保険、証券、住宅、不動産、自動車、二輪車、書籍、音楽、生活雑貨、食料品、化粧品、コンピュータ、ゲーム、オークション、中古品、電話、ビジネスサプライ、バイオ、医薬品、エネルギー、資源、無形なもの（熱、光、波動、色彩、色調、光度、電磁場等）の発生装置または評価装置などの小カテゴリーが挙げられる。（２）　情報・コンテンツ分野には、就職、転職、業務の外部委託、在庫処分、リサイクル、情報コンテンツ、出会い、交際情報、教育、セミナー、広告、取引業者紹介、人的ネットワーク、クレーム処理、リスク管理などの小カテゴリーが挙げられる。（３）　アイデア・知的財産権分野には、アイデア、ビジネス企画、著作物、知的財産権などの小カテゴリーが挙げられる。
【０４９６】
・　サーバ、ネットワーク及び端末は、双方向通信可能なデジタルテレビで実現することもできる。この場合、サーバはデジタルデータを発信するテレビ局などのコンピュータ、端末はデジタル放送を受信するデジタル放送受信可能なテレビが該当する。
【０４９７】
・　依頼手順は必ずしも必須ではない。例えば電話や面会で依頼はもらい、募集手順以降の手順（募集手順、入札手順、落札手順）をサーバがネットワークを通じたオークションで実現する方法でも構わない。
【０４９８】
・　端末での画面表示は必ずしも必須ではない。依頼手順、募集手順、入札手順で使用していた依頼画面や入札画面を無くしてもよい。例えば依頼情報を依頼主の端末から音声データでサーバが受信したり、入札情報を入札者の端末から音声データでサーバが受信する構成とする。そして、サーバが依頼主の端末に対し依頼情報を音声で発することを案内する機械音声を流し、また入札者の端末に対し入札情報を音声で発することを案内する機械音声を流す。
【０４９９】
本明細書における各請求項で使用される語句は以下のように定義する。
・　商品とは、取引の対象となる物で、有償か無償かは問わない。
・　役務とは、サービスであり、有償か無償かは問わない。ボランティアで無償で行われるサービスを含む。また物を使用しないサービスも含む。さらに救助者が被害者を助ける救助（有償でも無償でもよい）もサービスに含まれる。
【０５００】
・　依頼画面，入札画面などの各種画面は、１画面に限らず複数の画面群で構成されてもよい。
・　依頼画面と入札画面は、互いにリンクされているなどして共に一連の手順の流れの中に属するものであれば、同一のサーバ（狭義）から提供されていることは必須ではない。つまり依頼手順で依頼主からデータを受信するサーバ（狭義）と、募集手順及び入札手順でデータの送受信をするサーバ（狭義）とが異なる実施をも各請求項は含む。このような狭義なサーバの群も、各請求項でいうサーバ（広義）に該当する。
【０５０１】
・　募集手順とは、入札を募るための募集情報を端末で見られる状態にするための送信手順である。サーバが一方的に募集情報を端末に送信する場合と、端末からのアクセスなどの要求に応答する形で、募集情報を端末に送信する場合とが含まれる。前者には双方向テレビを端末とする例が挙げられ、後者にはインターネット通信接続可能なパソコンなどを端末とする例が挙げられる。以下の請求項について同様である。
【０５０２】
上記各実施形態及び別例から把握できる技術的思想を以下に記載する。
（１）商品又は役務、あるいは商品又は役務の提供を受ける者を競り落とすネットワークを通じて行われるオークション方法であって、取引の対象となる商品又は役務を、入札者によって提示された価格以外の要素で競る要素オークションをする際に、オークション仲介用のサーバがネットワークを通じた通信により端末を介して、該要素オークションで用いられる優先条件の下で自分が提示できる前記要素の入力を促して入札者を募る募集手順と、入札者によって提示された前記要素を含む入札情報を、該入札者の端末からネットワークを通じて前記サーバが受信する入札手順と、前記サーバは、前記入札情報を基に、前記優先条件に従って最も優先される要素を提示した入札者を特定する競り処理をし、該競り処理結果を基に落札者を選定する落札手順とを備えたことを特徴とするオークション方法。
【０５０３】
（２）請求項１〜２３及び前記技術的思想（１）のいずれか一つにおいて、前記要素は、前記商品又は役務の取引の仕方を決める取引要素であることを特徴とするオークション方法。
【０５０４】
（３）請求項１〜２３及び前記技術的思想（１）のいずれか一つにおいて、前記要素は、前記商品又は役務の取引をする際に前記入札者によってその取引相手である依頼主に課せられる制約の程度を決める要素であることを特徴とするオークション方法。
【０５０５】
（４）請求項１〜２３及び前記技術的思想（１）のいずれか一つにおいて、商品又は役務、あるいは商品又は役務の提供を受ける者を競り落とすネットワークを通じて行われるオークション方法であって、オークション仲介用のサーバがネットワークを通じた通信により端末を介して、取引の対象となる商品又は役務の属性に関する要望を提示すると共に該要望に対し自分が提示できる属性の提示を促して入札を募る募集手順と、入札者によって提示された前記属性を含む入札情報を、該入札者の端末からネットワークを通じて前記サーバが受信する入札手順と、前記サーバは、前記入札情報を基に、前記要望から決まる優先条件に従って最も優先される属性を提示した入札者を特定する競り処理をし、該競り処理結果を基に落札者を選定する落札手順とを備えたことを特徴とするオークション方法。
【０５０６】
（６）請求項１〜２３及び前記技術的思想（５）のいずれか一つにおいて、前記要望は、前記商品又は役務の属性を間接的に特定する希望を述べた希望条件であり、前記落札手順では、前記サーバは、前記希望条件から該当する属性を割り出し、前記入札情報に含まれる複数の前記属性のうち前記希望条件から割り出した前記属性に該当する属性について前記希望条件に適うかどうかを評価する評価処理をして該評価処理の結果を基に評価の高い入札者を絞り込む競り処理をし、前記希望条件に最も適う属性を含む入札情報を提示した入札者を落札者として選定する落札手順とを備えたことを特徴とするオークション方法。
【０５０７】
（７）請求項１〜２３及び前記技術的思想（１）のいずれか一つにおいて、前記価格以外の要素は、前記商品又は役務の単価の競りとは等価とならない要素であることを特徴とするオークション方法。なお、単価の競りと等価となるような要素は、単に価格の変換に過ぎないので、このような要素は除外される。数量売り（例えば○○円／１００　ｇ，○○円／ｍ，○○円／個など）される商品を、その単価を示す単位のうち分母の単位（ｇ，ｍ，個等）（以下、単に単位という）を要素として競る場合、固定価格であればその要素は単に価格の変換に過ぎず、要素（ｇ，ｍ，個等）で競りをしても単価で競りをするに実質等しいので、このようなものは除外される。また役務の例では、３０分３０００円のマッサージを、固定価格で「時間」で競る場合は、役務「マッサージ」についての要素「時間」は、時間の競りが実質上単価の競りに等しいので要素として排除される。但し、固定価格ではなく単価は変わらない競りが成り立つ要素の場合、例えば１個１００円のりんごを１個でも多く買う人に落札させる場合の要素「個数」は、単価の置き換えとは言えないので、要素に該当する。
【０５０８】
（８）請求項１〜２３及び前記技術的思想（１）のいずれか一つにおいて、価格以外の要素とは、価格に換算できない要素であることを特徴とするオークション方法。なお、価格へ換算できる「単価」（例えば○○円／１００　ｇ，○○円／ｍ，○○円／個など）の単位（ｇ，ｍ，個等）は、要素から除外される。この場合、固定価格で実質単価の競りに当たるものは要素に含まれないのは勿論だが、１個１００円のりんごを１個でも多く買う人に落札させるような単価は変わらない競りであっても、単価の単位であることをもって要素から除外される。
【０５０９】
（９）請求項１〜２３及び前記技術的思想（１）のいずれか一つにおいて、前記要素は、商品又は役務の属性であることを特徴とするオークション方法。ここで、属性とは、商品又は役務を特定することができる情報であって、商品又は役務を特徴付けているその性質や内容である。また役務の属性には、役務を提供する者の属性や、役務の提供の用に供する物の属性、役務の提供を受ける者の利用に供される物の属性も含まれる。属性によって他の商品や役務との差別化を図ることができる。属性には、例えばデザイン、サービス内容、スペック、品番、性能、効能、品質、材質、強度、信頼度、味、匂い，香り、色、明度、照度、音量、音質、温度、圧力、サイズ、成分、履歴、経歴、資格、能力、速度、長さ、重量、体積、容量、面積、性質、点数、形状、模様、色彩、種類、方式、製品名、商品名などが挙げられる。但し、これらは一例に過ぎない。この中には、適用される商品や役務によっては、価格に換算できるものもあるが、例えば数量売りされる商品の単価の単位は属性には当たらない。但し、例えば規格長のワイヤを２ｍに切って売る場合は、その「２ｍ」は買い手の選択に他ならずなんらワイヤ自体を特徴付けるものではないのでワイヤの属性には当たらない。しかし、規格にない長さ例えば１０００ｋｍのワイヤの「１０００ｋｍ」はそのワイヤを十分特徴付けているので属性に当たる。属性であるかどうかの判断の目安は、要素（単位等）で表される数値が規格値でなく、かつ特定の企業や職人しか作れない、所有していない、技を持たないなど、その数値によって特徴付けがなされ得るかどうかで判断される。なお、依頼手順で依頼主が提示する商品又は役務の属性情報については、要素ではないので、もちろん価格を含んでも構わない。
【０５１０】
（１０）請求項１〜２３及び前記技術的思想（１）のいずれか一つにおいて、前記要素は、商品又は役務の価格に換算できない属性であることを特徴とするオークション方法。なお、ワイヤが１０００ｋｍであって長さが属性に当たるとしても、その単位ｋｍがワイヤを売るときの単価の単位である以上、この要素はその商品「ワイヤ」については除外される。例えば○○円／リットルで取引されるガソリンにとっては単価の単位であるリットルは属性に当たらないが、冷蔵庫の容量を指すときのリットルは冷蔵庫を特徴付けるものなので属性に当たる。このようにある商品にとって単位が属性に当たらないからといって、その単位が全ての商品について要素に当たらない訳ではない。
【０５１１】
（１１）請求項１〜２３及び前記技術的思想（１），（７）〜（１０）のいずれか一つにおいて、価格以外の要素とは、価格以外の要素であって、その要素の値が価格に直接的に影響しない要素であることを特徴とするオークション方法。この方法によれば、価格の競りでは得られない要素に関する要望を満たすことができるという特有の効果を得ることができる。なお、この技術的思想において、「価格に直接的に影響しない要素」とは、要素の単位当たりの価格（単価）の概念が一般商取引界で普通に取り扱われる要素ではなく、その単価と要素の値との積がすなわち価格とはならない要素を指す。価格に直接的に影響するかしないかは商品に依存する。例えば数量（個数）や、体積、重量でそれらの値の違いが価格に直接的に影響するものは除かれる。１個１００円のものを個数で競りをしたり、１リットル当たり１００円のもの（例えばガソリン）を体積（容積）で競りをしたり、さらに１ｋｇ当たり１００円のものを重量で競りをしたりするもの（単価とその要素（個数、リットル、ｋｇ）の値との積がそのまま価格となるもの）は、除外される。従って、例えば電化製品を重量又は体積で競りをしたり、テレビの走査線（数量）（通常走査線は価格に直接的に影響しない）で競りをする価格に直接的に影響しない要素で競りをすることはこの技術的思想に含まれる。
【０５１２】
（１２）請求項１〜２３及び前記技術的思想（１）のいずれか一つにおいて、前記要素は、時間、位置、距離、長さ、面積、体積、数量、重量、評価数値のうち少なくとも一つであることを特徴とするオークション方法。ここで、位置には移動経路上の位置も含まれる。長さとは、物の性質に関する長さに限られ、幅、高さ、厚みなどを含む（商品そのものの取扱単位（針金の長さなど）は除外される）。距離とは、二点間の長さで、道のりや高低差をも含む。体積とは、容積なども含む（但し、物の性質に関する体積に限り、気体、液体などの商品そのものの体積は「量」に属する）。重量とは、物の性質に関する重量に限り、商品そのものの重量は「量」に属する。数量とは数（商品の個数など）又は量（但し、物の性質を示す前記空間、重量は除外され、商品そのものの量（体積、重量、長さ（針金の長さなど））に限る）である。評価数値とは、商品や役務で用いられる物の性能や品質を示す数値（スペックなど含む）である。
【０５１３】
（１４）請求項１〜２３及び前記技術的思想（１），　（１１）のいずれか一つにおいて、前記要素は、時間又は位置であることを特徴とするオークション方法。
【０５１４】
（１５）請求項１〜２３に記載のオークション方法において、前記入札手順で前記入札者の端末から受信する前記入札情報中の前記要素は、時間であって、前記落札手順では、前記サーバは前記入札情報を基に前記時間で競り処理を行うことを特徴とするオークション方法。
【０５１５】
（１６）請求項１〜２３のいずれか一項において、前記入札者に提示させる前記入札情報は、前記待ち時間又は移動時間を求めるために必要な前記入札者側の位置データを含み、前記落札手順では、前記サーバは、前記依頼主の指定した位置データと、前記入札者が提示した位置データとを用いて前記待ち時間又は移動時間を求め、該待ち時間又は移動時間の短いほど優先させる落札時間条件の下で、該待ち時間又は移動時間で前記競り処理をすることを特徴とするオークション方法。
【０５１６】
（１７）依頼主が提示した希望位置に対し入札者が位置を提示し、入札者が位置で競りをするネットワークを通じて行われる位置オークション方法であって、オークション仲介用のサーバは、依頼主の端末に依頼画面を表示させて希望位置を含む依頼情報の入力を促すと共に、依頼主の端末から該依頼情報を受信する依頼手順と、前記サーバは、入札者の端末に入札画面を表示させて位置を含む入札情報の入力を促すと共に、入札者の端末から該入札情報を受信する入札手順と、前記サーバが、希望位置に対する入札位置の位置関係を調べて該位置関係データを基に落札条件に従って入札者に優先順位をつける競り処理をし、落札条件に最も適う入札者を落札者として選定する落札手順とを備えたことを特徴とするオークション方法。なお、位置関係とは、希望位置と入札位置の間の距離、両位置間の移動経路上の道のり、両位置間の高低差、両位置間の移動に要する時間を考慮した位置関係などを含む概念である。
【０５１７】
（１８）請求項５において、前記第１の競り処理では、価格以外の要素で競り処理をすることを特徴とするオークション方法。
（１９）請求項１〜２３のいずれか一項の発明において、前記入札者が提示した入札情報を基に商品に関する調査をしてその調査情報を、前記依頼主に提供することを特徴とするオークション方法。
（２０）前記（１９）の技術的思想において、前記入札者が提示した入札情報を基に商品に関して調査する調査内容は、商品の売れ行き予測であることを特徴とするオークション方法。
【０５１８】
【発明の効果】
以上詳述したように請求項１〜２９に記載の発明によれば、オークションによって価格以外の要望を満足できるオークション取引を実現することができる。
【０５１９】
また請求項１〜２９に記載の発明によれば、少なくとも取引時期の要素を落札を決める条件とするので、商品を売買する相手を探す探し主が、商品引渡しや代金支払いなどの取引時期について依頼主の事情に応じた希望にかなう取引相手を探し出すことができる。
【図面の簡単な説明】
【図１】一実施形態における時間オークションシステムの概略構成図。
【図２】オークション管理システムの機能構成図。
【図３】時間オークションのホームページ図。
【図４】利用者登録についての説明図。
【図５】商品登録についての説明図。
【図６】依頼者側の希望条件設定についての説明図。
【図７】時間スライド方式の説明図で、（ａ）は期日前倒し方式、（ｂ）は期日遅延方式、（ｃ）は期日前接近方式、（ｄ）は期日後接近方式である。
【図８】価格スライド設定型の設定についての説明図。
【図９】入札者側の設定についての説明図。
【図１０】登録処理手順のフローチャート。
【図１１】期日スライド式時間オークションのフローチャート。
【図１２】価格スライド設定型時間オークションのフローチャート。
【図１３】落札優先順位設定についての説明図。
【図１４】リスト画面図。
【図１５】第２の実施形態におけるオークションシステムの概略構成図。
【図１６】オークション管理システムの機能構成図。
【図１７】ＧＰＳを備える（ａ）タクシーと（ｂ）携帯電話の模式図。
【図１８】オークションのホームページ図。
【図１９】タクシー手配画面図。
【図２０】オークション参加画面図。
【図２１】（ａ），（ｂ）は位置オークションの説明図。
【図２２】位置オークションのフローチャート。
【図２３】移動中位置オークションのフローチャート。
【図２４】他の実施形態におけるオークションのホームページ図。
【図２５】第３実施形態における商品・役務登録についての説明図。
【図２６】範囲選択画面図。
【図２７】（ａ）〜（ｅ）は位置オークションの優先規則の説明図。
【図２８】移動中位置オークションの説明図。
【図２９】リスト画面図。
【図３０】移動中位置オークション時の顧客手配画面図。
【図３１】位置オークションのフローチャート。
【図３２】第４実施形態における魚群情報手配画面図。
【図３３】オークション参加画面図。
【図３４】情報登録についての説明図。
【図３５】位置オークションのフローチャート。
【図３６】汎用位置オークションのフローチャート。
【図３７】第５実施形態におけるオークション管理システムの機能構成図。
【図３８】数値内容選択時に表示される数値内容選択画面図。
【図３９】商品役務登録についての説明図。
【図４０】競り形式選択についての説明図。
【図４１】オークション参加についての説明図。
【図４２】情報提供についての説明図。
【図４３】リスト画面図。
【図４４】（ａ）〜（ｅ）は数値オークションの優先規則の説明図。
【図４５】数値オークションのフローチャート。
【図４６】第６実施形態における取引システムを示す摸式構成図。
【図４７】オークションのホームページ図。
【図４８】依頼登録手順を説明する説明図。
【図４９】キーワード登録用の依頼登録画面図。
【図５０】図４９と異なるキーワード登録用の依頼登録画面図。
【図５１】図５０と異なるキーワード登録用の依頼登録画面図。
【図５２】入札登録手順を説明する説明図。
【図５３】情報提供による入札手順を説明する説明図。
【図５４】評価結果表示画面図。
【図５５】評価データ図。
【図５６】計算式データ図。
【図５７】オークションのフローチャート。
【図５８】評価オークションのフローチャート。
【図５９】第７実施形態における要素選択画面図。
【図６０】競り形式選択画面図。
【図６１】情報提供画面図。
【図６２】競り形式の説明図。
【図６３】要素優先順位設定画面図。
【図６４】リスト画面図。
【図６５】要素オークションのフローチャート。
【図６６】数値評価オークションのフローチャート。
【図６７】取引システムを示す模式構成図。
【図６８】オークション形態を示す模式図。
【符号の説明】
１０…オークションシステム、２０…オークション管理システム、２１…落札決定手段としてのサーバ、２２，２３，２４，１４６，１４７…データベース、３０〜３２…端末、７２…端末としてのパソコン、７３…端末としてのパソコン、７４…端末としての携帯端末（携帯電話）、７６…移動体としてのタクシー、３００…ネットバンキングシステム、３１０…流通ネットシステムとしての流通システム、Ｎ…ネットワーク。
【図１】
2004054926.tif 000003
【図２】
2004054926.tif 000004
【図３】
2004054926.tif 000005
【図４】
2004054926.tif 000006
【図５】
2004054926.tif 000007
【図６】
2004054926.tif 000008
【図７】
2004054926.tif 000009
【図８】
2004054926.tif 000010
【図９】
2004054926.tif 000011
【図１０】
2004054926.tif 000012
【図１１】
2004054926.tif 000013
【図１２】
2004054926.tif 000014
【図１３】
2004054926.tif 000015
【図１４】
2004054926.tif 000016
【図１５】
2004054926.tif 000017
【図１６】
2004054926.tif 000018
【図１７】
2004054926.tif 000019
【図１８】
2004054926.tif 000020
【図１９】
2004054926.tif 000021
【図２０】
2004054926.tif 000022
【図２１】
2004054926.tif 000023
【図２２】
2004054926.tif 000024
【図２３】
2004054926.tif 000025
【図２４】
2004054926.tif 000026
【図２５】
2004054926.tif 000027
【図２６】
2004054926.tif 000028
【図２７】
2004054926.tif 000029
【図２８】
2004054926.tif 000030
【図２９】
2004054926.tif 000031
【図３０】
2004054926.tif 000032
【図３１】
2004054926.tif 000033
【図３２】
2004054926.tif 000034
【図３３】
2004054926.tif 000035
【図３４】
2004054926.tif 000036
【図３５】
2004054926.tif 000037
【図３６】
2004054926.tif 000038
【図３７】
2004054926.tif 000039
【図３８】
2004054926.tif 000040
【図３９】
2004054926.tif 000041
【図４０】
2004054926.tif 000042
【図４１】
2004054926.tif 000043
【図４２】
2004054926.tif 000044
【図４３】
2004054926.tif 000045
【図４４】
2004054926.tif 000046
【図４５】
2004054926.tif 000047
【図４６】
2004054926.tif 000048
【図４７】
2004054926.tif 000049
【図４８】
2004054926.tif 000050
【図４９】
2004054926.tif 000051
【図５０】
2004054926.tif 000052
【図５１】
2004054926.tif 000053
【図５２】
2004054926.tif 000054
【図５３】
2004054926.tif 000055
【図５４】
2004054926.tif 000056
【図５５】
2004054926.tif 000057
【図５６】
2004054926.tif 000058
【図５７】
2004054926.tif 000059
【図５８】
2004054926.tif 000060
【図５９】
2004054926.tif 000061
【図６０】
2004054926.tif 000062
【図６１】
2004054926.tif 000063
【図６２】
2004054926.tif 000064
【図６３】
2004054926.tif 000065
【図６４】
2004054926.tif 000066
【図６５】
2004054926.tif 000067
【図６６】
2004054926.tif 000068
【図６７】
2004054926.tif 000069
【図６８】
2004054926.tif 000070